(57)【要約】包装（ｐａｃｋａｇｉｎｇ）を通じた消毒および滅菌（ＤＴＰ）のための方法およびシステムを開示する。前記方法およびシステムは、前記包装（ｐａｃｋａｇｉｎｇ）、またはその中の内容に損傷を与えることなく、高輝度光源を持つ最大出力のパルス放射装置を用いて、包装（ｐａｃｋａｇｉｎｇ）（ＤＴＰ）を通じて、その中に含まれる固体、液体、気体またはそれらの組み合わせたものを処理するために有用である。本発明の方法およびシステムは、特に、水を主成分とした包装された製品を消毒および滅菌するために有用であって、さらに、現代における農業食物生産ライン、生物医学的調製プロセス、例えば、ワクチン製剤の製造、ヒト免疫系（後天性免疫系、またはＭＨＣのＩ、ＩＩ、ＩＩＩ型）の強化のためのオプトプロバイオテックまたはＯＰＢ化合物を製造し、包装する工程に使用して、生物学的安全性を与えるために有用である。本発明の方法は、特に、農業生産システム、生物医学的な分野および瓶詰めした水または着香した水および飲料に有用である。本発明は、液体および気体が、前記包装（ｐａｃｋａｇｉｎｇ）中に充填された後か、前記包装（ｐａｃｋａｇｉｎｇ）がすでに閉じられるか、処理前または後に前記包装（ｐａｃｋａｇｉｎｇ）が閉じられた状態での、前記液体および気体の消毒または光処理を容易にする。本発明の方法は、複数の段階を経るか、または生物適合性、生物学的および化学的清浄度、その中（前記包装（ｐａｃｋａｇｉｎｇ）中）の要素の原料の純度に対して多くの注意を要する厄介な流通システムを経て、前記液体、気体、固体または組み合わせたものを移す必要がない。前記パッケージの所定の透明な部分を、光放射のための導波管またはディフューザーとして使用する。【選択図】図１
2004513034.tif 000002
【特許請求の範囲】
【請求項１】
光照射を用いた、包装（ｐａｃｋａｇｉｎｇ）の非浸潤性消毒方法であって、前記方法は、透明なパッケージの消毒および前記パッケージの内容の消毒に有用な方法であって、
ここで、前記パッケージは、光照射が前記パッケージ内を透過することができる少なくとも１つの透明な部分を持ち、
前記方法は、以下の工程を含む方法。
（ａ）少なくとも１つのパッケージの反対側に、マイクロ秒未満の光のパルスを放射できる少なくとも１つの光照射手段を配置する工程；
（ｂ）前記光照射手段から放射した少なくとも１つのマイクロ秒未満の光のパルスを、前記した少なくとも１つのパッケージの少なくとも１つの透明な部分に向ける工程；
ここで、前記光のパルスは、１ｎｍ〜９９９ｎｍの範囲の波長を持つ少なくとも１つの光組成を含む、
ここで、前記組成は、前記パッケージまたはその内容にあると見込まれている、生物または化学由来の化合物の毒性または有毒な性質を崩壊させるために十分なエネルギーの最大出力を持つ、
ここで、前記パルスの時間長さは、そのエネルギーが前記パッケージまたはその内容に損傷を与えない程度、または余分な粒子を放出する程度に短い。
【請求項２】
請求項１記載のパッケージの非浸潤性消毒方法であって、前記パッケージが、前記消毒前に、その内容で密封されている方法。
【請求項３】
前記請求項のいずれかに記載のパッケージの非浸潤性消毒方法であって、前記パッケージの内容が、液体、凍結液体、ジェル、粉末、固体または気体からなる群、またはそれらの組み合わせたものから選択される方法。
【請求項４】
前記請求項のいずれかに記載のパッケージの非浸潤性消毒方法であって、前記光照射手段から放出された前記光のパルスが、前記パッケージの所定の透明な部分に、前記透明な部分に相対的な角度を持つビームを向けるか、または導く方法であって、これにより、前記パッケージの透明な部分が、前記パッケージおよびその内容を通じて、光照射を分布する導波管またはディフューザーとなる方法。
【請求項５】
前記請求項のいずれかに記載のパッケージの非浸潤性消毒方法であって、さらに、消毒操作の間に、光ビーム、前記パッケージまたはその内容を振動または回転することにより、発生させた光で、前記パッケージをスキャンすることを含む方法。
【請求項６】
前記請求項のいずれかに記載のパッケージの非浸潤性消毒方法であって、
ここで、前記パッケージが、消毒前にその内容で密封されていて、前記内容が、液体またはジェルと、前記液体または前記ジェルの最高点と前記パッケージの上部カバーとの間に閉じ込められた所定量の空気または気体とを含み、
前記方法が、さらに、消毒操作の直前、または間に、前記パッケージを振動または回転させる工程を含み、
ここで、前記振動または回転は、渦を起こすことに有用であって、その結果、閉じ込められた空気または気体が、前記パッケージ内の中間部分に沿って下に達し、前記内容および前記パッケージの全体にわたって、十分に均等な光の拡散が到達し、
ここで、少なくとも１つの光のパルスは、前記パッケージを通じて前記空気または気体に非浸潤的に到達する方法。
【請求項８】
前記請求項のいずれかに記載のパッケージの非浸潤性消毒方法であって、少なくとも１つの光照射手段が、消毒操作の間に、消毒に有用な複数の他の光源と一緒に用いられる方法。
【請求項９】
前記請求項のいずれかに記載のパッケージの非浸潤性消毒方法であって、少なくとも１つの光照射手段が、消毒操作の間に、少なくとも１つの超音波振動子と一緒に用いられる方法。
【請求項１０】
前記した請求項のいずれかに記載のパッケージの非浸潤性消毒方法であって、
少なくとも１つの前記放射装置を駆動することであって、前記装置は強度の光源を持ち、所定量の液体、気体または固体に近接していて、それら液体等は、一時的および／または不変的に、そのパッケージ、したがって、ボトル、ジョッキまたは導管またはチャンバー、またはカプセル、または水滴内にとどめられる；
約１００ｎｍ〜約４００ｎｍの少なくとも１つのパルスＵＶＡレーザーを撹拌することおよびビームを管理することであって、
ここで、前記光は、約１Ｈｚ〜約１００ＧＨｚの範囲でパルスを発生し、供給される複数のパルスのうち少なくとも１つのパルスは、約１マイクロ秒〜約１フェムト秒（Ｆｓ）の間に至る持続時間またはパルス幅をもち、
ここで、前記強度、またはフルエンス率、または全発光、または生物学的用量測定量、または光子数、または光子間の相対距離、またはエネルギー密度、または平均エネルギーは、少なくとも１つのＤＮＡ／ＲＮＡ複製配列を不活性化するか、または前記液体、気体または固体の少なくとも１つの有機毒性化合物または組成を酸化するように種特異性較正水準に較正され、これにより、前記液体または気体内容および包装（ｐａｃｋａｇｉｎｇ）が、末端使用者のために、前記装置により、完全に、生物適合性および化学的に無害に、安全に消費または供給され、
前記レーザーは、所定の場所または量、所定の期間にわたって、所定の型の包装（ｐａｃｋａｇｉｎｇ）を通じた消毒または滅菌または酸化において十分な較正分光分布をもち、前記包装（ｐａｃｋａｇｉｎｇ）を損傷させるか、または包装（ｐａｃｋａｇｉｎｇ）からその内部の液体、気体または固体への分子移動（ｍｏｌｅｃｕｌａｒ ｍｉｇｒａｔｉｏｎ）を起こさない；
を含む方法。
【請求項１１】
前記した請求項のいずれかに記載のパッケージの非浸潤性消毒方法であって、
少なくとも１つの所定の包装（ｐａｃｋａｇｉｎｇ）材料に露光し、前記包装（ｐａｃｋａｇｉｎｇ）材料は、ＰＥＴ、ポリオレフィン、ポリアミド、ポリカルボネート、ポリエーテルアミド、ポリエステル、ＰＥ／ＨＤ、ナイロン、プラスチック、紙、シルクセルライト、複合物、ガラスまたはあらゆるポリマー樹脂の組み合わせから選択され、
ここで、前記包装（ｐａｃｋａｇｉｎｇ）は、所定量の液体、気体、固体、食物、飲み物、サプリメント、所定の着香料または自然保存料保持し、
ここで、前記包装（ｐａｃｋａｇｉｎｇ）は、前記外部露光に較正した所定の表面積、熱変動曲線、屈折率特性および伝導特性をもち、その中の前記液体、気体、固体内容を組み合わせるか、またはそれぞれ測定することで、同時にか、別々にか、または組み合わせて、内容または包装（ｐａｃｋａｇｉｎｇ）の消毒または滅菌を容易にすること；
前記包装（ｐａｃｋａｇｉｎｇ）の光の前記所定伝導または吸光度、または光電子または光学特性または反応ポートフィリオの用量反応曲線を較正し、
ここで、前記用量は、全体またはその中の、その散乱率、または反射、または屈折、または偏向または操作光にあわせ、このとき、前記包装（ｐａｃｋａｇｉｎｇ）の組成を変えることなく、または前記包装（ｐａｃｋａｇｉｎｇ）から前記内容への有毒な分子移動（ｍｏｌｅｃｕｌａｒ ｍｉｇｒａｔｉｏｎ）を起こさないか、または前記包装（ｐａｃｋａｇｉｎｇ）に損傷を与えることがないようにし、
一方、前記供給または分散光の生物学用量測定および化学用量測定値の関数としては、生産者、末端使用者または品質水準の消毒、滅菌または酸化目標を実現し、
ここで、光学、音波、熱光化学の累積および連打は、所定の周期的な、回帰性のまたは非回帰性の、一連のまたは連続的な手順または光化学消毒、滅菌、酸化または還元または無機物化操作において、前記包装（ｐａｃｋａｇｉｎｇ）容量、表面積およびその内容の全体にわたって効果をもたらすこと；
少なくとも１つの放射装置を駆動することであって、前記装置は、約１ｎｍ〜９９９ｎｍの強度のパルス光源、約１ｎＪｃｍ２〜約４０ｋＪｃｍ２のエネルギー密度および約１Ｈｚ〜９１８ＧＨｚの反復率を持ち、前記包装（ｐａｃｋａｇｉｎｇ）に近接していて、前記装置が、同調されまたは分解されおよび連結され、または光ファイバー、導波管、液体導波管、反射または屈折撹拌光子を介して遠隔的同調され、または前記包装（ｐａｃｋａｇｉｎｇ）を目的とするか、または逸脱するか、または転換するか、または被膜するか、または目標とすること、したがって、前記放射装置からの光が、それに損傷を与えることなく前記包装（ｐａｃｋａｇｉｎｇ）を通じて伝導されること；
前記包装（ｐａｃｋａｇｉｎｇ）内および前記表面上または容量における前記有毒種を不活性化、または消毒または滅菌、または酸化し、したがって、その品質および生物学的および化学的適合性、内容の新鮮さ、風味もしくは外見を保ち、所定期間にわたって品質水準を向上させること；
を含む方法。
【請求項１２】
前記した請求項のいずれかに記載のパッケージの非浸潤性消毒方法であって、
少なくとも１つの所定の包装（ｐａｃｋａｇｉｎｇ）材料に露光し、前記包装（ｐａｃｋａｇｉｎｇ）材料は、ＰＥＴ、ポリオレフィン、ポリアミド、ポリカルボネート、ポリエーテルアミド、ポリエステルまたはＰＥ／ＨＤ、ガラスまたはあらゆるポリマー樹脂の組み合わせから選択され、ここで、前記包装（ｐａｃｋａｇｉｎｇ）は、所定量の液体、気体または固体またはサプリメント、表面積、所定の熱変動曲線、屈折率特性および伝導特性をもち、その中の前記液体、気体または固体内容を組み合わせること；
前記包装（ｐａｃｋａｇｉｎｇ）の光の前記所定伝導または吸光度特性を較正し、全体の、その散乱角、または反射、または屈折、または偏向または操作光にあわせ、このとき、前記包装（ｐａｃｋａｇｉｎｇ）の組成を変えることなく、または有毒な分子移動（ｍｏｌｅｃｕｌａｒ ｍｉｇｒａｔｉｏｎ）を起こさないこと；
少なくとも１つの放射装置を駆動することであって、前記装置は、約１ｎｍ〜９９９ｎｍの強度のパルス光源、約１ｎＪｃｍ２〜約４０ｋＪｃｍ２のエネルギー密度および約１Ｈｚ〜９１８Ｈｚの反復率を持ち、前記包装（ｐａｃｋａｇｉｎｇ）に近接していて、同調されまたは分解されおよび連結されまたは、光ファイバー、導波管、液体導波管を介して遠隔的同調され、または前記包装（ｐａｃｋａｇｉｎｇ）を目的とするか、または逸脱するか、または転換するか、または被膜するか、または目標とすること、したがって、前記放射装置からの光が、それに損傷を与えることなく前記包装（ｐａｃｋａｇｉｎｇ）を通じて伝導されること；
前記包装（ｐａｃｋａｇｉｎｇ）ないおよび前記表面上における前記有毒種を不活性化、または消毒または滅菌、または酸化し、したがって、その品質および生物学的および化学的適合性、内容の新鮮さ、風味もしくは外見を保ち、所定期間にわたって品質水準を向上させること；
を含む方法。
【請求項１３】
前記した請求項のいずれかに記載のパッケージの非浸潤性消毒方法であって、
少なくとも１つの固相レーザー前記放射装置を駆動することであって、前記装置は、強度のパルス光源を持ち、所定量の液体、気体または固体またはその組み合わせたものに近接していて、それら液体等が、一時的および／または不変的に、その包装（ｐａｃｋａｇｉｎｇ）、これにより、ボトル、ジョッキまたは導管またはチャンバーにとどめおかれ；
約１００ｎｍ〜約４００ｎｍの前記パルスレーザー光源を撹拌することまたはビームを管理することであって、
ここで、前記光は、約１Ｈｚ〜約１００ＧＨｚの範囲でパルスを発生し、供給される複数のパルスのうち少なくとも１つのパルスは、約１マイクロ秒〜約１アト秒（Ａｓ）の間に至る持続時間またはパルス幅をもち、
ここで、前記強度、またはフルエンス率、または全発光、または生物学的用量測定量、または光子数、または供給された光子間の相対距離、またはその中のエネルギー密度、または包装（ｐａｃｋａｇｉｎｇ）および内容全体に供給された平均エネルギーは、少なくとも１つのＤＮＡ／ＲＮＡ複製配列を不活性化するか、または前記液体、気体または固体または組み合わせたものの少なくとも１つの有機毒性化合物または組成を酸化するように有毒な種特異性較正水準に較正され、これにより、前記液体または気体内容および包装（ｐａｃｋａｇｉｎｇ）が、末端使用者のために、前記装置により、完全に、生物適合性および化学的に無害に、安全に消費または供給され、
前記レーザーは、所定の場所または量、所定の期間にわたって、所定の型の包装（ｐａｃｋａｇｉｎｇ）を通じた消毒または滅菌または酸化において十分な較正分光分布をもち、前記包装（ｐａｃｋａｇｉｎｇ）の損傷または原因とならないこと；
を含む方法。
【請求項１４】
前記した請求項のいずれかに記載のパッケージの非浸潤性消毒方法であって、
少なくとも１つの放射装置を駆動することであって、前記装置は、強度のパルスまたは連続光源を持ち、少なくとも１つの包装（ｐａｃｋａｇｉｎｇ）に近接していること；
単独で、または混成パルスおよび連続的な放射装置、したがって、前記装置は、同時に、または交互性、交差調節、または周期的な、回帰性、非回帰性、または組み合わせた要因と一緒に能動的に操作し、
ここで、与えられた期間におけるそれらの全電気光学出力は、同時に約１００ｎｍ〜約４００ｎｍの少なくとも１つのパルスＵＶＡレーザー光源を利用して発生させ、発し、
ここで、前記光は、約１Ｈｚ〜約１００ＧＨｚの範囲でパルスを発生し、複数のパルス、準ＣＷビーム、またはコヒーレント光およびインコヒーレント光を供給またはポンプし、または照射光、または増幅合成のうち少なくとも１つのパルスは、前記包装（ｐａｃｋａｇｉｎｇ）に向かってか、または通じて供給され、このとき、そのパルスは、約１マイクロ秒〜約１フェムト秒（Ｆｓ）またはピコ秒（Ｐｓ）の間に至る持続時間またはパルス幅または調節シグナルをもち、
ここで、前記強度、またはフルエンス率、または全発光、または生物学的用量測定量、または光子数、または前記装置からの光のビームまたはバーストから選択される光子間の相対距離、またはエネルギー密度、または平均エネルギーは、少なくとも１つのＤＮＡ／ＲＮＡ複製配列を不活性化するか、または前記液体、気体または固体の少なくとも１つの有機毒性化合物または組成を酸化するように種特異性較正水準に較正され、これにより、前記液体または気体内容および包装（ｐａｃｋａｇｉｎｇ）が、末端使用者のために、前記装置により、完全に、生物適合性および化学的に無害に、安全に消費または供給され、
前記レーザーは、所定の場所または量、所定の期間にわたって、所定の型の包装（ｐａｃｋａｇｉｎｇ）を通じた消毒または滅菌または酸化において十分な較正分光分布をもち、前記包装（ｐａｃｋａｇｉｎｇ）を損傷させるか、または包装（ｐａｃｋａｇｉｎｇ）からその内部の液体、気体または固体への分子移動（ｍｏｌｅｃｕｌａｒ ｍｉｇｒａｔｉｏｎ）を起こすことがないこと；
を含む方法。
【請求項１５】
前記した請求項のいずれかに記載のパッケージの非浸潤性消毒方法であって、
複数の放射装置を駆動することであって、前記装置は、強度の光または音波、磁性または超音波振動源をもち、所定の包装（ｐａｃｋａｇｉｎｇ）の近接または近傍に、または遠隔操作により駆動でき、反射または偏向または屈折または回折または撹拌または走査または組み合わせて駆動でき、前記包装（ｐａｃｋａｇｉｎｇ）にねらいをつけ、標的または供給または分布する装置で、前記包装（ｐａｃｋａｇｉｎｇ）は、ＰＥＴ、ポリオレフィレン、ポリアミド、ポリカルボネート、ポリエーテルアミド、ポリエステル、ＰＥ／ＨＤ、ナイロン、プラスチック、紙、シルクセルライト、複合物、ガラスまたはそれらのいずれかのポリマー樹脂の組み合わせたものから選択され、前記包装（ｐａｃｋａｇｉｎｇ）は、液体、気体、固体、食物、飲み物のサプリメント、所定の香料または自然保存料を保持することができ、ここで、前記包装（ｐａｃｋａｇｉｎｇ）は、所定量、内容、表面積、熱変動曲線、屈折率特性および伝導特性をもち、これらは、前記外部被爆により較正されていること；
約１ｎｍ〜約４０００ｎｍの光学または音−光出力をもつ少なくとも１つの前記装置で撹拌することおよびビームを管理することであって、
ここで、前記光は、パルスにするか、連続的に調整制御するか、誘引するか、電気機械的にまたは光学的に、約１Ｈｚ〜約１９９７ＴＨｚの範囲で、同調、分解し、供給される複数のパルスのうち少なくとも１つのパルスは、約１秒〜約１アト秒の範囲の持続時間またはパルス幅をもち、ここで、前記強度またはフルエンス率、全発光エネルギー、生物学的用量測定量すべての方向から長時間にかけて供給される光子数、前記供給された光子間の相対距離、広範囲のエネルギー密度、装置による供給された容量または内容あたりの平均エネルギーは、少なくとも１つのＤＮＡ／ＲＮＡ複製配列を不活性化するか、または前記液体、気体、固体の有機毒性化合物または組成の少なくとも１つを酸化する種特異性較正水準により較正され、したがって、前記液体または気体内容および包装（ｐａｃｋａｇｉｎｇ）が、末端使用者のために、前記装置により、完全に、生物適合性および化学的に無害に、安全に消費または供給され、前記装置は、所定の型の包装（ｐａｃｋａｇｉｎｇ）を通じて、所定の範囲、容量、所定の期間にわたっての消毒または滅菌または酸化の各々の適切な較正分光分布を持ち、したがって、前記容量、内容または表面の全体にわたって、滅菌または消毒または酸化または生物学的または化学的に安全であって、前記包装（ｐａｃｋａｇｉｎｇ）を損傷させるか、または包装（ｐａｃｋａｇｉｎｇ）の液体、気体または固体、容量またはその内容への分子移動（ｍｏｌｅｃｕｌａｒ ｍｉｇｒａｔｉｏｎ）を起こすことなく、前記農産物または生物医学包装（ｐａｃｋａｇｉｎｇ）製品の前記着香料および細部、風味、組成、健康に良く、新鮮、品質および貯蔵寿命を調整、変化または劣化させることなく、したがって、前記製品の品質が長期間に渡って保持されること；
を含む方法。
【請求項１６】
前記した請求項のいずれかに記載のパッケージの非浸潤性消毒方法であって、
ここで、前記包装（ｐａｃｋａｇｉｎｇ）は、ＰＥＴ、ポリオレフィレン、およびポリアミド、ポリカルボネート、ポリエーテルアミド、ポリエステル、ＰＥ／ＨＤ、ナイロン、プラスチック、紙、シルクセルライト、複合物、ガラスまたはあらゆるポリマー樹脂の組み合わせから選択され、前記包装（ｐａｃｋａｇｉｎｇ）は、約１マイクロリットル〜約１ｍ３の所定量の瓶詰めされた水、ミネラル水、湧き水、着香した水、炭酸水、飲料水、生物学的に調製されたあらゆる液体、気体、固体またはその組み合わせたものを保持する方法で；
機械的、空気圧で、電気的に、電気機械的に、水圧で、または組み合わせで、前記ＵＶＡ領域に発生したレーザー光源により生じた高エネルギー密度の範囲を通じて、前記包装（ｐａｃｋａｇｉｎｇ）に移送し、
ここで、光のパルス幅または各々のパルスの持続時間は、マイクロ秒未満であり、
ここで、前記エネルギー密度の範囲における波長は、約３４７ｎｍ〜約３９９ｎｍであり、
ここで、所定期間における、前記包装（ｐａｃｋａｇｉｎｇ）の所定の場所、容量または内容にわたる適当な分光分布は、すべての有毒種の滅菌または消毒または酸化に適しており、同時に、包装（ｐａｃｋａｇｉｎｇ）が損傷を受けず、組成のままの状態および化学的に安定にするか、または組成に損傷を与えることない方法。
【請求項１７】
前記した請求項のいずれかに記載のパッケージの非浸潤性消毒方法であって、
ここで、前記包装（ｐａｃｋａｇｉｎｇ）材料は、ＰＥＴ、ポリオレフィレン、ポリアミド、ポリカルボネート、ポリエーテルアミド、ポリエステル、ＰＥ／ＨＤ、ナイロン、プラスチック、シリコン、紙、シルクセルライト、複合物、ガラスまたはあらゆるポリマー樹脂の組み合わせから選択され、砂糖、香料または食品添加物、ビタミン、ミネラル、栄養補助食品または栄養添加物を含み、
ここで、前記水の砂糖の含有量は、約１％体積濃度〜約９９％体積濃度である方法。
【請求項１８】
前記した請求項のいずれかに記載のパッケージの非浸潤性消毒方法であって、
少なくとも１つの所定の包装（ｐａｃｋａｇｉｎｇ）品目を対象とし、前記包装（ｐａｃｋａｇｉｎｇ）品目としては、瓶詰めの水、ミネラル水、湧き水、処理水、着香した水、炭酸水、ビタミン、栄養強化、増強水、着色水、食品、栄養補助食品、保存料を含む水、飲料水または組み合わせた水を含み、これらは所定の材料で包装（ｐａｃｋａｇｉｎｇ）されており、前記材料は、ＰＥＴ、ポリオレフィレン、ポリアミド、ポリカルボネート、ポリエーテルアミド、ポリエステル、ＰＥ／ＨＤ、ナイロンまたはプラスチック、シリコン、約２３３ｎｍ〜約９９９ｎｍの範囲の波長を伝導可能な、生物学的適合性および光学的互換性ポリマー、紙、シルク、セルライト、複合物、ガラス、あらゆるポリマー、モノマー、カルボマー、樹脂またはそれらの組み合わせであって、前記包装（ｐａｃｋａｇｉｎｇ）は、各々の包装（ｐａｃｋａｇｉｎｇ）は、だいたい、覆われている部分の最上位までいっぱいで、約０．５Ｌ〜約２０Ｌの所定量であること；
前記包装（ｐａｃｋａｇｉｎｇ）品目を回転し、
ここで、前記包装（ｐａｃｋａｇｉｎｇ）品目を、超音波、または機械的に、または水圧で、または空気圧でまたは電気的または光学空間的に、または光学電気的、またはその組み合わせで、適当な速度または１分あたりの回転数（ＲＰＭｓ）で回転する場合、前記包装（ｐａｃｋａｇｉｎｇ）が、約１ＲＰＭｓ〜約３０，０００ＲＰＭｓで移送（ｔｒａｎｓｐｏｒｔ）または静止する間、ついで、前記包装（ｐａｃｋａｇｉｎｇ）の容量が、全体的に、撹拌され、超音波または機械的に回転され、前記空気包は、循環的に、前記容量の方向または、動きで回転され、これは、渦、竜巻、円錐型または円柱型または縦方向の組み合わせた型に伸ばされ、これらは、光拡散特性効果をもち；
少なくとも１つの３５５ｎｍ放射装置またはレーザーを拡散させるのであって、前記装置またはレーザーは、強度の光源を持ち、その拡散により、前記渦または竜巻が、平均して、少なくとも２１％の自由に利用可能な酸素を含む空気包を形成し、前記渦または竜巻は、だいたい前記包装（ｐａｃｋａｇｉｎｇ）またはボトル、またはジョッキ、またはカプセルのだいたい入り口または出口まで伸びていて、前記包装（ｐａｃｋａｇｉｎｇ）のそこの近傍または触れる程度に達し、本発明の方法にしたがって、アクティブプロセッシングまたは照射を終了した場合、線形平滑曲線を穏やかにし；
同時、一連、回帰性または非回帰性または周期的、またはそれらの組み合わせで、少なくとも１つの包装（ｐａｃｋａｇｉｎｇ）品目に、放射装置またはレーザーからパルスを照射するのであって、前記装置またはレーザーは、約マイクロ秒未満のパルス幅、約１Ｈｚ〜約２２ＴＨｚ（テラヘルツ）の範囲の反復率、３５５ｎｍの波長の高い最大出力を持ち、前記包装（ｐａｃｋａｇｉｎｇ）を目的、混合、拡散、照射し、同時に関連、相関して、前記包装（ｐａｃｋａｇｉｎｇ）内の前記内容を混合、撹拌、超音波で、拡散し、
ここで、前記包装（ｐａｃｋａｇｉｎｇ）材料は、前記水製品を含み、回転していて、少なくとも１つのパルスを前記放射装置またはレーザーから照射し、前記混合した空気包は伸張し、前記放射装置から、前記容量を通した光の拡散およびイルミネートまたは照射または分布を容易にし、その中の消毒または滅菌を容易にし、単独または複数の第１および／または第２のオーダー光子の相互作用、光生成物または効果の累積係数によつ生物用量測定曲線の条件を容易にし、累積用量測定値、それらのＤＮＡ／ＲＮＡ複製配列、それらの組み合わせた不活化、消毒、滅菌、酸化、均一化または還元のための種特異的生物学的構成基準の基準点を容易にし、したがって、毒性、有毒化学物質またはその組み合わせたものを消毒、滅菌、酸化し、容量および包装（ｐａｃｋａｇｉｎｇ）を、より無害で、安全で、所定期間にわたってその品質および生物学的安全性の増加、消費するにおいて、その香料、新鮮さおよび自然純度を保存すること；
を含む方法。
【請求項１９】
前記した請求項のいずれかに記載のパッケージの非浸潤性消毒方法であって、
少なくとも１つの所定の包装（ｐａｃｋａｇｉｎｇ）品目を対象とし、前記包装（ｐａｃｋａｇｉｎｇ）品目は、ＰＥＴ、ポリオレフィレン、ポリアミド、ポリカルボネート、ポリエーテルアミド、ポリエステル、ＰＥ／ＨＤ、ナイロン、プラスチック、シリコン、ガラス、あらゆる生物学的適合性および光学的互換性のあるポリマーから選択される；
前記包装（ｐａｃｋａｇｉｎｇ）品目または内容、または容量、または表面を、超音波、または機械的に、または水圧で、または空気圧でまたは電気的または光学空間的に、または光学電気、または流体光学的に回転させるか、または；
少なくとも１つのパルスまたは連続的な波、または約３５５ｎｍの少なくともひとつの放射装置または高輝度光源を有するレーザーからの外見上連続光を、共役させ、拡散し；
前記ねじれ作用による空気包ディフューザーを形成した渦または竜巻をつくり、ここで、前記ねじれまたは伸張空気包は、空気として約２１パーセントの酸素、または窒素、または低い屈折率を持つ別の気体を含み、ついで、前記包装（ｐａｃｋａｇｉｎｇ）中の透明な水、または液体または気体の屈折率、または、
ここで、前記カプセルの屈折率は、空気の屈折率より高く、ここで、前記渦または竜巻、加工したディフューザーは、だいたい前記包装（ｐａｃｋａｇｉｎｇ）またはボトル、またはジョッキ、またはカプセルのだいたい入り口または出口まで伸びていて、前記包装（ｐａｃｋａｇｉｎｇ）のそこの近傍または触れる程度に達し、前記包装（ｐａｃｋａｇｉｎｇ）のだいたい中心で線形平滑曲線を穏やかにし、操作または撹拌または回転させ、前記伸張したディフューザーが、適当な角度または距離に位置しており；
同時、一連、回帰性または非回帰性または周期的、またはそれらの組み合わせで、導管またはチャンバー内の水に浸した少なくとも１つの包装（ｐａｃｋａｇｉｎｇ）に照射するのであって、前記包装（ｐａｃｋａｇｉｎｇ）は、空気または真空に囲まれおり、
ここで、前記包装（ｐａｃｋａｇｉｎｇ）材料またはその内容またはその組み合わせたものに、前記放射装置またはレーザーまたはハイブリッドインテグレイションまたは組み合わせたものから、少なくとも１つのパルスを、照射し、ここで、前記放射装置またはレーザーは、固相レーザー 、放電加工レーザー、プラズマ駆動レーザー、半導体レーザー、有機レーザー、電子ビームポンプレーザー、自由電子レーザー、ドープ型ファイバーレーザー、またはＳＡＳＥ／ＥＡ／ＦＥＬレーザー、ファイバーレーザー、ダイオードポンプレーザー、結晶関連レーザー、ドープ型ガラス関連レーザー、ＦＥＬｓレーザー、ポリマーレーザー、ＰＷ／ＣＷ型レーザー、量子ドット型レーザー、レーザーアレイ、フラッシュランプポンプレーザー、ウォーターレーザー、光のバンドギャップレーザー、シードまたは増幅レーザー、時間圧縮または拡張レーザー、ｑ−スイッチ型レーザー、双方向調和型レーザー、音波−光学レーザー、超音波レーザー、Ｘ線ポンプレーザー、Ｙポンプレーザー、Ｅ−ビームレーザー、触媒型レーザー、光電気触媒型レーザー、エアー・レーザー、地面固定型レーザー、可動および小型レーザー、薄膜型レーザー、ベーパーレーザー、ウォーターレーザー、光バンドギャップレーザーから選択され、前記放射装置または光源からの光は、前記光装置から、前記包装（ｐａｃｋａｇｉｎｇ）の近傍に達する程度に延びた導管と連結していて、
ここで、前記強度光は、前記内容または容量または包装（ｐａｃｋａｇｉｎｇ）表面の消毒および滅菌するために、前記包装（ｐａｃｋａｇｉｎｇ）およびその容量の全体を、所定の場所内、所定の期間にわたって、覆うこと；
を含む方法。
【請求項２０】
光照射を用いた、包装（ｐａｃｋａｇｉｎｇ）の非浸潤性消毒システムであって、前記方法は、透明なパッケージの消毒および前記パッケージの内容の消毒に有用な方法であって、ここで、前記パッケージは、光照射が前記パッケージ内を透過することができる少なくとも１つの透明な部分を持ち；
（ａ）光のパルスを放つことができる少なくとも１つの光放射装置で、前記光のパルスは、２００ｎｍ〜１０００ｎｍの範囲の波長を持つ少なくとも１つの光の組成を含み；
（ｂ）消毒予定の少なくとも１つのパッケージ、相対して前記少なくとも１つの光放射装置を置いた光放射を受けるための機械的手段
（ｃ）前記光放射装置を制御するための制御手段であって、前記放射装置は光のパルスを、機械的手法により位置付けされたパッケージに向けて送り、前記放射装置から照射される前記光放射により、前記パッケージを処理するためのものであること
を含む消毒システムであって、
ここで、前記光のパルスは、１ｎｍ〜９９９ｎｍの範囲の波長を持つ少なくとも１つの光の組成を含み、ここで、前記組成は、前記パッケージまたはそれらの内容に存在すると考えられる、有毒または毒性の自然組成物の生物または化学源を破壊するに十分な程度のエネルギーの最大出力を持ち、
ここで、各々のパルスの時間の範囲は、ここで、前記パルスの時間限界が、短く、そのエネルギーが前記包装（ｐａｃｋａｇｉｎｇ）またはその内容物に損傷を与えない程度、または余分な粒子を放出する程度である消毒システム。
【請求項２１】
前請求項のいずれかに記載のパッケージの非浸潤性消毒システムであって、ここで、光放射装置は、それから放射される前記光のパルスが、光により処理されるパッケージの所定の透明な部分に方向または導かれるように位置付けされ、
ここで、前記光放射は、前記透明な部分に相対的な所定の角度をもつビームに定められ、前記パッケージの透明な部分が、前記光放射を、前期パッケージまたはその内容を通じて分布させる導波管またはディフューザーとなる消毒システム。
【請求項２２】
前請求項のいずれかに記載のパッケージの非浸潤性消毒システムであって、さらには、消毒操作の間に、前記光ビーム、前記パッケージまたは前記内容を振動または回転させるための機械的、電気−機械、または電気−音波手段含む消毒システムであって、消毒操作の間に、前記振動または回転が、前記パーケージまたはその内容を前記光ビーム走査させる目的である消毒システム。
【請求項２３】
さらに、少なくとも１つの光照射手段と組み合わせて、複数の光源を含む前記した請求項のいずれかに記載のパッケージの非浸潤性消毒システム。
【請求項２４】
さらに、少なくとも１つの光照射手段と組み合わせて、超音波振動子を含む前記した請求項のいずれかに記載のパッケージの非浸潤性消毒システム。
【請求項２５】
前記光照射単位が、固体レーザーを含む前記した請求項のいずれかに記載のパッケージの非浸潤性消毒システム。
【請求項２６】
前記放射装置または光源が、連続的な波ランプである前記した請求項のいずれかに記載のパッケージの非浸潤性消毒システム。
【請求項２７】
前記光放射装置が、パルスランプである前記した請求項のいずれかに記載のパッケージの非浸潤性消毒システム。
【請求項２８】
前記光放射装置が、準連続的な波型のランプまたはレーザーを含む前記した請求項のいずれかに記載のパッケージの非浸潤性消毒システム。
【請求項２９】
前記光放射装置が、放電加工レーザーを含む前記した請求項のいずれかに記載のパッケージの非浸潤性消毒システム。
【請求項３０】
前記光放射装置が、プラズマポンプレーザーを含む前記した請求項のいずれかに記載のパッケージの非浸潤性消毒システム。
【請求項３１】
前記光放射装置が、ｅ−ビーム型のレーザーを含む前記した請求項のいずれかに記載のパッケージの非浸潤性消毒システム。
【請求項３２】
前記光放射装置が、気体型レーザーを含む前記した請求項のいずれかに記載のパッケージの非浸潤性消毒システム。
【請求項３３】
前記光放射装置が、ＴＳＡ／ＳＥ／ＥＡ／ＦＥＬｓ型のレーザーを含む前記した請求項のいずれかに記載のパッケージの非浸潤性消毒システム。
【請求項３４】
前記光放射装置が、半導体型のレーザーを含む前記した請求項のいずれかに記載のパッケージの非浸潤性消毒システム。
【請求項３５】
前記光放射装置が、量子ドットマトリックス型レーザーを含む前記した請求項のいずれかに記載のパッケージの非浸潤性消毒システム。
【請求項３６】
前記光放射装置が、有機型レーザーを含む前記した請求項のいずれかに記載のパッケージの非浸潤性消毒システム。
【請求項３７】
前記光放射装置が、結晶型レーザーを含む前記した請求項のいずれかに記載のパッケージの非浸潤性消毒システム。
【請求項３８】
前記光放射装置が、液体型レーザーを含む前記した請求項のいずれかに記載のパッケージの非浸潤性消毒システム。
【請求項３９】
前記光放射装置が、増幅型レーザーを含む前記した請求項のいずれかに記載のパッケージの非浸潤性消毒システム。
【請求項４０】
前記光放射装置が、第２次、第３次、第４次、第５次、第６次高調波発生器または周波数二倍器またはトランスデューサーを用いてレーザーをポンプするｑ−スイッチ型を含む前記した請求項のいずれかに記載のパッケージの非浸潤性消毒システム。
【請求項４１】
前記光放射装置が、パルスを含み、ここに、前記持続時間または前記パルス幅が約１アト秒（Ａｓ）〜約１秒から選択される前記した請求項のいずれかに記載のパッケージの非浸潤性消毒システム。
【請求項４２】
前記光放射装置が、単一基盤上に統合されているハイブリッドレーザーおよびランプを含む前記した請求項のいずれかに記載のパッケージの非浸潤性消毒システム。
【請求項４３】
前記光放射装置が、増幅または空間的処理、または変換、または変更、または反射、または屈折、またはホログラフ的環境または浸透、または、分配、または再結合、またはチャネル、または直接的な分配または誘導またはポケルス細胞を通じて、包装（ｐａｃｋａｇｉｎｇ）または内容の至る所からの毒性種の滅菌または消毒、解離、または酸化、還元または均等化のための包装（ｐａｃｋａｇｉｎｇ）を通じて供給することを含む前請求項のいずれかに記載のパッケージの非浸潤性消毒システム。
【請求項４４】
前記光放射装置が、ダイオードポンプレーザーを含む前記した請求項のいずれかに記載のパッケージの非浸潤性消毒システム。
【請求項４４】
前記光放射装置が、ダイオードレーザーを含む前記した請求項のいずれかに記載のパッケージの非浸潤性消毒システム。
【請求項４５】
前記光放射装置が、ＬＥＤを含む前記した請求項のいずれかに記載のパッケージの非浸潤性消毒システム。
【請求項４７】
前記光放射装置が、音、または光学的、水圧または空気圧、またはそれらを組み合わせた変調レーザー含む前記した請求項のいずれかに記載のパッケージの非浸潤性消毒システム。
【請求項４８】
前記光放射装置が、空間荷電電子レーザーを含む前記した請求項のいずれかに記載のパッケージの非浸潤性消毒システム。
【請求項４９】
前記光放射装置が、繊維型レーザーを含む前記した請求項のいずれかに記載のパッケージの非浸潤性消毒システム。
【請求項５０】
前記光放射装置が、ドープ型繊維または光バンドギャップレーザーを含む前記した請求項のいずれかに記載のパッケージの非浸潤性消毒システム。
【請求項５１】
前記光放射装置が、ウォーターレーザーを含む前記した請求項のいずれかに記載のパッケージの非浸潤性消毒システム。
【請求項５２】
前記光放射装置が、所定の場所、所定の期間にわたって前記分光分布が連結されるか、または同調するハイブリッドレーザーランプを含み、ここで、前記適切な量またはエネルギー密度が、消毒および滅菌のために、包装（ｐａｃｋａｇｉｎｇ）を通じて、そのなかのまたはその全体の液体、気体または固体に供給される、前記した請求項のいずれかに記載のパッケージの非浸潤性消毒システム。
【請求項５３】
前記光放射装置が、レーザーを含む前記した請求項のいずれかに記載のパッケージの非浸潤性消毒システム。
【請求項５４】
前記光放射装置が、ダイアモンドをベースとしたレーザーを含む前記した請求項のいずれかに記載のパッケージの非浸潤性消毒システム。
【請求項５５】
前記光放射装置が、パルスＵＶ固相Ｎｄ；Ｙａｇレ−ザーを含む前請求項のいずれかに記載のパッケージの非浸潤性消毒システムであって、前記レーザーは、１Ｈｚ〜約２００ＭＨｚの範囲で働き、約１ｎｍ〜約３０００ｎｍから選択される波長であり、ここで、前記パルス時間または幅は、１秒（１ｓ）〜約１アト秒（１Ａｓ）である消毒システム。
【請求項５６】
前記光放射装置が、パルスＵＶ固相レーザーを含む前請求項のいずれかに記載のパッケージの非浸潤性消毒システムであって、前記レーザーは、１Ｈｚ〜約７５ＭＨｚの範囲で働き、約３５５ｎｍから選択される波長であり、ここで、前記パルス時間または幅は、マイクロ秒未満であって、第２の規則的な相互作用、または前記包装（ｐａｃｋａｇｉｎｇ）表面上および前記包装（ｐａｃｋａｇｉｎｇ）の容量または内容の至る所での光子吸着法を起こす消毒システム。
【請求項５７】
前請求項のいずれかに記載のパッケージの非浸潤性消毒システムであって、前記包装（ｐａｃｋａｇｉｎｇ）が、飲料用の水、着香した水、ボトルまたは処理水、または炭酸水のハーフリッターボトルである消毒システム。
【請求項５８】
前請求項のいずれかに記載のパッケージの非浸潤性消毒システムであって、ここで、前記包装（ｐａｃｋａｇｉｎｇ）が、水を主成分とした飲料用製品、したがって、ミネラル、着香料、またはサプリメントウォーターを含む５−ガロンジョッキまたは容器である消毒システム。
【請求項５９】
前請求項のいずれかに記載のパッケージの非浸潤性消毒システムであって、ここで、前記包装（ｐａｃｋａｇｉｎｇ）が、飲料用のミネラル、着香料、炭酸、処理、または湧き水の１Ｌのボトルである消毒システム。
【請求項６０】
前請求項のいずれかに記載のパッケージの非浸潤性消毒システムであって、ここで、前記包装（ｐａｃｋａｇｉｎｇ）が、飲料用のミネラル水、着香した水、瓶詰めされたまたは処理水、または炭酸水、または湧き水の１Ｌまたはハーフボトルである消毒システム。
【請求項６１】
前請求項のいずれかに記載のパッケージの非浸潤性消毒システムであって、ここで、前記包装（ｐａｃｋａｇｉｎｇ）は、飲料用のミネラル水、着香した水、瓶詰めされたまたは処理水、または炭酸水の２Ｌのボトルである消毒システム。
【請求項６２】
前請求項のいずれかに記載のパッケージの非浸潤性消毒システムであって、ここで、前記包装（ｐａｃｋａｇｉｎｇ）が、飲料用のミネラル水、着香した水、瓶詰めされたまたは処理水、または炭酸水のハーフガロンジョッキである消毒システム。
【請求項６３】
前請求項のいずれかに記載のパッケージの非浸潤性消毒システムであって、ここで、前記包装（ｐａｃｋａｇｉｎｇ）は、がバッグまたは導管、またはパイプ、または光学溶反応装置である消毒システム。
【請求項６４】
前請求項のいずれかに記載のパッケージの非浸潤性消毒システムであって、ここで、前記包装（ｐａｃｋａｇｉｎｇ）が、カプセル、ピル、ジェル、プラスチック、ポリマー、モノマー、カルボマー、エラストマー、またはセルライト、紙またはシルク材から選択され、これらは、十分に、消費または生物医学または光学プロビット調製または食物または飲料または組み合わせた栄養補助食品複合容量用農業食品生産物のための生物学的適合性がある消毒システム。
【請求項６５】
前請求項のいずれかに記載のパッケージの非浸潤性消毒システムであって、前記包装（ｐａｃｋａｇｉｎｇ）は、所定の量のビタミン水または栄養強化水である消毒システム。
【請求項６６】
前請求項のいずれかに記載のパッケージの非浸潤性消毒システムであって、ここで、前記包装（ｐａｃｋａｇｉｎｇ）が、回転された空気包の渦または竜巻型含み。その低い屈折率が、前記包装（ｐａｃｋａｇｉｎｇ）の容量または内容内で、前記包装（ｐａｃｋａｇｉｎｇ）内の前期液体または期待または固体の滅菌または消毒、還元または酸化分布または均一した浸潤を行うための縦ディフューザーまたは反射器として作用する消毒システム。
【請求項６７】
前請求項のいずれかに記載のパッケージの非浸潤性消毒システム，
であって、ここで、前記パッケージが、前記放射装置からの光により、その組成に損傷を与えることなく、分子移動（ｍｏｌｅｃｕｌａｒ ｍｉｇｒａｔｉｏｎ）を起こすことなく浸潤し、前記供給した光は、より短い持続時間をもち、さらに、前記時間が、熱効果または動的曲線、または温度上昇を起こさせる消毒システム。
【請求項６８】
前請求項のいずれかに記載のパッケージの非浸潤性消毒システムであって、ここで、前記包装（ｐａｃｋａｇｉｎｇ）が、水、空気、香料、砂糖、食物または飲料 栄養補助食品、ビタミンまたは栄養剤、着色料または保存料から選択される構成要素を含み、ここで、本発明の方法にしたがって照射すると、包装（ｐａｃｋａｇｉｎｇ）または内容の滅菌または消毒は、包装（ｐａｃｋａｇｉｎｇ）を通じて効果的に行われるが、前記構成要素または包装（ｐａｃｋａｇｉｎｇ）に損傷を与えない消毒システム。
【請求項６９】
前請求項のいずれかに記載のパッケージの非浸潤性消毒システムであって、ここで、前記包装（ｐａｃｋａｇｉｎｇ）が、水を主成分とした製品または瓶詰めの水製品を含み、前記内容または容量中の前記砂糖濃度が、１Ｌあたり約１ｇ〜１Ｌあたり約９９９ｇの範囲である消毒システム。
【請求項７０】
前請求項のいずれかに記載のパッケージの非浸潤性消毒システムであって、前記機器またはレーザー、または光学、またはビーム管理システムが、前記包装（ｐａｃｋａｇｉｎｇ）位置に近接してまたは離れた位置であって、前記包装（ｐａｃｋａｇｉｎｇ）は、前記包装（ｐａｃｋａｇｉｎｇ）を通じて滅菌および消毒するためのものであって、
ここで、前記供給光が、空気、水、液体、気体、または導波管を通じて、前記目的に供給される消毒システム。
【請求項７１】
前請求項のいずれかに記載のパッケージの非浸潤性消毒システムの使用であって、光プロバイオテック水を主成分とした製品の製造のために、その中の前記解離組成が、ＭＨＣのＩ、ＩＩ、ＩＩＩ型により、または、ヒト免疫系による識別に起因し、すなわち、前記免疫系の前記豊富で、確実な応答ポートフィリオにより、ヒト、動物または植物に対して拡張、確実に取り入れられ、要因となる消毒システムの使用。
【発明の詳細な説明】
【０００１】
【発明の属する技術分野】
本発明は、包装（ｐａｃｋａｇｉｎｇ）、またはその中の内容に損傷を与えることなく、高輝度光源を持つ最大出力のパルス放射装置を用いて、包装（ｐａｃｋａｇｉｎｇ）を通じて、その中に含まれる固体、液体、気体またはそれらの組み合わせたものを、消毒および滅菌（ＤＴＰ）する方法およびシステムに関する。本発明は、特に、水を主成分とした包装された製品を消毒および滅菌するために有用であって、さらに、現代における農業食物生産ライン、生物医学的調製プロセス、例えば、ワクチン製剤の製造およびヒト免疫系（後天性免疫系、またはＭＨＣのＩ、ＩＩ、ＩＩＩ型）の強化のためのオプトプロバイオテック（ＯＰＢ）またはＯＰＢ化合物を製造し、包装する工程に使用して、生物学的安全性を与えるために有用である。本発明の方法は、特に、農業生産システム、生物医学的な分野、瓶詰めした水、着香した水および飲料に有用である。より詳細には、本発明は、液体および気体が、前記包装（ｐａｃｋａｇｉｎｇ）中に充填された後か、前記包装（ｐａｃｋａｇｉｎｇ）がすでに閉じられるか、処理前または後に前記包装（ｐａｃｋａｇｉｎｇ）が閉じられた状態での、前記液体および気体の消毒または光処理を容易にする。本発明の方法による斬新的な工程により、最後の仕上げ（ｐｏｌｉｓｈｉｎｇ）、または瓶詰めされた水または包装された液体、気体、組み合わせたものの安全性、生物安全性、および化学的純度を増大させるための（光による）処理工程を容易にする。本発明の方法は、複数の段階を経るか、または生物学的適合性、生物学的および化学的清浄度、並びにその中（前記包装（ｐａｃｋａｇｉｎｇ）中）の要素の原料の純度に対して多くの注意を要する厄介な流通システムを経て、前記液体、気体、固体または組み合わせたものを移す必要がない。さらには、本発明の方法は、前記パッケージを開封する必要なく、さらには、前記内容を別々に処理する必要なく、不要な生物または化学種の精製、消毒、滅菌、酸化、解離，還元、除去または均等化のための単一工程の提供を容易にする。さらに詳細には、本発明は、分子移動（ｍｏｌｅｃｕｌａｒ ｍｉｇｒａｔｉｏｎ）を起こすことなく、前記包装（ｐａｃｋａｇｉｎｇ）またはその中の内容に損傷を与えることなく、包装（ｐａｃｋａｇｉｎｇ）を通じた光処理の新たな方法を開示する。本発明の方法、さらには、本発明の方法を用いた機器または装置の競争上の利点は、包装（ｐａｃｋａｇｉｎｇ）を通じた光処理のために、包装（ｐａｃｋａｇｉｎｇ）を通じて光を移送することにより、単一および複数の成分化合物、液体、気体、固体またはそれらの組み合わせたものの純度、新鮮さ、品位、および天然性を保証するための能力であって、さらに、包装（ｐａｃｋａｇｉｎｇ）を通じて、消毒および滅菌、酸化、還元、解離並びに光処理する（ＤＴＰ（包装（ｐａｃｋａｇｉｎｇ）を通じた消毒））ための本発明の方法により、加工食品の消費期間にわたる品質水準を高める。特に、瓶詰め産業および生物医学的な分野に有用である。
【０００２】
【従来の技術】
産業、特に食品加工において、最終製品の加工は必要不可欠である。
【０００３】
包装された水液体、気体、固体またはそれらの組み合わせた農業食品加工物から有害な化学物質を除去するための必要性があるとして、従来の化学消毒薬の使用は、生産者および末端使用者に厳密な制限を課されている。さらには、生産物ＤＢＰｓ中の消毒薬の濃度を制限する制限法により、化学処理方法を段階的に減らしている。国民意識は、すでに、化学的消毒剤を用いることで生み出される毒性化合物および化学物質残留物が、環境において広く利用可能な物質と混合されるときに生じる残存毒性副生成物の驚くほどの量に向けられている。滅菌するための磁放射および放射線化学技術の使用が、提唱されている。これらの方法では、前記包装（ｐａｃｋａｇｉｎｇ）材料により吸収され（例えば、ＰＥＴは、３１２ｎｍ以下を透過させることができない）、前記包装（ｐａｃｋａｇｉｎｇ）の組成を変化させ、感覚上の影響を引き起こす分子移動（ｍｏｌｅｃｕｌａｒ ｍｉｇｒａｔｉｏｎ）を起こしうるイオン化した放射線を用いられている。さらには、ガンマ線、Ｘ線、Ｙ線および電子ビーム技術は、安全な作業環境を提供できず、たびたび不安定な分子を生じ、前記操作員の安全性を危うくしている。さらには、イオン化した放射線を生じる機械は、制限事項により限定され、扱いにくく、高度な定期メンテナンスおよび交換を必要とする。一方、イオン化した放射線は、ある種の形状の包装（ｐａｃｋａｇｉｎｇ）（例えば、ガラス、ボトル等）を処理することはできるが、これらの低い波長の空間的制御および操作が、ＵＶＡパルスレーザービームを動かすことよりもかなり難しいので、それらの使用は、限定される。
【０００４】
無菌充填機および別の農業食物生産ラインで現在用いられている温度および加熱処理は、法外に高価で、高度な定期メンテナンスおよび交換を必要とする。現在用いられている加熱処理は、包装（ｐａｃｋａｇｉｎｇ）に使用した温度感受性ポリマー（例えば、ＰＥＴ）を損傷させることを防ぐために、包装される前の液体（例えば、水）に行われている。水を主成分とした包装された製品の温度が上昇することで、その味覚、香りを変化させ、組成の品質を危うくしている。高温による処理を行った製品の健全さ、新鮮さ、香り、品質のパラメーターは、急速に低下している。諸経費が増大する一方で、このことが、品質をも低下させている。ＰＥＴ包装（ｐａｃｋａｇｉｎｇ）材料で包装した後の水を主成分とした製品に、解決法を提供できる熱処理は知られていない。また、前記包装された製品中に（熱が生じた結果として）前記ＰＥＴ分子が移動し、消費者の健康を脅かす危険な感覚上の影響を引き起こしている。実質的には、熱を用いた滅菌により、製品の生産時間と経費を増大させられ、しばしば、厄介で、寸法が大きく、および専門的な技術支援および操作を必要とする機械および装置になる。
【０００５】
消毒および滅菌技術の原理は、紫外線を含む光処理および酸化プロセスを利用しており、よく知られていて、刊行物に記載されているものである。種々の通常の連続的な波（ＣＷ）型光源を用いた滅菌のために２２０ｎｍ〜２６０ｎｍの効果的な波長範囲（ＥＷＲ）の使用が、記載されている。これらの波長は、製品内に存在している病原体ＤＮＡおよびＲＮＡを不活化し、それによって、微生物（ｍｉｃｒｏｂｅｓ）の複製を防いでいると考えられている。非残留、非化学的性質のため、この紫外線（ＵＶ）技術は、別の消毒技術と比べて好まれている。しかしながら、前記ＵＶ技術は、衛生および生物安全性におけるありふれた問題の一部の解決方法を提供しただけに過ぎなく、所定量の液体および気体を消毒しなければならない場合液体、気体、固体またはそれらの組み合わせた前記表面積が特異的な表面湾曲をもつパラメーターの一部である場合、この通常のＵＶ技術が有する消毒能力を提供しただけに過ぎない。通常の紫外線技術は、損傷を起こすことなく、前記製品内または前記包装（ｐａｃｋａｇｉｎｇ）内に分子移動（ｍｏｌｅｃｕｌａｒ ｍｉｇｒａｔｉｏｎ）を起こすことなく、包装（ｐａｃｋａｇｉｎｇ）を通じて消毒をする能力を提供できないため、前記消費者または前記生産者に感覚上の影響および健康への害を引き起こしている。包装（ｐａｃｋａｇｉｎｇ）を通じて浸透させることができる効果的な消毒方法は、現在、まだ見つかっていない。これは、よく使用されている多色特性のＵＶの水銀をベースとしたランプ光源に課せられた厳しい制限のためであり、その結果、連続的な波（ＣＷ）／パルス波（ＰＷ）の低圧、中圧液体、気体、固体またはそれらの組み合わせたＬＰＨＯ型の水銀をベースとしたランプが最も一般的に使用され、例えば、飲料水の消毒に用いられている。
【０００６】
現在において、使用されている滅菌および消毒方法は、厳しい規制、例えば、多色放射、連続的な波操作、非指向的光学的分布の光、放射状であって、しばしば不経済な光学性能の使用された光源より妨げられている。
【０００７】
さらには、幾何学的利用の低下および適切なビーム管理システムの欠如により、カップリング効率を減じさせ、驚くほどのヘッドロス（ｈｅａｄ ｌｏｓｓ）を引き起こしている。
【０００８】
これらの制限が、前記効率を減少させ、およびこれらの通常の滅菌技術（例えば、水銀をベースとしたランプ）に関係する費用を増加させ、その結果、それらの使用および商品価値を損なっている。
【０００９】
本発明の目的は、液体、気体または固体の各々を包装している材料を通じて、液体、気体または固体を消毒できる方法およびそのシステムを開示することである。
【００１０】
すなわち、その製品およびその包装（ｐａｃｋａｇｉｎｇ）は、２つの工程に分けて滅菌する必要がなく、さらに、すでに包装（ｐａｃｋａｇｉｎｇ）してしまった後に前記製品を滅菌する必要がある場合でも、包装（ｐａｃｋａｇｉｎｇ）から取り出す必要がない。
【００１１】
すなわち、前記製品の安全性は増し、その品質要素は、包装（ｐａｃｋａｇｉｎｇ）または充填後の高い状態のままである。
【００１２】
【課題を解決するための手段】
本発明は、包装された製品を浸透する光源を使用した新規の消毒方法およびそのシステムを開示する。本発明は、高い最大出力、光源、例えば、固相レーザー、高い反復率、および高度な幾何学的利用法を利用する。このことにより、斬新的な滅菌方法およびそのシステムをもたらし、製品ライン、充填ラインおよび包装（ｐａｃｋａｇｉｎｇ）ラインの速度を落とすことなく、さらに、それらに生物的安全性を供与する。
【００１３】
本発明の事象については、以下の発明の要約、および図面の詳細な説明によりはっきりと理解できるようになる。
【００１４】
厳しい制約のあるワクチン製剤および医薬製剤のための医学、および生物医学的製造工程は、高価で、わずらわしく、大きなシステムにより妨げられ、多くの場合、研究および生産活動を費やす。さらには、最新の電子工学、水圧、および気流輸送、混合、および撹拌する機械および工程環境において、何度も試料を輸送する必要性、および多角的に間接して結合しているかまたは連結しているチャンバーまたは導管から異なる化合物を供給および分配する必要性は、不可欠であって、相互汚染、生物学的適合性および生物安全性に対する保護能力を制限し、しばしば、有機化学物質または影響されやすい薬剤は、その中の（前記容器、チャンバー液体、気体、固体またはそれらの組み合わせた導管の中）処理を単純にするために、容器からに移されるが、本発明の方法によると、そのような制限をすることはなく、本発明の方法は、種々の産業において、幅広い用途のために利用でき、多大な支出を抑え、省スペースを特徴としている（付加的な処理工程、放物面反射器を必要とせず、さらに導管のネットワークおよびインターフェースを通じた液体、気体または固体の輸送を必要としないため）。さらに具体的には、本発明の工程は斬新的な工程であって、本発明の方法によると、成分、要素、マルチ要素および／または単一要素の複合物を、一度に処理することができるため、本発明の工程は、複数の処理工程のために液体および気体または固体または組み合わせたものを移動させることを必要とする従来の制限、すなわち、化学的汚染物質および毒性汚染物を移動させて生物適合性または生物学的安全性を補償せんがために安全性支出を増加させている従来の制限より優れている。本発明は、特に、ヒト、動物または植物の免疫系を向上させるオプトプロバイオテック化合物を製造するために有用である。本発明の方法により、処理された化合物が、一旦消費されると、ＭＨＣＣのＩ、ＩＩ、ＩＩＩ型が誘発され、そして、痕跡認識を行うか、認められた生物または化学的由来を標識または調整をすることで列挙され、免疫系のプラスの応答ポートフォリオを知らせ、それによって、潜在的に驚異的な抗原、および有毒な、生物学的毒性および化学的に驚異的な最終的事態（すなわち、相互汚染であって、化合物を異なる場所から分配システムを通じて移すのが必要性なので前記相互汚染が起こり、例えば、順番に、消毒される必要がある）を補足し、対処するようにさらに備える。さらに具体的には、医学製剤の分野における現在の技術と対比して、本発明の方法の前記内容物または容量の最終的な包装において処理にする能力は、より安全に、速く、さらには経済的な無菌製品製法を容易にし、特に、瓶詰め産業、生物医学的な分野に有用で、さらに免疫およびオプトプロバイオテック化合物入りの飲料水、ミネラル水、着香した水、湧き水、処理水、呼吸用空気、および炭酸、酸化または増強またはサプリメント飲料またはそれらの組み合わせたものの製造に有用である。特に、農業食品産業、瓶詰め産業および水産業に有用で、多額の費用をかけても使用する必要性があって、反応性および毒性化学物質を取り除く免疫製品製造の発達に有用である。
【００１５】
（定義）
本明細書で用いる場合、オプトエレクトロニクスとは、本発明による前記光源の光学操作および電子操作を意味し、ここで、前記光学または電子操作とは、本発明の方法を用いて、装置の円滑で効率的運転のために連結させるか、同調させるか、または自主的に操作することを意味する。
【００１６】
本明細書で用いる場合、生物用量測定曲線とは、特異的な微生物（および化学）化合物または種を無毒にする所定の用量を意味し、そうでなければ、前記化合物は、毒性があって、健康またはヒト、動物または植物に脅威をもたらしうる。
【００１７】
本明細書で用いる場合、化学用量測定曲線とは、特異的な化学（および生物）化合物または種を無毒にする所定のエネルギー用量を意味し、そうでなければ、前記化合物は、毒性があって、健康またはヒト、動物または植物に脅威をもたらしうる。
【００１８】
本明細書で用いる場合、熱変動曲線とは、前記ポリマー、化合物または樹脂の分子構造が、不安定な状態になるしきい値（ｔｈｒｅｓｈｏｌｄ）を意味し、例えば、分子移動（ｍｏｌｅｃｕｌａｒ ｍｉｇｒａｔｉｏｎ）が起こるか（例えば、包装（ｐａｃｋａｇｉｎｇ）からその中の内容物へ）、消費した結果、視覚上の損傷または感覚上の損傷が進行するしきい値（ｔｈｒｅｓｈｏｌｄ）を意味する。
【００１９】
本明細書で用いる場合、回帰（ｒｅｃｕｒｒｅｎｔ）とは、それらの最初の設定、最初の用量測定値、手順の開始、照射時間の開始、時間およびエネルギー間隔、エネルギー強度に達すること、機械の制御指令プロトコルを意味し、すなわち動作が、原水準または開始点に戻って繰り返されることを意味する。
【００２０】
本明細書で用いる場合、非回帰性とは、本発明の方法を用いた装置の動作が、その原点、原水準または最初の時間および開始点の強度に達しないことを意味する。
【００２１】
本明細書で用いる場合、周期性とは、その最初の開始点、始まり、最初の量または最初のエネルギー密度または最初の強度または当初の手順の開始点、最初の時間間隔に達するか、所定の場所、所定の期間にわたって、分光分布を周期的に推進する最初の機械の制御指令プロトコルを意味し、すなわち、動作がその開始点に達することを意味する。
【００２２】
本明細書で用いる場合、連続体とは、一連、事象、動作または機械の指令プロトコルの連続した一連の流れ、停止することなく連続した操作、強度または活性を意味する。
【００２３】
本明細書で用いる場合、オプトエレクトロニクスとは、プロセスまたはインターフェース（ｉｎｔｅｒｆａｃｅ）を意味し、ここで、光学シグナルは、電気または光学または電気光学出力またはそれらの組み合わせたものを製造するという客観的な目的のために、所定の範囲または空間的特性において、電気シグナルを制御する。機械を介してネットワークで受けた電気光学調節またはパラメーター変化の連続的な流れにおける、誘引するレーザーおよび補助光源などの特性は、効果またはシステムパフォーマンスを最大限にするために、相互運用または相互接続を調節するか、または促進することを目的としたプロトコルを制御することである。
【００２４】
本明細書で用いる場合、光の偏向、屈折、反射、屈折指数、および空間均一性および特性とは、本発明の方法による放射装置により発生させた光の光学的処理およびビーム管理を意味し、前記装置は高輝度光源を持ち、かかる光学的処理、および／またはビーム管理は、複数の光源装置により、またはあらかじめ用意された装置により同時に発させられたＣＷ、ＰＷ、または外見上のＣＷビームを適用してもよい。
【００２５】
2004513034.tif 000003
少しの光化学は、近赤外で起こる。ただし、一部の光合成バクテリアを除く。前記バクテリアは、９８０ｎｍ以上の波長の太陽エネルギーを貯蓄することが可能である。前記可視領域は、緑色植物および藻類の光合成を完全に活発にさせる領域である。また、多くの色素は、それ自身の光化学形質転換または別の分子の感作反応を受けることができる。光化学における多くの研究は、前記紫外領域に関する。前記ＵＶＣ領域は、タンパク質、ＲＮＡおよびＤＮＡにより吸収され、細胞の変異および／または細胞死の原因となるため、非常に危険である。前記ＵＶＣ領域は、時には、バクテリアおよびウィルスの不活化にとても効果的であるため、殺菌領域ともいわれる。前記真空紫外領域は、ほとんどすべての物質（水および空気を含む）により吸収される。
【００２６】
本明細書で用いる場合、コヒーレント光およびインコヒーレント光とは、コヒーレント（すべての放出光子が、同位相である）またはインコヒーレント（すべての放出光子が、ランダム位相である）である光化学的特性を用いた光源を意味する。すべてのレーザーは、可干渉放射で、たいてい１つの波長で放出する。前記分散は、レーザービームが伝搬させた場合でも、本来の直径または近い状態である程度にとても小さく、他の光源すべてにより放出された光はインコヒーレントである。これらの光源の多くは、「熱素子」光源（例えば、白熱電球）または「プラズマ」光源（例えば、蛍光電球）である。
【００２７】
特に、近傍に１つ以上のＵＶランプがあれば、微生物は、あらゆる方向からのＵＶ力を受け取ることができるため、ＵＶ消毒に必要な用語は、「ＵＶフルエンス率」である。前記放射照度またはフルエンス率は、ＭＷｃｍ−２としてあらわされる。前記放射照度は、「光強度」と、たびたび不正確に呼ばれ、上記のように「放射照度」と適切に呼ばれるべきである。
【００２８】
光量またはフルエンスとは、以下のことを意味する。
【００２９】
前記光量またはフルエンス（記号Ｈ、単位Ｊｍ−２）は、極小の球面の断面積ｄＡを通過し、全方向から伝達された全波長の全放射エネルギーをｄＡで割ったものである。平均フルエンス率は、露光時間を１秒にすることで得られる。前記ＵＶ量という用語は、ＵＶ消毒文献において頻繁に用いられる。これは、前記殺菌領域において特定の生物の前記ＵＶ露光することを意味する。
【００３０】
原子が励起状態に励起すると、これらは、実質的には輝線がなく、非常に細い線を発するだけである。このタイプのランプとしては、前記低圧水銀ランプがあげられる。ガスの圧力が低い（＜１０ｔｏｒｅ）と、水銀ランプの発光線は鋭いだけである。前記圧力が増加すると、このランプは、ずっと大きな出力を起こすことができるが、前記発光線は広がる。同じ長さのランプ（約１２０ｃｍ）について、中圧ランプ（約１０００ｔｏｒｅの圧力）は、３００００Ｗまでに達することができる。これらのランプは、紫外線を利用した市販されているシステムで、非常に一般的である。図５には、紫外領域における低圧ランプおよび中圧ランプの発光の対比を示す。
【００３１】
ある放射装置および関連光源（レーザー）およびランプは、より長い波長を発する。このことは、非常に一般的な蛍光灯の基礎となっている。
【００３２】
エキシマーランプとは、以下のことを意味する。
【００３３】
エキシマーランプは、狭周波数帯の波長を発する点で特徴的である。エキシマーは、原子二量体であって、その二量体は、励起状態でのみ安定で、崩壊により、基底状態に解離する。表４は、一般的なエキシマーランプの音波の波長を示す。
【００３４】
例：放射波長（または一部の一般的なエキシマーランプ）：
【００３５】
【表１】
2004513034.tif 000004
フラッシュランプ：
フラッシュランプは、連続的な波（ＣＷ）に類似しているが、（ＰＷ）、パルスモード運転で操作することができ、各々の末端に電極をもつ円筒形の石英管を含むランプであって、前記石英管は、ｇａ．１／２（例えば、キセノン）で満たされている。大量の電気エネルギーを非常に短い期間（ｓｅｖｅｒａｌ ｕｓ）に放電することにより、非常に高い電圧（１０−３０ｋＶ）を供給し、電力はランプを輝かせる。得られたプラズマは、１００００−１３０００Ｋの温度に達し、前記放射物は、本質的には、完全放射体になる（図４参照）。市販のフラッシュランプシステムのランプは、閃光は、例えば、１秒あたり約３０回だが、特殊な電子パルス回路が与えられると、反復率が、Ｋｈｚの領域に達することができる。
【００３６】
生物学的に機能強化されるか、または光化学的にポリッシュされた（ｐｏｌｉｓｈｅｄ）飲料水または呼吸用空気とは、本発明の方法を通過するか、または本発明の方法により処理されたあらゆる液体または気体（例えば、水および／または気体）を意味し、さらに具体的には、ポリシング（ｐｏｌｉｓｈｉｎｇ）することおよび機能強化することを含む工程は、光学的不活性化、消毒、ＤＮＡおよび／またはＲＮＡ複製配列の不活性化、光触媒作用、電気触媒、光触媒および電気触媒の混成物（ｈｙｂｒｉｄ）、光解離、生理学的解離、バイオマス拡張（ｅｘｐａｎｓｉｏｎ）、濾過（前／後）、物理的分離および選別、再活性化、活性化、超音波、音波、電気音波、電気−光学処理（光線の光子による）を含み、光通過物および液体、気体または、それらを組み合わせたもののために、同時におよび／または別々に、好気的で、毒性のない通過性を持つ光子バンドギャップ波長管を通じて、前記液体および気体を逸するか、または転換する。
【００３７】
最大出力とは、短い時間で、電磁エネルギーをスクィージング（ｓｑｕｅｅｚｉｎｇ）したときに（例えば、パルス状にしたとき）、生じたエネルギーおよびを意味し、例えば、約１秒（１ｓ）のパルス幅を持続するか、またはそれを持つパルスの所定の平均エネルギーおよびパワーが、数ワットの最大出力を発生し、マイクロ秒（ｍｓ）のパルス幅を持続するか、持つパルスが、キロワットに大きさに達する最大出力を発生し、一方で、ナノ秒（ｎｓ）のパルス幅を持続するパルスが、１００万ワットに達する最大出力を発生することであって、これは、コントロールおよび診断のための光解離、光学的不活性化、光ポリシング（ｐｏｌｉｓｈｉｎｇ）、および光分泌、および分光学等の目的に特に有用であり、要するに、より短いパルス時間で、より大きなその最大出力を目的としたことに有用である。
【００３８】
ハイブリッド光源とは、複数の光の光源を意味し、さらに、それらの全分光放射力（ｓｐｅｃｔｒａｌ ｅｍｉｔｔａｎｃｅ）、全分光分布またはそれらの全放射照度（ｉｒｒａｄｉａｎｃｅ）は、それらの時間領域をスーパーインポーズする（ｓｕｐｅｒ ｉｍｐｏｓｉｎｇ）ことにより（例えば、１つの光源が、１ｓパルス時間といった程度に遅く、他の光源が、５ｎｓレーザーといった程度にとても速い）、多光子吸収プロセスを生じ、それらの全放射照度は、本発明の方法の工程を有効に生じさせるために、最適であって、有用であり、さらには、かかるハイブリダイゼーションは、ランプとレーザー、レーザーとフラッシュランプまたはＣＷのいかなる組み合わせまたはＰＷ型の光源を一緒に作用させることを、光子相互作用を最大限にする時間領域操作により、同時に、および／または連続して、連結させて、分解させることを含み、ハイブリッド光源は、例えば、触媒シンチレーティング要素化合物を、本発明にしたがって誘引させることに有用である。
【００３９】
光触媒作用とは、光の光子エネルギーの使用して化学反応を触媒することを意味する。さらに具体的には、かかる反応は、水の水素および酸素への分解、および水性環境下での有機汚染物質を完全に酸化することを含む。さらに具体的には、触媒作用の第一工程は、電子を、荷電子帯（ＶＢ）から伝導帯（ＣＢ）へ励起させることを目的として、触媒物質に光の光子を吸収させ、このようにして、電子正孔対を作る。ついで、再結合が起こる前に、各々の種を、前記表面に移動させなくてはいけない。もし、この条件が適応していれば、前記電子を、分子を吸収する面に移動でき、それを還元できる。全工程を詳述し、効率的に反応を起こす工程（前記電子正孔対の早期再結合を予防すること）のために重要な部分を示し、還元率および酸化率を比較すべきである。前記バンド端の位置は、前記工程の各々の段階において重要であって、水中で安定である光触媒物質は、ＴｉＯ２（または、酸化チタンとして知られている）である。
【００４０】
本明細書で用いる場合、吸光度とは、温度および波長に依存した放射線を吸収する媒質の能力を意味し、前記透過率の常用対数に負号をつけたものとして表す。
【００４１】
本明細書で用いる場合、活性媒質とは、所定の波長で、吸収よりもレージング（ｌａｓｉｎｇ）が起こる媒質を意味する。
【００４２】
本明細書で用いる場合、空気冷却レーザーとは、前記電源装置を通じて、前記レーザー管を超えて、空気を送り込むファン（ｆａｎ）を用いたレーザーを意味する。前記ファンの音が、時々不都合であるが、空気冷却レーザーは、水を供給することが必要ない点が有用である。たいてい、小および中出力レーザーが、空気冷却レーザーである。とても小さいレーザー、例えば、ヘリウムネオンレーザーはファンが不必要である。技術的には、これは、対流による「空気冷却」であるが、前記用語は、たいてい、ファンの力で冷却するものに使用される。
【００４３】
本明細書で用いる場合、平均電力とは、パルスレーザー１秒における、すべての単一の不連続なパルスのエネルギーの和を意味する。
【００４４】
本明細書で用いる場合、ビームエキスパンダーとは、ビーム直径を増加させ、ビームの開きを減少させる光学装置を意味する。
【００４５】
本明細書で用いる場合、ビーム・スプリッティングとは、種々または同一のエネルギーのレーザービームを、２つまたはそれ以上のビームに光学的に分割することを意味する。
【００４６】
本明細書で用いる場合、ＣＷとは、パルス運転に対して、レーザーの連続的な波の略記を示す。
【００４７】
Ｄ．Ｔ．Ｐとは、包装（ｐａｃｋａｇｉｎｇ）を通じて消毒することを意味する。
【００４８】
本明細書で用いる場合、衝撃係数とは、完全な仕事サイクル時間に対して、前記レーザービームが、実際に、切り離し、掘削し、溶接し、または熱処理する時間の長さを意味する。
【００４９】
本明細書で用いる場合、フラッシュランプとは、しばしば、らせんコイルを形成している強力な光源を意味し、前記フラッシュランプは、固相レーザーで光子の放出を生じさせるために使用される。
【００５０】
本明細書で用いる場合、ＯＰＢとは、オプトプロバイオテックを意味し、本発明の方法による包装（ｐａｃｋａｇｉｎｇ）を通じた光処理（ＤＴＰ）の工程後、オプトプロバイオテックは、豊富か、陽性免疫応答の一因となり、前記免疫応答は、例えば、ＭＨＣ（主要組織適合遺伝子複合体）のＩ、ＩＩ、ＩＩＩ型により生じるか、またはその中の（すなわち、その包装（ｐａｃｋａｇｉｎｇ）の中）毒性種の隔離した成分の跡をたどって認識することにより、前記成分の無傷な形に損傷を与えることなく駆動される後天性免疫系の陽性免疫応答である。
【００５１】
本明細書で用いる場合、包装（ｐａｃｋａｇｉｎｇ）とは、液体、気体、固体またはそれらの組み合わせたものを、永続的または一時的に保持することができるあらゆる種類の材料を意味し、例えば、瓶詰めの水の容器または生物医学で利用されるカプセルまたは包装材料を意味する。
【００５２】
本明細書で用いる場合、パッケージとは、包装（ｐａｃｋａｇｉｎｇ）と同一のことを意味する。
【００５３】
本明細書で用いる場合、モード（ｍｏｄｅ）とは、個別の機能を意味し、前記機能は、レーザー操作の設置、準備、条件、例えば、連続放射、連続パルスまたはグループ化したパルス等を含む。また、「モード」は、前記ビームの断面の形状をも意味する（「ｔｅｍ」を参照）。
【００５４】
本明細書で用いる場合、変調とは、コントロールとして前記レーザーの出力ビームに外部信号を重ねる能力を意味する。
【００５５】
本明細書で用いる場合、ｎｄ：ガラスとは、特定の産業上の利用において、高出力または短パルスまたは両方を生じるネオジウム：ガラスの固相レーザーを意味する。
【００５６】
本明細書で用いる場合、ｎｄ：ｙａｇとは、ネオジウム：イットリウムアルミニウムガーネットの固相レーザーを意味し、このレーザーは前記ｎｄ：ガラスレーザーと類似している。どちらとも、フラッシュランプまたはダイオードレーザーによりエネルギーを供給される。
【００５７】
本明細書で用いる場合、光ポンピングとは、陽極および陰極からの放電というよりはむしろ光の利用により、前記レージング媒質を励起させることを意味する。
【００５８】
本明細書で用いる場合、最大出力とは、パルスレーザー中の個々のパルスの出力を意味する。これは、前記ジュールのパルスエネルギーを秒単位のパルス幅で割ることにより得られる。例えば、測定値は、メガおよびギガワットに達しうる。
【００５９】
パワー密度とは、表面上の一点に集中させた放射パワーの量を意味する。単位は、平方メーターまたは平方センチメーター当たりのワットである。
【００６０】
本明細書で用いる場合、パルスエネルギーとは、パルス様式がプログラム化されているというよりはむしろ連続運転のレーザーからの単一で、短い放射のエネルギーを意味する。前記パルスレーザーのパルス電力は、ｃｗ放射の数倍以上である。
【００６１】
本明細書で用いる場合、屈折とは、あらゆる波、例えば、電磁波の伝播方向の変化を意味し、異なる速度の波がある媒質から別の媒質へ通過する時に起こる。簡潔に言えば、屈折とは、ある媒質から別の媒質へ、例えば、空気から水へ通過するときの入射光線が曲がることである。
【００６２】
本明細書で用いる場合、固相レーザーとは、前記レージング媒質が、固体物質、例えば、ルビーロッド（ｒｕｂｙ ｒｏｄ）であるレーザーを意味する。これらは、フラッシュランプまたはダイオードにより、光学的にエネルギーを供給することができる。ダイオードレーザーは、光を生じさせるために、電気的に励起させた固体を使用するということから、固相レーザーは、ダイオードレーザーをも含む。
【００６３】
一般に、固相レーザーとは、ライトショーに使用するには、非常に高価である。これは、次の数年間で交換しなければならない。もっとも有力な固相レーザーは、ｎｄ：ｙａｇと呼ばれる物質を使用していて、前記物質は、赤外線を発する。これは、周波数を二倍にして（第２次高調波発生）、５３２ｎｍで６０ワット以下の緑色光を生じることができる。前記緑色光を、再び、周波数を２倍にして（第４次高調波発生）、２６６ｎｍで数ワット以下のｕｖ光を生じることができる。
【００６４】
本明細書で用いる場合、オプトプロバイオテックとは、本発明の方法にしたがって、滅菌、消毒、解離、酸化、還元、均一化または音波−光学作用処理により、ヒト免疫系の増強および強化に有用な水内容物および製品の利用を容易にし、促進させることを意味し、この光化学効果とは、前記包装（ｐａｃｋａｇｉｎｇ）を通じて、前記包装（ｐａｃｋａｇｉｎｇ）またはその内容（すなわち、前記包装（ｐａｃｋａｇｉｎｇ）の中）に損傷を与えることなく獲得されることを意味する。
【００６５】
本明細書で用いる場合、機器とは、前記放射装置、光源またはレーザー、光学、および前記ビーム管理または組み合わせたオプトロニクスを意味するのであって、これらは、前記光を、空間的に、前記放射装置または光源から供給された光を適当な角度方向に、または共役させて、前記包装（ｐａｃｋａｇｉｎｇ）を通じて、透過による損傷を与えることないように方向付けるために使用する。
【００６６】
本明細書で用いる場合、被写界深度とは、前記ビームの動作範囲、波長、焦点を合わせない状態のビームの直径および前記レンズの焦点距離の関数を意味する。細径のスポットサイズ、したがって、高い電子密度を獲得するためには、短い被写界深度を受け入れなくてはならない。
【００６７】
本明細書で用いる場合、ダイクロックフィルターおよびミラーとは、光学メッキされたガラス片を意味し、これらは、ある特定の色（波長）を通し、残りの色を反射させる。
【００６８】
ダイクロックフィルターは、レーザープロジェクターにおいて、必要に応じて、特殊な色を組み合わせるか、または取り除くために使われる。ダイクロックミラーは、特定の波長のレーザーからの光反射量を最大限にするために使用される。ダイクロックミラーおよびフィルターは、前記メッキ部分に損傷を与えないように注意して扱わなくてはならない（カラーボックスを参照）。
【００６９】
本明細書で用いる場合、ダイオードレーザーとは、コヒーレント光を生じるＬＥＤ（発光ダイオード）に類似した半導体を意味する。ダイオードレーザーは、小さく、効率的であって、これらは、コンパクトディスクプレーヤーおよびペン型のレーザーポインターに使用されている。一般的には、ダイオードレーザーは、ライトショーに使用するには、薄暗く、高価である。これは、おそらく、次の数年間で交換することが多い（固相レーザーを参照）。
【００７０】
本明細書で用いる場合、発散度とは、前記レーザービームが、遠視野、すなわち、凹面レンズまたは凸面鏡により、互いに離れた射線の屈曲で露光する角度を意味する。
【００７１】
本明細書で用いる場合、偏角とは、出力（振幅または周波数のどちらか）のすべての好ましくない偏差を意味し、前記ビームの偏角は、暖機の前、間、および後に、ミリラジアンで測定される。
【００７２】
本明細書で用いる場合、衝撃係数とは、完全な仕事サイクル時間に対して、前記レーザービームが、実際に、切り離し、掘削し、溶接し、または熱処理する時間の長さを意味する。
【００７３】
本明細書で用いる場合、電磁波とは、振動するか、または増進している電荷から外へ向かって伝わる妨害を意味する。電磁波としては、ラジオ波、Ｘ線、ガンマ線および赤外、紫外および可視光があげられる。
【００７４】
本明細書で用いる場合、放射率とは、放射が起こる割合を意味する。前記割合は、電源により放射されたエネルギーと、同一の温度で、完全放射体により表面に放射された前記放射エネルギーとの割合である。
【００７５】
本明細書で用いる場合、露光量とは、単位面積当たりの表面上に入射した全放射エネルギーの量、すなわち、放射露光量を意味する。
【００７６】
本明細書で用いる場合、遠視野イメージングとは、固相レーザーでのイメージング技術を意味し、前記固相レーザーは、均一でないエネルギー分布、とても短い作動距離、およびホールジオメトリー（ｈｏｌｅ ｇｅｏｍｅｔｒｙ）の制御不全といった、いくつかの制限がある。
【００７７】
本明細書で用いる場合、ファイバー光学ケーブルとは、柔軟性ガラスまたはプラスチック線を意味し、前記ガラスまたはプラスチック線は、ケーブル状であって、ある場所から別の場所へ、光を伝えるために使用される。これには、ステップインデックスファイバーおよびグレートインデックスファイバーといった２つの主要な型がある。これらの２つの主要な型のうちに、さらに、２つの部分群がある。
【００７８】
伝導ファイバーは、少ない損失で、ビームを伝導することができる。これらは、離れて設置された放射装置へ、前記レーザー光を送信するために使用される。
【００７９】
ディスプレイファイバー（サイドグローファイバー（ｓｉｄｅ ｇｌｏｗ ｆｉｂｅｒｓ）として既知である）は、ケーブルジャケットがなく、そのため、ある光をストランド（ｓｔｒａｎｄ）の側面の外側へ散乱させる。前記ストランド自身は、微小ネオン管のように見え、対象の周りをラップする（ｗｒａｐｐｅｄ）レーザー−リット（ｌａｓｅｒ−ｌｉｔ）「ホイップ（ｗｈｉｐ）」またはグローイング（ｇｌｏｗｉｎｇ）「ロープ（ｒｏｐｅ）」といった特殊な効果となる。
【００８０】
本明細書で用いる場合、フラッシュランプとは、しばしば、らせんコイルを形成している強力な光源を意味し、固相レーザーにおいて、光子の放出を生じさせるために使用される。
【００８１】
本明細書で用いる場合、蛍光とは、光により衝撃を与えた場合、物質に誘導される白熱光を意味する。融解石英のブルースター・ウィンドー（ｂｒｅｗｓｔｅｒ ｗｉｎｄｏｗｓ）は、ＵＶ光に蛍光を発し、放射されたレーザーの吸収を増加し、レーザーのモードおよび出力を低下させる。
【００８２】
本明細書で用いる場合、流量（ｆｌｕｘ）とは、光ビームの放射または発光のパワーを意味し、すなわち、ある面を透過した時間当たりの放射エネルギーの流量を意味する。
【００８３】
本明細書で用いる場合、フォーカス（ｆｏｃｕｓ）とは、名詞の場合、光線がレンズによって一点に集められる点を意味し、動詞の場合、はっきりとした像を得るために焦点距離を調節することを意味する。
【００８４】
本明細書で用いる場合、焦点（ｆｏｃａｌ ｐｏｉｎｔ）とは、動作面に対して、前記ビームの焦点が、臨界効果、例えば、ドリルで開けた穴の深さおよび形状といった効果をもつものを意味する（レーザーが動作する場合での、「フォーカス（ｆｏｃｕｓ）」の最初の定義と同様である）。前記焦点（ｆｏｃａｌ ｐｏｉｎｔ）が表面上にある場合、穴の直径は一様である。前記フォーカス（ｆｏｃｕｓ）が前記表面以下である場合、円錐形の穴があけられる。
【００８５】
本明細書で用いる場合、湾曲した共振器とは、前記内部の光路長をミラーによって屈曲させた構造の共振器を意味し、前記ミラーを前の位置で合わせた場所にはめ込んだすみ木上に設置することで、小型の容器において長いレーザー空胴を持つことを可能にした。
【００８６】
本明細書で用いる場合、周波数とは、単位時間に固定点を通過した光波の数またはある期間における完全な振動数を意味する。
【００８７】
本明細書で用いる場合、ゲイン（ｇａｉｎ）とは、増幅のさらなる期間を意味し、一般的には、個体数反転を達成するレージング媒質の効率を意味する。高いゲインは、例えば、前記光波がミラー空胴の間での通過あたり５０％以上である。
【００８８】
本明細書で用いる場合、ガス放電レーザーとは、ガラス管中にガス状レージング媒質を含むレーザーを意味し、その管中で、前記レーザーは励起するために使用された電気または化学薬品により枯渇した前記分子を、一定流量の気体が補給する。前記放出された気体は、節約のためにフィルターにかけ、９０％を再利用することができる。
【００８９】
本明細書で用いる場合、ガスジェットアシスト（ｇａｓ ｊｅｔ ａｓｓｉｓｔ）とは、共通軸を持った気体、例えば、酸素、アルゴンまたは窒素を促進させることを意味し、これは、ある金属を切断するために、非常に高い電力レベルを達成するために使用される。
【００９０】
本明細書で用いる場合、ガス供給レーザーとは、レーザー照射器を意味し、前記レーザー照射器は、かなり小さい共振器の構造のうちで、非常に高いビーム出力を発生する。長い電極が、前記軸に対して平行に配置され、気体が、前記共振空胴に行き渡る。
【００９１】
本明細書で用いる場合、ガウスとは、「正常曲線」または「正常分布」、例えば、修正されていなく、焦点のあっていないレーザービームにより、その最適モードで作成された対照なベル（ｂｅｌｌ）型の穴を意味する。ガウス型レーザービームは、中央部にそのエネルギーが集中している。
【００９２】
本明細書で用いる場合、ＨＡＺとは、熱影響部またはレーザービームおよび金属（または他のもの）表面が接触している領域を意味する。
【００９３】
本明細書で用いる場合、ヘリウム−ネオンレーザーとは、活性媒質がヘリウムおよびネオンの混合物であって、領域が可視域内である（「ＨｅＮｅ」）レーザーを意味する。前記レーザーは、アライメント、記録、印刷、および測定産業において広く使用され、また、不可視ＣＯ２レーザー光のポインターまたはアライナー（ａｌｉｇｎｅｒ）としても利用されている。
【００９４】
本明細書で用いる場合、ヒートシンク（ｈｅａｔ ｓｉｎｋ）とは、製造工程から（またはレーザーによる反射光線から）の、不必要な熱を放散させるか、または吸収するために用いられる本体または装置を意味する。
【００９５】
本明細書で用いる場合、ヘルツとは、承認された国際的単位であって、簡潔には、Ｈｚを意味し、ＣＰＳすなわちサイクル／秒の代わりとなるものである。
【００９６】
本明細書で用いる場合、像（ｉｍａｇｅ）とは、レンズまたはミラーにより生み出される物体の光学的複製物を意味する。例えば、収束レンズは、光線を一点に集め、「実」像を形成し、写真を撮ることができる。負のレンズは、光線を拡散させ、「虚」像を形成するため、投影することができない。
【００９７】
本明細書で用いる場合、入射光とは、レンズの表面またはその他のものに当たる光線を意味する。「入射角度」は、前記表面に対して垂直方向な前記光線とのなす角度によって形成される。
【００９８】
本明細書で用いる場合、強度とは、単位、すなわち時間または反射面あたりの放射エネルギー（光）の絶対値を意味する。
【００９９】
本明細書で用いる場合、イオンレーザーとは、非常に高い放電電流を用いて、小径口を通過させて希ガス、例えば、アルゴンまたはクリプトンをイオン化するレーザーの型を意味する。前記イオン化工程は、レージングを生じるために反転分布を引き起こすことによって行う。リサーチレーザーは、ある産業上の利用に有用である。
【０１００】
本明細書で用いる場合、イオン化とは、イオンが形成される工程を意味する。
【０１０１】
本明細書で用いる場合、イラジエーション（ｉｒｒａｄｉａｔｉｏｎ）とは、可視光線、例えば、熱線、Ｘ線または光による照射用量、言い換えると、放射照度と時間の積を意味する。
【０１０２】
本明細書で用いる場合、ジュールとは、ワット／秒、言い換えると、パルス運転で、しばしばレーザー出力で得られる測定値を意味する。
【０１０３】
本明細書で用いる場合、クリプトンレーザーとは、主として、クリプトンガスで充填されたレーザーを意味する。「すべての系」または「白色」オプティックスを用いると、赤色、黄色、緑色および青色光を生じる。「赤色だけ」のクリプトンレーザーは、特に、非常に強い６４７ｎｍの赤色線を出力するテーラードオプティックスに使用される。クリプトンはアルゴンに類似している（同一の管デザインで、両方に使用することができる）。しかしながら、クリプトンガスは、相当値のアルゴンガスに比べて少ない光（出力）しか生じない。強力な赤色光が必要な場合、最初にクリプトンレーザーを使用する。
【０１０４】
本明細書で用いる場合、レーザーとは、「Ｌｉｇｈｔ Ａｍｐｌｉｆｉｃａｔｉｏｎ ｂｙ Ｓｔｉｍｕｌａｔｅｄ Ｅｍｉｓｓｉｏｎ ｏｆ Ｒａｄｉａｔｉｏｎ」由来の頭文字である「Ｌａｓｅｒ」を意味する。
【０１０５】
装置は、コヒーレントビームの光を生じる。前記ビームとは、長い距離において平行の状態で、１つまたはそれ以上の非常に純粋な色を含む。
【０１０６】
本明細書で用いる場合、ライトショーレーザーとは、一般に、高電圧電流を用いて、前記ガスをイオン化する（白色光に前記ガスを与える）ガス充填管である。前記管のそれぞれの端にあるミラーは、「誘発放出」と呼ばれる処理を増幅するのを助ける。前記誘発放出光の多くは、２つのミラーの間を移動し、１％〜４％の間で、前記ミラーの１つから放出され、われわれが目にしている光束を生み出す。
【０１０７】
前記ガスは、前記ビームの色（または発色）を測定するために使用される。ガスレーザーは、依然として、圧倒的にディスプレイに使用されている。ガスレーザーとしては主に使用されている４つの型は、ヘリウムネオン混合物、アルゴン、クリプトン、およびアルゴンクリプトン「混合ガス」混合物である。
【０１０８】
本明細書で用いる場合、レーザー発振とは、レーザー空胴末端にあるミラー間の干渉波の蓄積を意味する。ＣＷモードでは、波は、ミラー間をいったり来たりして、少量のエネルギーをそれぞれのトリップ（ｔｒｉｐ）に伝搬され、パルス運転では、放出は即時に起こる。
【０１０９】
本明細書で用いる場合、レーザーロッドとは、固相、棒状レージング媒質を意味し、その中でのイオン励起は、強い光源、例えば、フラッシュランプ等により起こる。さまざまな材料が前記棒に使用されていて、最近では、合成ルビー結晶が使用された。
【０１１０】
本明細書で用いる場合、光とは、目により検出できる可視の電磁波の周波数領域または約４００〜７５０ナノメーターの波長領域を意味する。時々、光起電力効果および可視限界を超えた放射をも含むことがある。
【０１１１】
本明細書で用いる場合、光調節とは、放電電流を制御することにより、出力を一定レベルに保持するための電力調節を意味する。
【０１１２】
本明細書で用いる場合、明度（ｌｕｍｉｎａｎｃｅ）とは、一般的に、照度（ｉｌｌｕｍｉｎａｔｉｏｎ）と呼ばれているものを意味し、光を受ける面のある場所の単位面積あたりに前記光束または可視流量（ｖｉｓｉｂｌｅ ｆｌｕｘ）を意味する。
【０１１３】
本明細書で用いる場合、メニクスレンズとは、最初に、干渉性により、ＣＯ２レーザーに使用されるレンズを意味する。前記レンズは、片面が凸面で、もう片方が凹面である。
【０１１４】
本明細書で用いる場合、準安定状態（ｍｅｔａｓｔａｂｌｅ，ｍｅｔａｓｔａｂｌｅ ｓｔａｔｅ）とは、不安定な状態、言い換えると、分子エネルギーが、最も低いか、または基底状態より上流のある離散準位である状態を意味する。この状態は、レーザーにおける光子の放出に必要である（量子論より）。
【０１１５】
ミリジュールは、１０００分の１ジュールである。
【０１１６】
本明細書で用いる場合、ミリワットとは、１０００ミリワットが１ワットに等しいことを意味する。小さいレーザーのビーム出力は、ミリワットで測定される。例えば、５０ｍＷのレーザーは、１ワットのレーザーの２０分の１であって、５００ｍＷのレーザーは、１ワットのレーザーの半分である。
【０１１７】
本明細書で用いる場合、モード（ｍｏｄｅ）とは、個別の機能を意味し、前記機能は、レーザー操作の設置、準備、条件、例えば、連続放射、連続パルスまたはグループ化したパルス等を含む。また、「モード」は、前記ビームの断面の形状をも意味する（「ｔｅｍ」を参照）。
【０１１８】
本明細書で用いる場合、変調とは、コントロールとして前記レーザーの出力ビームに外部信号を重ねる能力を意味する。
【０１１９】
本明細書で用いる場合、単一光とは、理論上は、１つだけの波長を含む光を意味する。完全な単一光である光はないため、通常、単一光は、非常に狭い周波数帯の波長を含むものである。レーザーは、最も狭い周波数帯を供給する。
【０１２０】
本明細書で用いる場合、ナノメーターとは、国際単位系（ＳＩ）における長さの単位であって、１メーターの１０億分の１メーターを意味する（１０−９ｍ）。ナノメーターは、ミリミクロンとも呼ばれ、波長を表すために使用される。略記は「ｎｍ」である。
【０１２１】
本明細書で用いる場合、近視野画像化とは、スポットサイズおよびホールジオメトリー（ｈｏｌｅ ｇｅｏｍｅｔｒｙ）の制御、調節可能な作動距離、一様なエネルギー分布、および容易に生成されるスポットサイズの範囲を生じる固相レーザー画像化技術を意味する。
【０１２２】
本明細書で用いる場合、ｎｄ：ガラスとは、特定の産業上の利用において、高出力または短パルスまたは両方を生じるネオジウム：ガラスの固相レーザーを意味する。
【０１２３】
本明細書で用いる場合、ｎｄ：ｙａｇとは、ネオジウム：イットリウムアルミニウムガーネットの固相レーザーを意味し、このレーザーは前記ｎｄ：ガラスレーザーと類似している。どちらとも、フラッシュランプまたはダイオードレーザーによりエネルギーを供給される。
【０１２４】
本明細書で用いる場合、ＮＥＭＡとは、全国電気製造業者協会を意味し、電気機器の安全基準を明確にし、勧告する機関である。
【０１２５】
本明細書で用いる場合、ノイズとは、電気システムにおける、不要な微電流または電圧を意味する。
【０１２６】
本明細書で用いる場合、物体（ｏｂｊｅｃｔ）とは、光学系により映し出されるか、または光学系を通して見える対象または形状（ｆｉｇｕｒｅ）を意味する。
【０１２７】
本明細書で用いる場合、光学濃度とは、フィルター（例えば、アイウェア、視界窓等を用いて）により、特定の波長で与えられる防護係数を意味する。ＣＤのそれぞれの単位は、防護の１０倍増加を示す。
【０１２８】
本明細書で用いる場合、光ポンピングとは、前記レージング媒質を、陽極および陰極からの放電というよりはむしろ光の利用により、励起させることを意味する。
【０１２９】
本明細書で用いる場合、出力結合器とは、光を伝達する共鳴鏡、言い換えると、反対側の一方に完全に反射する共鳴鏡を意味する。
【０１３０】
本明細書で用いる場合、出力とは、前記レーザーから、コヒーレント光で放出される１秒あたりのエネルギーを意味し、前記出力は、たいてい、連続的な波運転ではワット、パルス運転ではジュールで測定される。
【０１３１】
本明細書で用いる場合、最大出力とは、パルスレーザー中の個々のパルスの出力を意味する。これは、前記ジュールのパルスエネルギーを秒単位のパルス幅で割ることにより得られる。例えば、測定値は、メガおよびギガワットに達しうる。
【０１３２】
本明細書で用いる場合、光音響効果とは、非常に短期間で、高エネルギーのレーザーパルスを、例えば、１０秒マイクロ秒未満のパルス時間で、使用することで生じる効果を意味する。かなり多くのエネルギーは吸収され、急速膨張が組織（ｔｉｓｓｕｅ）内で起こり、細胞構造に機械的破壊作用を起こす音響衝撃波が起こる。
【０１３３】
本明細書で用いる場合、光化学効果とは、長い暴露期間から、光熱効果にダメージを与えるに不十分な入射電力レベルで起こる効果を意味する。これは、エネルギーに依存した作用（その吸収速度というよりむしろ吸収された放射総量の働き）である。
【０１３４】
本明細書で用いる場合、光度計とは、光の強度を測定する機器を意味する。
【０１３５】
本明細書で用いる場合、光子とは、量子論において、波と粒子の性質の両方を持つ、光素子単位を意味する。前記光子は、動きはあるが、大きさまたは電荷はない。
【０１３６】
本明細書で用いる場合、光熱効果とは、急なレーザー損傷（言い換えると、照射後すぐの損傷）の損傷メカニズムを意味する。前記表面に入射した放射線は、下にある組織に吸収され、前記組織の温度を、損傷が起こりうるレベルまで増加し、結果としてレーザー熱傷が起こる。これは、出力に依存した作用（エネルギーの総量に関係しているというよりむしろ、エネルギーが吸収される速度の働き）である。
【０１３７】
本明細書で用いる場合、プラズマとは、レーザーによる気体金属の溶接を意味し、前記気体金属は、前記ビームが前記金属ビームと反応するスポット上に生じる。また、あるレーザーの完全なイオン化気体を含む前記レーザー管（プラズマ管、放電管）を表すのに使用される。
【０１３８】
本明細書で用いる場合、偏光とは、前記方向軸（ｖｅｃｔｏｒ ａｘｉｓ）を回転する無数の面というよりはむしろ単一面で、前記電磁場の振動制限を意味する。これは、レージング媒質および光素子の間の接触面での光損失を妨げるために起こる。偏光のいくつかの形態としては、ランダム、線形（面）、垂直、水平、楕円、および円形等がある。２つの偏光素子、いわゆる、ＳおよびＰにおいて、Ｐ素子は、ブルースター角での損失がゼロである。
【０１３９】
本明細書で用いる場合、反転分布とは、以下の状態のことを意味する。レーザー中の分子（原子、イオン）が、基底状態であるよりも、準安定状態であるならば（誘発放出を高い割合で持続する必要がある場合）、「反転分布」が存在しているといわれている。反転分布がなければ、レージング反応は起こりえない。
【０１４０】
パワー密度とは、表面上の一点に集中させた放射パワーの量を意味する。単位は、平方メーターまたは平方センチメーター当たりのワットである。
【０１４１】
本明細書で用いる場合、パルスエネルギーとは、パルス様式がプログラム化されているというよりはむしろ連続運転のレーザーからの単一で、短い放射のエネルギーを意味する。前記パルスレーザーのパルス電力は、ｃｗ放射の数倍以上である。
【０１４２】
本明細書で用いる場合、パルステール（ｐｕｌｓｅ ｔａｉｌ）とは、下降時間を意味し、（特別に混合した気体を用いることで）限られた時間内での、レーザーパルスの高速反復を可能にすることで、前記下降時間を縮めることができる。
【０１４３】
本明細書で用いる場合、Ｑ−スィッチとは、前記ビームの内外に、共振器の通常のＱを「役に立たなく」して、急速に移動するシャッターの働きを持つ装置を意味し、その働きによって、高順位のエネルギーが蓄積されるまで、レージング反応を妨げて、低い状態に保たれる。
結果：通常のＱが蓄積された場合の出力のジャイアントパルス（ｇｉａｎｔ ｐｕｌｓｅ）。
【０１４４】
本明細書で用いる場合、準ＣＷとは、パルス光の中の、音響光学の、電気光学の、電子または機械光学の手法による連続光の脈動を意味し、すなわち、最大出力は、増加したパルスの数により減少する（速度（ｒａｔｅ）を参照）。
【０１４５】
本明細書で用いる場合、輝度（ｒａｄｉａｎｃｅ）とは、輝き、言い換えると、立体角単位あたりおよび放射面の投影面積単位あたりの前記可視光線を意味する。
【０１４６】
本明細書で用いる場合、可視光線とは、波動として移動するエネルギー、特に、電磁波（光、Ｘ線、ラジオ波、ガンマ波）を意味する。
【０１４７】
本明細書で用いる場合、放射流量とは、可視光線の放射量または伝導量を意味する。
【０１４８】
本明細書で用いる場合、放射強度とは、放射パワーまたは放射流量を意味し、前記パワーおよび流量は、所定の期間における、前記光のだいたいの方向での立体角単位あたりの放射として表される。
【０１４９】
本明細書で用いる場合、放射パワーとは、単位あたりに有効な可視光用量、言い換えると、前記放射流量を意味する。
【０１５０】
本明細書で用いる場合、反射率とは、前記入射放射束に対する前記反射放射束の割合または前記物体に位置する光に対する反射光の割合を意味する。
【０１５１】
本明細書で用いる場合、反射とは、面による、波長の変化のない可視光線（入射光）の返りを意味する。
【０１５２】
本明細書で用いる場合、屈折とは、あらゆる波、例えば、電磁波の伝播方向の変化を意味し、異なる速度の波がある媒質から別の媒質へ通過する時に起こる。簡潔に言えば、屈折とは、ある媒質から別の媒質へ、例えば、空気から水へ通過するときの入射光線が曲がることである。
【０１５３】
本明細書で用いる場合、解像能（ｒｅｓｏｌｕｔｉｏｎ）とは、分解力または定量的測度を意味し、これらは、物体における異なる点の分離像を生じるための光学機器能力、言い換えると、識別可能な物体の個別部分、隣接した像または光源を作成する能力を意味する。
【０１５４】
本明細書で用いる場合、レーザー棒または管を含むレーザー空胴を構成する共振器とは、ミラー（または反射器）を意味する。前記ミラーは、光を前後に反射し、外部からの刺激により増幅を蓄積する。放出することは、それらの１つ、言い換えると、部分的に通過できるカプラー（ｃｏｕｐｌｅｒ）を通過することである。
【０１５５】
本明細書で用いる場合、ロックウェルＣとは、金属、例えば、スチールおよびチタンにおける光度を定義するためのスケールまたは基準を意味する。
【０１５６】
本明細書で用いる場合、固相レーザーとは、前記レージング媒質が、固体物質、例えば、ルビーロッド（ｒｕｂｙ ｒｏｄ）であるレーザーを意味する。これらは、フラッシュランプまたはダイオードにより、光学的にエネルギーを供給することができる。ダイオードレーザーは、光を生じさせるために、電気的に励起させた固体を使用するということから、固相レーザーは、ダイオードレーザーをも含む。一般に、固相レーザーは、ライトショーに使用するには、非常に高価である。これは、次の数年間で交換しなければならない。もっとも有力な固相レーザーは、ｎｄ：ｙａｇと呼ばれる物質を使用していて、前記物質は、赤外線を発する。これは、周波数を二倍にして（第２次高調波発生）、５３２ｎｍで６０ワット以下の緑色光を生じることができる。前記緑色光を、再び、周波数を２倍にして（第４次高調波発生）、２６６ｎｍで数ワット以下のｕｖ光を生じることができる。
【０１５７】
本明細書で用いる場合、分光応答とは、波長の関数としての、単色光に対する装置または材料の応答を意味する。
【０１５８】
本明細書で用いる場合、誘発放出とは、レージング可能な原子、イオンまたは分子が、電荷または別の方法により、より高いエネルギーレベルに励起する場合、通常の基底状態に減衰させるように、自然に、光子を放出することを意味する。もし、その光子が、準安定なエネルギーレベルである同一周波数の別の原子の近くを通過すれば、第２の原子が刺激され、光子を放出する。両光子は、同一の波長、いそう、および空間干渉性をもつ。この方法で増幅される光は、強力光、コヒーレント光（平行（ｃｏｌｌｉｍａｔｅｄ）またはパラレル（ｐａｒａｌｌｅｌ））、および単色光、つまり、レーザー光である。
【０１５９】
本明細書で用いる場合、ＴＥＭとは、横型磁界の略記を意味する。
【０１６０】
電磁モードは、作用しているレーザービームの横断面の形を示す。無限の形を生じることができるが、しかし、比較的にわずかな数の形状のみが、産業において利用するにあたって必要とされている。
【０１６１】
例えば、「より高いＴＥＭ、より粗い焦点」
ＴＥＭ００は、ガウス曲線モードを示し、これは、完全に平行であって、掘削、溶接および切断のために高電力密度の最小スポットを生じる。
【０１６２】
ＴＥＭ０１とは、特殊応用のためにビームを２等分することを示す。
【０１６３】
本明細書で用いる場合、しきい値（ｔｈｒｅｓｈｏｄ）とは、レーザー媒質の励起状態の間に、レージングが始まる値を意味する。
【０１６４】
本明細書で用いる場合、伝導とは、光学において、媒質を通じた可視光線（光）の通過を意味する。
【０１６５】
本明細書で用いる場合、透過率とは、入射した可視光線に対する透過した可視光線の割合または媒質を通過した光の割合を意味する。
【０１６６】
本明細書で用いる場合、けられとは、完全な束が通過しなかった場合の光素子を通じた光の損失、言い換えると、次第に背景の中にぼやけていく像または映像を意味する。
【０１６７】
本明細書で用いる場合、可視光の伝導／透過率とは、フィルターを通過して目に有効な可視光量を意味する。大雑把に言うと、常にではないが、光密度が増加すると、可視光伝導波は減少する。
【０１６８】
本明細書で用いる場合、ワットとは、レーザーにおける、パワーの客観的計測値を意味し、通常、レーザービームの光学的出力または強さを意味する。また、ワットは、通常の意味として、レーザーによる電力使用を測定することにも使われる。例えば、１０Ｗ（光）アルゴンレーザーは、約１００００Ｗの電力を消費する。
【０１６９】
本明細書で用いる場合、波とは、波動または振動の動きの形状を意味し、すべての可視光の電磁スペクトルが、前記形状により伝わるとされている。
【０１７０】
本明細書で用いる場合、波長とは、光の基本的な特性であって、光の波の長さを意味し、光の波の長さは、その色で共通の測定の単位（たいてい、波の頂点から頂点まで）を決められている。可視光は、約７００ナノメーター（赤）からオレンジ（〜６００ｎｍ）、黄色（〜５８０ｎｍ）、緑（〜５５０ｎｍ）、青（〜４５０ｎｍ）および紫（〜４００ｎｍ）の範囲の波長を持つ。
【０１７１】
本明細書で用いる場合、白色光ビームとは、広く、異なる波長（色）を含むレーザービームを意味し、前記ビームは、そのため、白色のように見える。もし、前記ビームがプリズムまたは回折格子を通過すると、前記ビームは、それぞれの単一波長により、個々のレーザービームに分けられる。さらに具体的には、白色光ビームは、正確な色の均等化のためには、緑色光および青色光の２倍の赤色光を含んでいるのが理想的である（付録（ａｐｐｅｎｄｉｘ）を参照）。単一白色レーザーからか、単一ビームを組み合わせたビームの２つまたは３つのレーザーからでもつくることができる。白色光ビームは、主として、ＲＧＢレーザープロジェクターとして使用されている。光の「等量混合物」を構成要素とすることについてのより情報が必要であれば、白色光レーザーの定義を参照。
【０１７２】
本明細書で用いる場合、白色光レーザーとは、多くの波長（色）を同時に生じることができる多くのレーザーを意味する。白色光レーザーは、赤、緑および青の波長のバランスがよいように設計されている。例えば、前記レーザーは、ＲＧＢレーザープロジェクターを対象としている。（あるモデルは、意図的に黄色光を加えて、特殊な４色のプロジェクターとした。）多くの白色光レーザーは、アルゴン／クリプトンガス混合物を使用している。所望の色を均等なバランスにすること、およびこのバランスをレーザー管の寿命の間中常に保持することはは多少難しい。現在、「白色光」と呼ばれるレーザーの正確な波長および色の割合を定義した基準はない。加えて、求められている色のバランスは、光度計で同量、または視覚的に同量として定義することができる。視覚的にした場合、緑に影響されやすいことが多いため、視覚的等量または「明所思的均等」は、緑の出力よりも赤および青の出力がおおよそ５倍である。多くの白色光レーザーは、現在、明所思的には、均等でない。
【０１７３】
本明細書で用いる場合、後天性免疫不全症候群とは、ウィルスが原因となり、体の免疫防御の破壊を特徴とする生命を脅かす疾患を意味する。本明細書で用いる場合、種特異的較正基準は、体の外表面を妨げることなく免疫不全症候群を引き起こすウィルスの効率的な還元を意味する。
【０１７４】
本明細書で用いる場合、能動免疫とは、有機体またはワクチンが引き起こす疾患または本発明の処置による刺激に反応して、発生する免疫を意味し、ここで血液は、体内を循環するか、または本発明の方法によるオプトロニック透析療法を通じて体から体への循環すると、本発明の方法による治療の結果として、治療反応が起こる。
【０１７５】
本明細書で用いる場合、無γグロブリン血症とは、免疫グロブリン、および／または抗体の全般的な欠如を意味する。
【０１７６】
本明細書で用いる場合、アレルゲンとは、アレルギー、および／またはＭＨＣ１、２、３型および／またはそれらのあらゆる組み合わせの誤って機能することによるアレルギー性反応を引き起こす何らかの基質を意味する。
【０１７７】
本明細書で用いる場合、アレルギーとは、通常は無害な基質に対する前記免疫系の不適当で、有害な反応を意味する（すなわち、例えば、アレルギー性反応を参照）。
【０１７８】
本明細書で用いる場合、アナフィラキーショックとは、生命を脅かすアレルギー性反応を意味し、前記反応は、気管を含む体の組織が膨張すること、呼吸困難、および血圧の急落を特徴とする。
【０１７９】
本明細書で用いる場合、アネルギーとは、不応答の状態を意味し、Ｔ細胞抗原受容体が刺激されることに誘発され、Ｔ細胞の応答が凍結し、前記抗原提示細胞からの第２のシグナルを保留させる状態を意味する。
【０１８０】
本明細書で用いる場合、抗体は、抗原に反応することでＢ細胞により作られ、分泌され、特異的に抗原と反応することができる可溶性タンパク質分子を意味する。
【０１８１】
本明細書で用いる場合、抗体依存性細胞障害（ＡＤＣＣ）とは、抗体が標的細胞をコーティングすることで、免疫細胞により攻撃されやすくする免疫応答を意味する（コーティングおよびマーキング細胞参照）。
【０１８２】
本明細書で用いる場合、抗原とは、体内に取り込まれた場合に、免疫系により認識されるあらゆる物質を意味する。
【０１８３】
本明細書で用いる場合、抗原提示細胞とは、単球系のＢ細胞（マクロファージおよび樹状細胞を含む）、および、Ｔ細胞が認識できる形態で抗原を提示するその他のさまざまな細胞を意味する。
【０１８４】
本明細書で用いる場合、抗核抗体（ＡＮＡ）とは、細胞核内の物質に対して反応する自己抗体を意味する。
【０１８５】
本明細書で用いる場合、抗血清とは、抗体を含む血清を意味する。
【０１８６】
本明細書で用いる場合、水の屈折率は、１．３であり、空気の屈折率は、１．００である。よって、光がリアルタイムで流動する液体導波管と共役すると、Ｔ．Ｉ．Ｒ．（全内部反射）により閉じ込められて反射し、本発明の方法に従う光ジェット（ＵＶジェット）を発生する。
【０１８７】
本明細書で用いる場合、抗毒素とは、特定のバクテリアにより生産される毒素と結合し、不活性化する抗体を意味する。
【０１８８】
本明細書で用いる場合、虫垂とは、腸におけるリンパ器官を意味する。
【０１８９】
本明細書で用いる場合、弱毒化とは、弱体化、つまり、もはや伝染性ではない（無害な形態である）ことを意味する。
【０１９０】
本明細書で用いる場合、自己抗体とは、個体の自己組織に対して反応する抗体を意味する。
【０１９１】
本明細書で用いる場合、自己免疫疾患とは、免疫系が誤って個体自身の組織を攻撃することとなる疾患を意味する。例えば、関節リウマチおよび全身性エリテマトーデスは、自己免疫疾患である。
【０１９２】
本明細書で用いる場合、バクテリウムとは、単細胞からなる微視的な有害微生物（ｍｉｃｒｏｏｒｇａｎｉｓｍ）を意味する。すべてではないが、その多くのバクテリアが疾患の原因となる。
【０１９３】
本明細書で用いる場合、好塩基球とは、炎症反応に寄与する白血球を意味する。マスト細胞とともに、好塩基球は、アレルギー症状（および／またはアレルギー反応）を引き起こす。
【０１９４】
本明細書で用いる場合、Ｂ細胞とは、免疫防御に不可欠な小さい白血球を意味する。また、Ｂリンパ球として知られており、骨髄に由来し、抗体を産生する形質細胞に分化する。
【０１９５】
本明細書で用いる場合、生物反応修飾物質（ＢＲＭ）とは、正常免疫防御を促進、指示または回復する天然または合成物質を意味する。ＢＲＭは、インターフェロン、インターロイキン、胸腺ホルモンおよびモノクローナル抗体を含む。
【０１９６】
本明細書で用いる場合、バイオテクノロジーとは、物質を生成または修飾するために、生体またはそれらの生成物を使用することを意味する。バイオテクノロジーは、組み換えＤＮＡ技術（例えば、遺伝子工学等）およびハイブリドーマ技術を含む。
【０１９７】
本明細書で用いる場合、骨髄とは、骨の腔に位置する軟組織を意味する。骨髄は、すべての血液細胞の源となる。
【０１９８】
本明細書で用いる場合、細胞性免疫とは、（抗体等の液性分子とは異なる）免疫細胞の直接作用により提供される免疫防御を意味する。
【０１９９】
本明細書で用いる場合、染色体とは、遺伝子を有する細胞核の物理的構造を意味する。ヒト細胞は、それぞれ、２３対の染色体を有する。
【０２００】
本明細書で用いる場合、補体カスケードとは、通常、抗原／抗体複合体により引き起こされ、捕体系のそれぞれの成分が、順々に活性化される正確な一連の事象を意味する。
【０２０１】
本明細書で用いる場合、定常領域とは、各抗体クラスを特徴付ける抗体構造の一部を意味する。
【０２０２】
本明細書で用いる場合、副刺激とは、抗原提示細胞からＴ細胞への第二シグナルの伝達を意味する。第二シグナルは、活性化Ｔ細胞をアレルギーから救出し、さらなるＴ細胞の成長に必要なリンフォカインを産生することを許容する。
【０２０３】
本明細書で用いる場合、サイトカインとは、細胞から分泌される強力な化学物質を意味する。サイトカインは、リンパ球から産生されるリンフォカインおよび単球およびマクロファージにより産生されるモノカインを含む。
【０２０４】
本明細書で用いる場合、樹状細胞とは、脾臓およびその他のリンパ器官において見受けられる白血球を意味する。樹状細胞は、通常、触手のような細いもの（ｔｈｅａｄ）を使って抗原を網にかけ、それらをＴ細胞に提示する。
【０２０５】
本明細書で用いる場合、ＤＮＡ（デオキシリボ核酸）とは、細胞核に見受けられ、遺伝情報を提示する担体である核酸を意味する（ＲＮＡ（リボ核酸）またはその組み合わせ参照）。
【０２０６】
本明細書で用いる場合、酵素とは、タンパク質であって、生体細胞により産生され、自身が変化することなく生物の化学プロセスを促進するたんぱく質を意味する。
【０２０７】
本明細書で用いる場合、好酸球とは、寄生生物に損傷を与える化学薬品、および、炎症反応を静める酵素で満たされている顆粒を含む白血球を意味する
本明細書で用いる場合、エピトープとは、抗原の表面上に保因される独特の形または標識であって、対応する抗体応答を引き起こすものを意味する。
【０２０８】
本明細書で用いる場合、菌類とは、比較的原始的な植物のクラスの一員を意味する。菌類は、キノコ、酵母、錆菌類、カビおよび黒穂病菌を含む。
【０２０９】
本明細書で用いる場合、遺伝子とは、例えば、所定のタンパク質を産生するといった特定の機能を実行するために、細胞が使用する命令を担う遺伝物質（ＤＮＡ）の単位を意味する。
【０２１０】
本明細書で用いる場合、移植片対宿主疾患（ＧＶＨＤ）とは、例えば、移植医療処置等の際、移植された免疫担当細胞が、移植者の組織を攻撃する、生命を脅かす反応を意味する。
【０２１１】
本明細書で用いる場合、顆粒球とは、細胞に（有害性および無害性の）微生物（ｍｉｃｒｏｏｒｇａｎｉｓｍ）を消化させる、または、炎症反応を引き起こさせる強力な化学薬品を含む顆粒で満たされた白血球を意味する。例えば、好中球、好酸球および好塩基球が、顆粒球である。
【０２１２】
本明細書で用いる場合、ヘルパーＴ細胞とは、通常、Ｔ４標識をもち、抗体産生の刺激、細胞障害性Ｔ細胞の活性化および多くのその他の免疫応答の開始に必須な一部のＴ細胞を意味する。
【０２１３】
本明細書で用いる場合、血球新生とは、通常、骨髄で起こる、血球の形成と分化を意味する。
【０２１４】
本明細書で用いる場合、組織適合性試験（ＨＣＴ）とは、移植提供者の組織の自己抗原（ＨＬＡ）と受容者のそれらとを適合させる手段を意味する。その適合性が密接であればあるほど、移植処置がうまくいく可能性が増す。
【０２１５】
本明細書で用いる場合、ＨＩＶ（ヒト免疫不全ウィルス）とは、エイズを起こすウィルスを意味する。
【０２１６】
本明細書で用いる場合、ヒト白血球抗原（ＨＬＡ）とは、組織適合性試験で使用される自己標識のタンパク質を意味する。ＨＬＡの型には、ある種の自己免疫疾患と相関するものもある。
【０２１７】
本明細書で用いる場合、体液性免疫とは、体液中、主に、血清やリンパ液中を循環する、例えば、抗体のような水溶性因子による免疫防御を意味する。
【０２１８】
本明細書で用いる場合、ハイブリドーマとは、Ｂリンパ球と長寿命の腫瘍性形質細胞とを融合させて、または、Ｔリンパ球とリンパ腫細胞とを融合させて作られるハイブリッド細胞を意味する。
【０２１９】
本明細書で用いる場合、ＶＯＣｓ還元とは、流動液体導波管を利用した揮発性有機化合物の還元を意味する。（流動液体導波管は、ＴＯＣ還元にも、同様の原理で利用される。）
本明細書で用いる場合、低ガンマグロブリン血症とは、免疫グロブリンのレベルが、異常に低いことを意味する。
【０２２０】
本明細書で用いる場合、イディオタイプとは、抗体の可変領域の独特で特徴的な部分であって、抗原として機能する細胞を抑えることができるものを意味する。
【０２２１】
本明細書で用いる場合、免疫複合体（ＩＣ）とは、一群のインターロイキン、抗原および抗体を意味する。
【０２２２】
本明細書で用いる場合、免疫応答とは、夾雑物に対する免疫系の反応を意味する。
【０２２３】
本明細書で用いる場合、免疫学的検定とは、物質を同定および定量するために抗体を使用する試験を意味する。前記抗体は、しばしば、例えば、蛍光物質、放射性物質、酵素またはこれらの組み合わせのような標識と結びつけられる。
【０２２４】
本明細書で用いる場合、免疫応答性とは、免疫応答を構築する能力を意味する。
【０２２５】
本明細書で用いる場合、免疫グロブリンとは、抗体としても知られる巨大なタンパク質分子のファミリーを意味する。
【０２２６】
本明細書で用いる場合、免疫抑制とは、例えば、移植拒絶反応を抑えるために薬剤を投与し、免疫応答を弱化することを意味する。
【０２２７】
本明細書で用いる場合、免疫毒素複合体とは、天然毒素、毒性薬剤、放射性物質またはこれらの組み合わせと結びつけられたモノクローナル抗体を意味する。
【０２２８】
本明細書で用いる場合、炎症反応とは、感染に応答し、血流、免疫細胞の流入および分泌が増加した結果作り出された、赤み、温覚、腫脹、痛みおよび／または機能低下を意味する。
【０２２９】
本明細書で用いる場合、インターロイキンとは、リンフォカインおよびモノカインの主要なグループを意味する。
【０２３０】
本明細書で用いる場合、クップファー細胞とは、肝臓において特殊化したマクロファージを意味する。
【０２３１】
本明細書で用いる場合、ＬＡＫ細胞とは、実験室で、リンフォカイン活性化キラー細胞に形質転換され、腫瘍細胞を攻撃するリンパ球を意味する。
【０２３２】
本明細書で用いる場合、ランゲルハンス細胞とは、皮膚において抗原を拾得し、リンパ管へ運ぶ樹状細胞を意味する。
【０２３３】
本明細書で用いる場合、白血球とは、全ての白血球を意味する。
【０２３４】
本明細書で用いる場合、リンパとは、透明なわずかに黄色の液体であって、リンパ球を運び、体内組織を満たし、リンパ管に排出されるものを意味する。
【０２３５】
本明細書で用いる場合、リンパ管とは、血管に似た、体全体に広がる通路のネットワークであって、リンパを免疫器官および血流中に輸送するものを意味する。
【０２３６】
本明細書で用いる場合、リンパ節とは、免疫系における小さな豆状の器官であって、体全体に広く分布し、リンパ管と結びついているものを意味する。リンパ節は、Ｂ、Ｔおよびその他の免疫細胞の駐屯地である。
【０２３７】
本明細書で用いる場合、リンパ球とは、リンパ器官で産生され、免疫防御において最重要である、小さな白血球を意味する。
【０２３８】
本明細書で用いる場合、リンパ器官とは、免疫系の器官であって、リンパ球が分化し、集合する器官を意味する。リンパ器官には、骨髄、胸腺、リンパ節、脾臓およびその他さまざまなリンパ組織の一群が含まれる。血管およびリンパ管もまた、リンパ器官と考えられる。
【０２３９】
本明細書で用いる場合、リンフォカインとは、リンパ球から分泌される強力な化学物質を意味する。これらの可溶性分子は、免疫応答を指示し制御することに役立つ。
【０２４０】
本明細書で用いる場合、マクロファージとは、巨大で多目的な免疫細胞であって、微生物（ｍｉｃｒｏｂｅ）を大食する食細胞、抗原提示細胞および重要な免疫分泌源として作用するものを意味する。
【０２４１】
本明細書で用いる場合、主要組織適合遺伝子複合体（ＭＨＣ）とは、免疫応答におけるいくつかの局面を制御する遺伝子の一群を意味する。ＭＨＣ遺伝子は、全ての体細胞における自己標識をコードする。
【０２４２】
本明細書で用いる場合、マスト細胞とは、組織において見受けられる顆粒を含む細胞を意味する。マスト細胞の内容物は、好塩基球のそれらとともに、アレルギーの症状を引き起こす。
【０２４３】
本明細書で用いる場合、微生物（ｍｉｃｒｏｂｅ）とは、バクテリア、ウィルス、菌類および原生動物を含む微少な生物を意味する。
【０２４４】
本明細書で用いる場合、微生物（ｍｉｃｒｏｏｒｇａｎｉｓｍ）とは、微視的な植物および動物を意味する。
【０２４５】
本明細書で用いる場合、分子とは、特定の化学物質がそのままで存在することができる最小の量を意味する。（分子をその構成原子まで分解すると、その性質が変化する。例えば、水分子は、酸素と水素に逆戻りする。）
本明細書で用いる場合、モノクローナル抗体とは、単一細胞またはそれと同一の子孫から産生され、所定の抗原に特異的な抗体を意味する。特定のタンパク質分子に結合する道具として、研究、医学および産業上、非常に貴重である。
【０２４６】
本明細書で用いる場合、単球とは、巨大な食細胞の白血球であって、組織に侵入するとマクロファージに分化するものを意味する。
【０２４７】
本明細書で用いる場合、モノカインとは、単球およびマクロファージから分泌される強力な化学物質を意味する。これらの可溶性分子は、免疫応答を指示し制御することに役立つ。
【０２４８】
本明細書で用いる場合、ナチュラルキラー（ＮＫ）細胞とは、顆粒でみたされた巨大なリンパ球であって、腫瘍細胞および感染した体細胞と対決するものを意味する。これらは、最初に特定の抗原を認識することなく攻撃するので、ナチュラルキラーをして知られる。
【０２４９】
本明細書で用いる場合、好中球とは、十分に存在する重要な食細胞である白血球を意味する。
【０２５０】
本明細書で用いる場合、核酸とは、ヌクレオチドとして知られる化学的な基礎的要素からなる自然に発生する巨大分子を意味する。
【０２５１】
本明細書で用いる場合、ＯＫＴ３とは、成熟Ｔ細胞を標的とするモノクローナル抗体を意味する。
【０２５２】
本明細書で用いる場合、日和見感染とは、健康な免疫系の人であれば通常問題とならない生物による、免疫抑制された人における感染を意味する。
【０２５３】
本明細書で用いる場合、オプソニンを作用させるとは、食細胞に食べられやすくするように、生物を抗体や捕体タンパク質でコートすることを意味する。
【０２５４】
本明細書で用いる場合、生物とは、単一の生存する物を意味する。
【０２５５】
本明細書で用いる場合、寄生生物とは、別の生体内で生存し、成長し、もしくは、別の生体を栄養源とする植物または動物を意味する。
【０２５６】
本明細書で用いる場合、受動免疫とは、別の個体で産生された抗体や血清を移入する結果えられる免疫を意味する。
【０２５７】
本明細書で用いる場合、バイエル板とは、腸管におけるリンパ組織の集合体を意味する。
【０２５８】
本明細書で用いる場合、食細胞とは、微生物（ｍｉｃｒｏｂｅ）、その他の細胞および／または夾雑物を摂取することで免疫防御に寄与する巨大な白血球を意味する。
【０２５９】
本明細書で用いる場合、形質細胞とは、Ｂ細胞から分化した巨大な抗体産生細胞を意味する。
【０２６０】
本明細書で用いる場合、血小板とは、血液凝固および創傷封鎖に重要な細胞断片を含む顆粒を意味する。血小板は、また、免疫応答にも寄与する。
【０２６１】
本明細書で用いる場合、多形体とは、多形核白血球または顆粒球の省略形を意味する。
【０２６２】
本明細書で用いる場合、タンパク質とは、アミノ酸で構成される有機化合物を意味する。タンパク質は、植物、動物およびヒト細胞の主要な構成要素の一つである。
【０２６３】
本明細書で用いる場合、原生動物とは、単一細胞動物の一群であって、まれに、ヒトの疾病（マラリアおよび睡眠病のタイプを含む）を引き起こすものを意味する。
【０２６４】
本明細書で用いる場合、リウマチ因子とは、大部分の関節リウマチの患者の血清に見受けられる自己抗体を意味する。
【０２６５】
本明細書で用いる場合、ＲＮＡ（リボ核酸）とは、細胞の細胞質および核で見受けられる核酸を意味する。ＲＮＡの働きの一つは、タンパク質合成を指示することである。
【０２６６】
本明細書で用いる場合、スカベンジャー細胞とは、異物、死んだ組織またはその他の細胞を飲み込み、破壊する能力を有する多種多様の細胞群を意味する。
【０２６７】
本明細書で用いる場合、ＳＣＩＤマウスとは、それ自身の免疫系を構築するために必要な酵素を欠き、ヒト細胞または組織を注入されるとヒト免疫系のモデルとなることが可能な実験動物を意味する。
【０２６８】
本明細書で用いる場合、血清とは、血液を凝固させた場合に、その血液から分離される澄んだ液体を意味する。これらの体液は、全血に存在したあらゆる抗体を保有する。
【０２６９】
本明細書で用いる場合、重症複合免疫不全症（ＳＣＩＤ）とは、全ての主要免疫防御を欠いて誕生した幼児における、生命を脅かす状態を意味する。
【０２７０】
本明細書で用いる場合、脾臓とは、免疫系活動の重要な中心である腹腔のリンパ器官を意味する。
【０２７１】
本明細書で用いる場合、幹細胞とは、全ての血液細胞が由来する細胞を意味する。骨髄は、幹細胞に富む。
【０２７２】
本明細書で用いる場合、サブユニットワクチンとは、病原菌の全部ではなくその一構成要素のみを用いて免疫応答を刺激することを意味する。
【０２７３】
本明細書で用いる場合、スーパー抗原とは、ある種のバクテリア毒素を含むクラスの抗原であって、大規模で損害を与える免疫応答を発揮させるものを意味する。
【０２７４】
本明細書で用いる場合、サプレッサーＴ細胞とは、抗体産生およいその他の免疫応答を止める一部のＴ細胞を意味する。
【０２７５】
本明細書で用いる場合、Ｔ細胞とは、免疫防御を統合し、および／または、直接参加する小さいな白血球を意味する。また、Ｔリンパ球としても知られ、胸腺で処理され、リンフォカインを分泌する。
【０２７６】
本明細書で用いる場合、胸腺とは、胸部の上部にある主要なリンパ器官を意味する。Ｔリンパ球は、胸腺で増殖し、成熟する。
【０２７７】
本明細書で用いる場合、ＴＩＬとは、腫瘍浸潤リンパ球を意味する。これらの免疫細胞は、腫瘍組織から抽出され、実験室において処理され、再び、癌患者へ注入される。
【０２７８】
本明細書で用いる場合、組織適合試験（ｔｉｓｓｕｅ ｔｙｐｉｎｇ）とは、組織適合性試験（ＨＣＴ）を意味する（ＭＨＣおよびＨＣＴ参照）。
【０２７９】
本明細書で用いる場合、寛容（ｔｏｌｅｒａｎｃｅ）とは、特定の抗原または抗原群に対して無応答の状態を意味する。
【０２８０】
本明細書で用いる場合、扁桃およびアデノイドとは、咽喉の両側に突出した楕円の大きなリンパ組織を意味する。
【０２８１】
本明細書で用いる場合、毒素とは、植物およびバクテリアにより産生される薬品であって、通常、哺乳類細胞には非常に有害であるものを意味する。毒素は、モノクローナル抗体またはリンフォカインと結びつけることで、標的細胞に直接届けることが可能である。
【０２８２】
本明細書で用いる場合、ワクチンとは、感染性の生物の抗原性の構成要素を含む物質を意味する。ワクチンは、疾病ではなく免疫応答を刺激することで、前記生物によるその後の感染を防御する。
【０２８３】
本明細書で用いる場合、可変領域とは、抗体同士で異なる抗体構造の部分を意味する。
本明細書で用いる場合、ウィルスとは、感染症を引き起こす微視的（顕微鏡的）以下の微生物（ｍｉｃｒｏｂｅ）を意味する。ウィルスは、生体細胞の中でのみ増殖できる。
【０２８４】
本明細書で用いる場合、リビドー−プラニック（Ｌｉｂｉｄｏ− ｐｒａｎｉｃ）とは、活力が増大した状態（つまり、プラナ（ｐｒａｎａ）、プラニック（ｐｒａｎｉｃ）という言葉は、活力若しくは豊富な活力の状態を意味する）、身体が調和し、免疫系が静止し、ごくわずかな生物学的特定起源や、自然により能力が与えられる状態を意味する。リビドーは、身体が調和および／または参照され、身体のシステムに負荷がかかることなく、気分が向上した状態、すなわち、リビドー−プラニック状態が誘導された結果誘引される官能的な衝動である。
【０２８５】
本明細書で用いる場合、共振させる（ｒｅｓｏｎａｔｉｖｉｓｔｉｃ）とは、高い最大出力のエネルギーを適用した場合、放出され、合わされ、バイオマスを生じさせる共振の状態を意味し、本明細書で用いる場合、かかる共振は、保持媒質または媒材の膨張、割合または密度に左右され、前記用語は、光および音、超音波および機械的、および生理学的処理が、共振を生じ、その原因となる状態を示し、前記共振が、前記毒性種の要素、器官または細胞の独自の共振に利用されると、これらは、前記バイオマスを同定し、認識し、選択し、区分しおよび不活性化し、解離し、振動させる。
【０２８６】
本明細書で用いる場合、以下の用語は、光化学の理解を深めることを含み、特定の要旨を、明瞭で、精通しているもので抜粋した。
【０２８７】
紫外および光化学における、所定の物理定数とは、以下の表を意味する。
【０２８８】
【表２】
2004513034.tif 000005
さらに、これとともに、光の特性および注釈を含む：
本明細書で用いる場合、プランクの放射法則において、光とは、粒子および波の特性の両方を持つことを意味する。これら２つの特性の関係は、プランクの放射法則で示されている。
【０２８９】
本明細書で用いる場合、光化学的波動変化とは、本願明細書のように意図する：
本願明細書で用いる場合、光化学的な波長の範囲は、例えば、１００〜１０００ｎｍである。１０００ｎｍよりも長い波長を持つ光子は、吸収すると、化学変化を誘導するほど小さい光子エネルギーを持ち、１００ｎｍより短い波長を持つ光子は、イオン化および放射線化学の分子崩壊特性が生じるほどの光子エネルギーを持つ。本明細書で用いる場合。光化学的波長の範囲は、以下のとおり、種名によってバンドが分けられる。
【０２９０】
2004513034.tif 000006
少しの光化学は、近赤外で起こる。ただし、一部の光合成バクテリアを除く。前記バクテリアは、９８０ｎｍ以上の波長の太陽エネルギーを貯蓄することが可能である。前記可視領域は、緑色植物および藻類の光合成を完全に活発にさせる領域である。また、多くの色素は、それ自身の光化学形質転換または別の分子の感作反応を受けることができる。光化学における多くの研究は、前記紫外領域に関する。前記ＵＶＣ領域は、タンパク質、ＲＮＡおよびＤＮＡにより吸収され、細胞の変異および／または細胞死の原因となるため、非常に危険である。前記ＵＶＣ領域は、時には、バクテリアおよびウィルスの不活化にとても効果的であるため、殺菌領域ともいわれる。前記真空紫外領域は、ほとんどすべての物質（水および空気を含む）により吸収される。すなわち、これは、真空内でのみ伝達することができる。ＶＵＶ光子の吸収は、１つ以上のボンド（ｂｏｎｄ）を誘導する。
【０２９１】
しかしながら、５６１．６ｎｍより小さい波長を持つ光子がＨ２Ｏ２分子を分離することができても、この波長帯において、光分解またはタンパク質分解は起こらない。なぜならば、Ｈ２Ｏ２分子は、３００ｎｍ以下になるまで紫外光を吸収しはじめないためである。これは、光化学の第１法則に説明されており、言い換えると、光化学反応は、光の光子が吸収されるまで起こることができない。
【０２９２】
本明細書で用いる場合、コヒーレント光およびインコヒーレント光とは、コヒーレント（すべての放出光子が、同位相である）、インコヒーレント（すべての放出光子が、ランダム位相である）である光化学的特性を用いた光源を意味する。すべてのレーザーは、可干渉放射で、たいてい１つの波長で放出する。前記分散は、レーザービームが伝搬させた場合でも、本来の直径または近い状態である程度にとても小さく、他の光源すべてにより放出された光はインコヒーレントである。これらの光源の多くは、「熱素子」光源（例えば、白熱電球）または「プラズマ」光源（例えば、蛍光電球）である。
【０２９３】
本明細書で用いる場合、点光源とは、有限次元（例えば、円筒型）を持つ光源を意味する。かかる光源からの放射は、数学的処理が難しい。点光源の集合としての光源を作ることが都合よく、すべての光は、すべての点に同等に前記点から放出される。点光源のオプティックス処理は、特に単純である。
【０２９４】
本明細書で用いる場合、光の放射に関連する用語および概念には、明らかな説明および本発明の方法の理解を単純化する説明を含み、特に、光化学を必要とするか、または光化学ポリシング（ｐｏｌｉｓｈｉｎｇ）は、本発明による工程にかかわっている場合はそうである。
【０２９５】
光源から放出された光は、多くの異なる方法でみられている。この章において、この放出を説明するのに用いられている種々の用語を、定義し、説明する。
【０２９６】
本明細書で用いる場合、可視光線とは、以下のことを意味する：
可視光線（Ｑ）は、所定の時間における、光源からの放射発散度の総量（Ｊ）である。
【０２９７】
本明細書で用いる場合、放射パワーとは、以下のことを意味する：
光源の放射パワー（Ｐ）は、光源よりすべての方向に放射される可視光線または全放射パワー（Ｗ）の量である。例えば、太陽の放射パワーは、３−８４２ｘ１０２６Ｗである。理論上、Ｐは、前記光源により放射されるすべての波長を含んでいなくてはならないが、Ｐは、所定の光化学特性の波長の範囲に限定されることが多い。例えば、もし光源に紫外線の光化学特性が使用されていれば、Ｐは、２００〜４００ｎｍの紫外線の範囲に特定される。
【０２９８】
本明細書で用いる場合、放射パワー効率とは、以下のことを意味する：
放射パワー効率（ｑ）は、
Ｑ＝Ｐ／ｅ
として定義されている。
【０２９９】
ここで、ｅとは、供給された入力電力（Ｗ）である。
【０３００】
放射率（ｒａｄｉａｎｔ ｅｍｉｔｔａｎｃｅ）または放射発散度（ｒａｄｉａｎｔ ｅｘｉｔａｎｃｅ）とは、以下のことを意味する：
前記光源の放射率または放射発散度は、前記光源の表面上の極小面から放射される前記放射パワーである。
【０３０１】
本明細書で用いる場合、放射強度とは、以下のことを意味する：
放射強度（Ｉ）（Ｗ ｓｒ−１）は、光源より、所定の方向にだいたい極小の立体角で放射される全放射パワーＰである。
【０３０２】
輝度（ｒａｄｉａｎｃｅ）とは、以下のことを意味する：
輝度（ｒａｄｉａｎｃｅ）（Ｌ）は、前記光源面の極小面ｄＡから、所定の方向に、前記立体角ｄｉで放射され、前記立体角ｄｉと、直行した投影面により分けられる前記放射パワーｄ２Ｐとして定義されている。
【０３０３】
極小面要素ｄＡからの放射率（ｅｍｉｔｔａｎｃｅ）Ｍは、半球のｄＡ上の外方向を超えて球座標におけるＬを積分することにより得られる。
【０３０４】
等方性光源は、すべての外方向に均一である輝度（ｒａｄｉａｎｃｅ）Ｌとして定義されている。光の授受に関係する用語および概念は、光が光源から放射されると、光は光の速さで外に向かって放射され、光が物と衝突すると、光は反射され、伝達されまたは吸収される。光の授受に関係するいろいろな用語がある。
【０３０５】
フルエンス率とは、以下のことを意味する：
フルエンス率（Ｅ）（Ｗ ｍ−２）とは、全方向から、断面積ｄの極小球を通じて伝わるすべての波長の放射パワーを、ＣＭで割ったものである
放射照度とは、以下のことを意味する：
放射照度（記号Ｅ、単位Ｗ ｍ−２）は、はっきりと分けられないような極小要素の表面部分に入射する波長の全放射パワーとして定義されている。以下は、「放射照度」および「フルエンス率」の間の特性および違いに関する重要な部分を示す。
【０３０６】
例えば：
散乱または反射していない平行で、垂直な入射ビームに関して、放射照度およびフルエンス率は同一である。３次元の容器内のいかなるＵＶ源に関して、容積の内面にわたるＵＶ放射照度の積分は、ランプのＵＶパワーを与える。これは、真のＵＶフルエンス率ではない。
【０３０７】
特に、近傍に１つ以上のＵＶランプがあれば、微生物は、あらゆる方向からのＵＶ力を受け取ることができるため、ＵＶ消毒に必要な条件は、「ＵＶフルエンス率」である。前記放射照度またはフルエンス率は、ＭＷｃｍ−２としてあらわされる。前記放射照度は、「光強度」と、たびたび不正確に呼ばれ、上記のように「放射照度」と適切に呼ばれるべきである。
【０３０８】
光量またはフルエンスとは、以下のことを意味する。
【０３０９】
前記光量またはフルエンス（記号Ｈ、単位Ｊｍ−２）は、極小の球面の断面積ｄＡを通過し、全方向から伝達された全波長の全放射エネルギーをｄＡで割ったものである。平均フルエンス率は、露光時間を１秒にすることで得られる。前記ＵＶ量という用語は、ＵＶ消毒文献において頻繁に用いられる。これは、前記殺菌領域における特定の生物の前記ＵＶ露光を意味する。
【０３１０】
分光ユニット（ｕｎｉｔ）とは、以下のことを意味する：
光発光または入射といったすべての用語は、すべて波長に関連している。各々のこれらの用語からの分光は派生語を定義することができる。例えば、ＬＩＶランプの光パワー放射は、スペクトルパワー（Ｗ ｎｍ−１）として表され、バンドの幅により分けられた狭波長帯における電力出力として定義される。地球上で受ける太陽のスペクトルは、太陽スペクトル放射照度といった用語として記載されている。また、ランプ発光の分光分布は、スペクトルパワーと波長の関係を示す図表で与えられる。
【０３１１】
光子ベースユニットとは、以下のことを意味する：
光化学は、光の光子と、分子の相互作用を含み、光子に基づいた定義ユニットを意味する。
【０３１２】
光子放射照度、光子フルエンス率および光子流量とは、以下のことを意味する：
各々の分光用語は、狭波長帯における平均光子エネルギーによる用語に分けることで、対応する等しい光子流量およびフルエンス率に集めることができる。
【０３１３】
量子収量とは、以下のことを意味する：
前記量子収量（単位：Ｑ）は、光化学反応の光子効率の測定値である。ｅは、形成された生成物のモル数またはアインシュタインの光子吸収量あたりの除去された反応物（Ｐ）を示す。
【０３１４】
線波源とは、以下のことを意味する：
原子が、励起状態になると、これらは、ほとんど発光していない状態で、間接的に、非常に細い線でのみ発する。低圧水銀ランプは、この型で非常に一般的なランプである。表３に、低圧水銀放電ランプの発光線での波長および相対発光を示す。
【０３１５】
ある放射装置および関連光源（レーザー）およびランプは、より長い波長を発する。このことは、非常に一般的な蛍光灯の基礎となっている。
【０３１６】
例えば、ガスの圧力が低い（＜１０ｔｏｒｅ）と、水銀ランプの発光線は鋭いだけである。前記圧力が増加すると、このランプは、ずっと大きな出力を起こすことができるが、前記発光線は広がる。同じ長さのランプ（約１２０ｃｍ）について、中圧ランプ（約１０００ｔｏｒｅの圧力）は、３００００Ｗまでに達することができる。これらのランプは、紫外線を利用した市販されているシステムで、非常に一般的である。図５には、紫外領域における低圧ランプおよび中圧ランプの発光の対比を示す。
【０３１７】
エキシマーランプとは、以下のことを意味する。
【０３１８】
エキシマーランプは、狭周波数帯の波長を発する点で特徴的である。エキシマーは、原子二量体であって、その二量体は、励起状態でのみ安定で、崩壊により、基底状態に解離する。表４は、一般的なエキシマーランプの音波の波長を示す。
【０３１９】
例：放射波長（または一部の一般的なエキシマーランプ）：
【０３２０】
【表３】
2004513034.tif 000007
フラッシュランプ：
フラッシュランプは、連続的な波（ＣＷ）に類似しているが、（ＰＷ）、パルスモード運転で操作することができ、各々の末端に電極をもつ円筒形の石英管を含むランプであって、前記石英管は、ｇａ．１／２（例えば、キセノン）で満たされている。大量の電気エネルギーを非常に短い期間（ｓｅｖｅｒａｌ ｕｓ）に放電することにより、非常に高い電圧（１０−３０ｋＶ）を供給し、電力はランプを輝かせる。得られたプラズマは、１００００〜１３０００Ｋの温度に達し、前記放射物は、本質的には、完全放射体になる（図４参照）。市販のフラッシュランプシステムのランプは、閃光は、例えば、１秒あたり約３０回だが、特殊な電子パルス回路が与えられると、反復率が、Ｋｈｚの状態に達することができる。
【０３２１】
ＦＥＬとは、自由電子レーザーおよびその誘導体を意味し、ここで、空間電荷技術（例えば、静電加速自由電子レーザー）は、電子パルス回路、充電を含み、加速器（例えば、Ｒ．Ｆ．線形加速器）は、電子あたりの光子生産量（約１００００００００光子）、例えば、電子あたり約１光子を持つ結晶関連レーザーの対比に関係し、これは、それらの操作に関連してあまりメンテナンスが要らないレーザーであり、それらの埋め込みコンセント効率は、各々４０〜５１％、あたりに達し、正確なポンプジオメトリーを使用している。
【０３２２】
ＥＡＦＥＬという用語は、静電加速自由電子レーザーを意味し、非常に効率的なレーザーポンプジオメトリであって、ここで、加速電子の還流は、減速技術を利用することにより実行されていて、それらの埋め込みコンセント効率は、５５％付近に達すると見積もられている（それらの運転により消費される電気から生産されるか、または変換される光量）。
【０３２３】
生物学的に機能強化されるか、または光化学的にポリッシュされた（ｐｏｌｉｓｈｅｄ）飲料水または呼吸用空気とは、本発明の方法を通過するか、または本発明の方法により処理されたあらゆる液体または気体（例えば、水および／または気体）を意味し、さらに具体的には、ポリシング（ｐｏｌｉｓｈｉｎｇ）することおよび機能強化することを含む工程は、光学的不活性化、消毒、ＤＮＡおよび／またはＲＮＡ複製配列の不活性化、光触媒作用、電気触媒、光触媒および電気触媒の混成物（ｈｙｂｒｉｄ）、光解離、生理学的解離、バイオマス拡張（ｅｘｐａｎｓｉｏｎ）、濾過（前／後）、物理的分離および選別、再活性化、活性化、超音波、音波、電気音波、電気−光学処理（光線の光子による）を含み、光通過物および液体、気体または、それらを組み合わせたもののために、同時におよび／または別々に、好気的で、毒性のない通過性を持つ光子バンドギャップ波長管を通じて、前記液体および気体を逸するか、または転換する。
【０３２４】
最大出力とは、短い時間で、電磁エネルギーをスクィージング（ｓｑｕｅｅｚｉｎｇ）したときに（例えば、パルス状にしたとき）、生じたエネルギーおよびを意味し、例えば、約１秒（１ｓ）のパルス幅を持続するか、それを持つパルスの所定の平均エネルギーおよびパワーが、数ワットの最大出力を発生し、マイクロ秒（ｍｓ）のパルス幅を持続するか、または持つパルスが、キロワットに大きさに達する最大出力を発生し、一方で、ナノ秒（ｎｓ）のパルス幅を持続するパルスが、１００万ワットに達する最大出力を発生することであって、これは、コントロールおよび診断のための光解離、光学的不活性化、光ポリシング（ｐｏｌｉｓｈｉｎｇ）、および光分泌、および分光学等の目的に特に有用であり、要するに、より短いパルス時間で、より大きなその最大出力を目的としたことに有用である。
【０３２５】
多光子−吸収プロセスとは、ハーネスが前記光化学に非常に有用であるとき、本発明によるプロセスを含む工程を意味し、例えば、１０ｍＪのエネルギー（２５００００光子）が、液体または気体に放射されるとき、発射にかかる時間はとても重要であり、これらの光子に、１秒の時間領域を与えると、前記液体または気体中の電子にとって、緩和状態にまで緩めることができる十分な時間が残るが、これらの光子に、５ナノ秒の時間を与えると、緩和状態にまで緩めることができる時間が残らないことから、前記プロセンスは、多光子吸収プロセスと呼ばれ、これらのプロセスは、事実上リニア（ｌｉｎｅａｒ）ではなく、より高い量子収量、効率、再活性化測度、光処理、プロセッシングおよびポリシング（ｐｏｌｉｓｈｉｎｇ）のためのより効率的な方法をもたらす。
【０３２６】
ハイブリッド光源とは、複数の光の光源を意味し、さらに、それらの全分光放射力（ｓｐｅｃｔｒａｌ ｅｍｉｔｔａｎｃｅ）、全分光分布またはそれらの全放射照度（ｉｒｒａｄｉａｎｃｅ）は、それらの時間領域をスーパーインポーズする（ｓｕｐｅｒ ｉｍｐｏｓｉｎｇ）ことにより（例えば、１つの光源が、１ｓパルス時間といった程度に遅く、他の光源が、５ｎｓレーザーといった程度にとても速い）、多光子吸収プロセスを生じ、それらの全放射照度は、本発明の方法の工程を有効に生じさせるために、最適であって、有用であり、さらには、かかるハイブリダイゼーションは、ランプとレーザー、レーザーとフラッシュランプ、ＣＷのいかなる組み合わせまたはＰＷ型の光源を一緒に作用させることを、光子相互作用を最大限にする時間領域操作により、同時に、および／または連続して、連結させて、分解させることを含み、ハイブリッド光源は、例えば、触媒シンチレーティング要素化合物を、本発明にしたがって誘引させることに有用である。
【０３２７】
光触媒作用とは、光の光子エネルギーの使用して化学反応を触媒することを意味する。さらに具体的には、かかる反応は、水の水素および酸素への分解、および水性環境下での有機汚染物質を完全に酸化することを含む。さらに具体的には、触媒作用の第一工程は、電子を、荷電子帯（ＶＢ）から伝導帯（ＣＢ）へ励起させることを目的として、触媒物質に光の光子を吸収させ、このようにして、電子正孔対を作る。ついで、再結合が起こる前に、各々の種を、前記表面に移動させなくてはいけない。もし、この条件が適応していれば、前記電子を、分子を吸収する面に移動でき、それを還元できる。全工程を詳述し、効率的に反応を起こす工程（前記電子正孔対の早期再結合を予防すること）のために重要な部分を示し、還元率および酸化率を比較すべきである。前記バンド端の位置は、前記工程の各々の段階において重要であって、水中で安定である光触媒物質は、ＴｉＯ２（または、酸化チタンとして知られている）である。
【０３２８】
電気触媒、光触媒作用の説明に類似しているが、光子の代わりに電荷を、半導体材料の使用のために用い、前記半導体は、使用する電荷で選ばれており（その禁止帯幅）、本明細書で用いる場合、水で安定な電気触媒は、Ｉ．Ｔ．Ｏであって、その化学名およびシグネチャ（ｓｉｇｎａｔｕｒｅ）は、インジウムスズ酸化物として知られている。さらには、同時に、連続的に、順次に、いっせいに、電気触媒および光触媒作用を組み合わせて、両方を作動することに特に有用であって、または、集団能率を最大限にする目的で、各々分離した触媒を、個々に誘導することで、本発明の方法により、電流およびさらなる触媒技術の進化の遂行を利用し、改善していく。
【０３２９】
＜ＴＢＯＤＹ＞
本明細書で用いる場合、アブレーション（ａｂｌａｔｉｏｎ）とは、溶融、蒸発または気化による材料または組織の除去を意味する。
【０３３０】
本明細書で用いる場合、吸収（ａｂｓｏｒｂ）とは、例えば、温度上昇により、可視光線を種々の形状に変化させることを意味する。
【０３３１】
本明細書で用いる場合、吸光度とは、温度および波長に依存した放射線を吸収する媒質の能力を意味し、前記透過率の常用対数に負号をつけたものとして表す。
【０３３２】
本明細書で用いる場合、活性媒質とは、所定の波長で、吸収よりもレージング（ｌａｓｉｎｇ）が起こる媒質を意味する。
【０３３３】
本明細書で用いる場合、空気冷却レーザーとは、前記電源装置を通じて、前記レーザー管を超えて、空気を送り込むファン（ｆａｎ）を用いたレーザーを意味する。前記ファンの音が、時々不都合であるが、空気冷却レーザーは、水を供給することが必要ない点が有用である。たいてい、小および中出力レーザーが、空気冷却レーザーである。とても小さいレーザー、例えば、ヘリウムネオンレーザーはファンが不必要である。技術的には、これは、対流による「空気冷却」であるが、前記用語は、たいてい、ファンの力で冷却するものに使用される。
【０３３４】
本明細書で用いる場合、増幅とは、レーザー共振器空胴での照射野の増殖を意味し、光波がミラー空胴管を行き来するため、これは、前記活性媒質を通じた各々の放射を促進させる増幅器である。
【０３３５】
本明細書で用いる場合、振幅とは、中間点から端点まで測定した前記電磁波の最大値を意味する。
【０３３６】
本明細書で用いる場合、オングストローム単位とは、光の波長の測定単位を意味し（Åと記載する）、１メーターの１００億分の１に等しく（１０−１０メーター）、時々使用する。
【０３３７】
本明細書で用いる場合、陽極とは、レーザー励起において、陰極から電子が誘引される電気要素を意味し、陽極は、水によるか、または放射により直接冷却することができる。
【０３３８】
本明細書で用いる場合、ａｒコーティングとは、無反射コーティングを意味し、出力を減少させる不要な多重反射を抑えつために、レーザー出力ミラーの後ろに使用される。
【０３３９】
本明細書で用いる場合、アルゴンレーザーとは、アルゴンガスが充填されてレーザーを意味する。これは、緑色光および青色光を放つ。もっとも強いラインは、５１４ｎｍ（緑）および４８８ｎｍ（青）である。アルゴンレーザーは、小さいもので１５ミリワット、１０ボルトの空気冷却モデルから、大きいもので、５０ワット、４４０ボルトの水冷却システムの範囲である。アルゴンレーザーは、適度な費用で弱い光を供給するため、アルゴンレーザーは、ライトショーレーザーに最も多くみられる。
【０３４０】
本明細書で用いる場合、平均電力とは、パルスレーザー１秒における、すべての単一の不連続なパルスのエネルギーの和を意味する。
【０３４１】
本明細書で用いる場合、オートコリメーターとは、望遠鏡およびコリメータの機能を組み合わせて、それ自身の平行光を用いて、ミラーの小さな角変異を検出するための単独の機器を意味する。
【０３４２】
本明細書で用いる場合、軸流レーザーとは、単純で、最も効率的なガスレーザーを意味する。気体の軸流は、管を通じて保持させ、放電により枯渇した気体分子を補充し、気体分子をレージング状態に励起させるために使用する。
【０３４３】
本明細書で用いる場合、軸、光学軸とは、レンズシステムのための光中心線を意味する。前記線は、レンズの光学面の湾曲中心を通過する。
【０３４４】
本明細書で用いる場合、ビーム直径とは、出力の８６％を含むビームの一部の直径を意味する。
【０３４５】
本明細書で用いる場合、ビームエキスパンダーとは、ビーム直径を増加させ、ビームの開きを減少させる光学装置を意味する。
【０３４６】
ビーム・スプリッティングとは、種々または同一のエネルギーのレーザービームを、２つまたはそれ以上のビームに光学的に分割することを意味する。
【０３４７】
本明細書で用いる場合、ブルースター・ウィンドー（ｂｒｅｗｓｔｅｒ ｗｉｎｄｏｗｓ）とは、透明光学材料の作成および前記レーザーにおけるブルースター角の評価に用いられる前記レーザー管の伝達可能な端（または両端）を意味し、垂直偏光の反射による損失をゼロにする。標準外の工業用レーザーにおいて、偏光が必要である場合に使用される。
【０３４８】
本明細書で用いる場合、明るさ（ｂｒｉｇｈｔｎｅｓｓ）とは、科学的に前記ビームのパワーを測定するのに相反して、光ビームの発光パワーに対する視感覚を意味する。
【０３４９】
本明細書で用いる場合、カロリメーターとは、レーザービームの吸収により生じる熱を測定する、言い換えると、レーザー出力測定する機器を意味する。
【０３５０】
本明細書で用いる場合、陰極とは、レージング媒質を励起させるために使用する放電のために電子を供給する要素を意味する。
【０３５１】
本明細書で用いる場合、ＣＯ２レーザーとは、工業的に広く使用されていて、最初のレージング媒質が二酸化炭素であるレーザーを意味する。
【０３５２】
本明細書で用いる場合、同軸気体とは、被削面を流れる不活性ガスの妨遮体で処理したレーザー溶接を意味し、前記妨遮帯は、プラズマ酸化および吸収を抑え、くずを吹きとばし、熱反応を制御する。前記ガスジェットは、前記ビームと同じ軸を持つため、それら二つは一緒に対象とすることができる。
【０３５３】
本明細書で用いる場合、コヒーレント光、可干渉放射とは、互いに同調して振動している波列を構成する放射を意味する。干渉波は、同じ周波数および同じ位相（時間干渉性）ですべて同じ方向（空間干渉性）に進行する。レーザーは、コヒーレント光を生じ、従来光源は、インコヒーレント光を生じる。
【０３５４】
本明細書で用いる場合、平行光とは、互いに平行に進行するビーム光線を意味する。
【０３５５】
本明細書で用いる場合、コリメーションとは、発散光が平行光に変換される工程を意味する
本明細書で用いる場合、収束とは、収束（凸）レンズにより、互いの方向に光線が曲がることを意味する。
【０３５６】
本明細書で用いる場合、電力飽和とは、コンダクターにおける電力の最大の供給量を意味する。レーザーでは、さらなる電荷は、レージング反応を増加させない。
【０３５７】
本明細書で用いる場合、ＣＷとは、パルス運転に対して、レーザーの連続的な波の略記を示す。
【０３５８】
本明細書で用いる場合、被写界深度とは、前記ビームの動作範囲、波長、焦点を合わせない状態のビームの直径および前記レンズの焦点距離の関数を意味する。細径のスポットサイズ、したがって、高い電子密度を獲得するためには、短い被写界深度を受け入れなくてはならない。
【０３５９】
本明細書で用いる場合、ウォーターレーザーとは、水中でレージングを作成することを意味し、流れる液体波を利用することで、流れる光動波型空胴の配列を導き、それらを利用して、ウォーターレーザーを作成する。
【０３６０】
本明細書で用いる場合、ダイクロックフィルターおよびミラーとは、光学メッキされたガラス片を意味し、これらは、ある特定の色（波長）を通し、残りの色を反射させる。
【０３６１】
ダイクロックフィルターは、レーザープロジェクターにおいて、必要に応じて、特殊な色を組み合わせるか、または取り除くために使われる。ダイクロックミラーは、特定の波長のレーザーからの光反射量を最大限にするために使用される。ダイクロックミラーおよびフィルターは、前記メッキ部分に損傷を与えないように注意して扱わなくてはならない（カラーボックスを参照）。
【０３６２】
本明細書で用いる場合、ダイオードレーザーとは、コヒーレント光を生じるＬＥＤ（発光ダイオード）に類似した半導体を意味する。ダイオードレーザーは、小さく、効率的であって、これらは、コンパクトディスクプレーヤーおよびペン型のレーザーポインターに使用されている。一般的には、ダイオードレーザーは、ライトショーに使用するには、薄暗く、高価である。これは、おそらく、次の数年間で交換することが多い（固相レーザーを参照）。
【０３６３】
本明細書で用いる場合、発散度とは、前記レーザービームが、遠視野、すなわち、凹面レンズまたは凸面鏡により、互いに離れた射線の屈曲で露光する角度を意味する。
【０３６４】
本明細書で用いる場合、偏角とは、出力（振幅または周波数のどちらか）のすべての好ましくない偏差を意味し、前記ビームの偏角は、暖機の前、間、および後に、ミリラジアンで測定される。
【０３６５】
本明細書で用いる場合、衝撃係数とは、完全な仕事サイクル時間に対して、前記レーザービームが、実際に、切り離し、掘削し、溶接し、または熱処理する時間の長さを意味する。
【０３６６】
本明細書で用いる場合、電磁波とは、振動するか、または増進している電荷から外へ向かって伝わる妨害を意味する。電磁波としては、ラジオ波、Ｘ線、ガンマ線および赤外、紫外および可視光があげられる。
【０３６７】
本明細書で用いる場合、放射率とは、放射が起こる割合を意味する。前記割合は、電源により放射されたエネルギーと、同一の温度で、完全放射体により表面に放射された前記放射エネルギーとの割合である。
【０３６８】
本明細書で用いる場合、露光量とは、単位面積当たりの表面上に入射した全放射エネルギーの量、すなわち、放射露光量を意味する。
【０３６９】
本明細書で用いる場合、遠視野イメージングとは、固相レーザーでのイメージング技術を意味し、前記固相レーザーは、均一でないエネルギー分布、とても短い作動距離、およびホールジオメトリー（ｈｏｌｅ ｇｅｏｍｅｔｒｙ）の制御不全といった、いくつかの制限がある。
【０３７０】
本明細書で用いる場合、ファイバー光学ケーブルとは、柔軟性ガラスまたはプラスチック線を意味し、前記ガラスまたはプラスチック線は、ケーブル状であって、ある場所から別の場所へ、光を伝えるために使用される。これには、ステップインデックスファイバーおよびグレートインデックスファイバーといった２つの主要な型がある。これらの２つの主要な型のうちに、さらに、２つの部分群がある。
【０３７１】
伝導ファイバーは、少ない損失で、ビームを伝導することができる。これらは、離れて設置された放射装置へ、前記レーザー光を送信するために使用される。
【０３７２】
ディスプレイファイバー（サイドグローファイバー（ｓｉｄｅ ｇｌｏｗ ｆｉｂｅｒｓ）として既知である）は、ケーブルジャケットがなく、そのため、ある光をストランド（ｓｔｒａｎｄ）の側面の外側へ散乱させる。前記ストランド自身は、微小ネオン管のように見え、対象の周りをラップする（ｗｒａｐｐｅｄ）レーザー−リット（ｌａｓｅｒ−ｌｉｔ）「ホイップ（ｗｈｉｐ）」またはグローイング（ｇｌｏｗｉｎｇ）「ロープ（ｒｏｐｅ）」といった特殊な効果となる。
【０３７３】
本明細書で用いる場合、フラッシュランプとは、しばしば、らせんコイルを形成している強力な光源を意味し、固相レーザーにおいて、光子の放出を生じさせるために使用される。
【０３７４】
本明細書で用いる場合、蛍光とは、光により衝撃を与えた場合、物質に誘導される白熱光を意味する。融解石英のブルースター・ウィンドー（ブルースター・ウィンドー（ｂｒｅｗｓｔｅｒ ｗｉｎｄｏｗｓ））は、ＵＶ光に蛍光を発し、放射されたレーザーの吸収を増加し、レーザーのモードおよび出力を低下させる。
【０３７５】
本明細書で用いる場合、流量（ｆｌｕｘ）とは、光ビームの放射または発光のパワーを意味し、すなわち、ある面を透過した時間当たりの放射エネルギーの流量を意味する。
【０３７６】
本明細書で用いる場合、フォーカス（ｆｏｃｕｓ）とは、名詞の場合、光線がレンズによって一点に集められる点を意味し、動詞の場合、はっきりとした像を得るために焦点距離を調節することを意味する。
【０３７７】
本明細書で用いる場合、焦点（ｆｏｃａｌ ｐｏｉｎｔ）とは、動作面に対して、前記ビームの焦点が、臨界効果、例えば、ドリルで開けた穴の深さおよび形状といった効果をもつものを意味する（レーザーが動作する場合での、「フォーカス（ｆｏｃｕｓ）」の最初の定義と同様である）。前記焦点（ｆｏｃａｌ ｐｏｉｎｔ）が表面上にある場合、穴の直径は一様である。前記フォーカス（ｆｏｃｕｓ）が前記表面以下である場合、円錐形の穴があけられる。
【０３７８】
本明細書で用いる場合、湾曲した共振器とは、前記内部の光路長をミラーによって屈曲させた構造の共振器を意味し、前記ミラーを前の位置で合わせた場所にはめ込んだすみ木上に設置することで、小型の容器において長いレーザー空胴を持つことを可能にした。
【０３７９】
本明細書で用いる場合、周波数とは、単位時間に固定点を通過した光波の数またはある期間における完全な振動数を意味する。
【０３８０】
本明細書で用いる場合、ゲイン（ｇａｉｎ）とは、増幅のさらなる期間を意味し、一般的には、個体数反転を達成するレージング媒質の効率を意味する。高いゲインは、例えば、前記光波がミラー空胴の間での通過あたり５０％以上である。
【０３８１】
本明細書で用いる場合、ガス放電レーザーとは、ガラス管中にガス状レージング媒質を含むレーザーを意味し、その管中で、前記レーザーは励起するために使用された電気または化学薬品により枯渇した前記分子を、一定流量の気体が補給する。前記放出された気体は、節約のためにフィルターにかけ、９０％を再利用することができる。
【０３８２】
本明細書で用いる場合、ガスジェットアシスト（ｇａｓ ｊｅｔ ａｓｓｉｓｔ）とは、共通軸を持った気体、例えば、酸素、アルゴンまたは窒素を促進させることを意味し、これは、ある金属を切断するために、非常に高い電力レベルを達成するために使用される。
【０３８３】
本明細書で用いる場合、ガス供給レーザーとは、レーザー照射器を意味し、前記レーザー照射器は、かなり小さい共振器の構造のうちで、非常に高いビーム出力を発生する。長い電極が、前記軸に対して平行に配置され、気体が、前記共振空胴に行き渡る。
【０３８４】
本明細書で用いる場合、ガウスとは、「正常曲線」または「正常分布」、例えば、修正されていなく、焦点のあっていないレーザービームにより、その最適モードで作成された対照なベル（ｂｅｌｌ）型の穴を意味する。ガウス型レーザービームは、中央部にそのエネルギーが集中している。
【０３８５】
本明細書で用いる場合、ＨＡＺとは、熱影響部またはレーザービームおよび金属（または他のもの）表面が接触している領域を意味する。
【０３８６】
本明細書で用いる場合、ヘリウム−ネオンレーザーとは、活性媒質がヘリウムおよびネオンの混合物であって、領域が可視域内である（「ＨｅＮｅ」）レーザーを意味する。前記レーザーは、アライメント、記録、印刷、および測定産業において広く使用され、また、不可視ＣＯ２レーザー光のポインターまたはアライナー（ａｌｉｇｎｅｒ）としても利用されている。
【０３８７】
本明細書で用いる場合、ヒートシンク（ｈｅａｔ ｓｉｎｋ）とは、製造工程から（またはレーザーによる反射光線から）の、不必要な熱を放散させるか、または吸収するために用いられる本体または装置を意味する。
【０３８８】
本明細書で用いる場合、ヘルツとは、承認された国際的単位であって、簡潔には、Ｈｚを意味し、ＣＰＳすなわちサイクル／秒の代わりとなるものである。
【０３８９】
本明細書で用いる場合、像（ｉｍａｇｅ）とは、レンズまたはミラーにより生み出される物体の光学的複製物を意味する。例えば、収束レンズは、光線を一点に集め、「実」像を形成し、写真を撮ることができる。負のレンズは、光線を拡散させ、「虚」像を形成するため、投影することができない。
【０３９０】
本明細書で用いる場合、入射光とは、レンズの表面またはその他のものに当たる光線を意味する。「入射角度」は、前記表面に対して垂直方向な前記光線とのなす角度によって形成される。
【０３９１】
本明細書で用いる場合、強度とは、単位、すなわち時間または反射面あたりの放射エネルギー（光）の絶対値を意味する。
【０３９２】
本明細書で用いる場合、イオンレーザーとは、非常に高い放電電流を用いて、小径口を通過させて希ガス、例えば、アルゴンまたはクリプトンをイオン化するレーザーの型を意味する。前記イオン化工程は、レージングを生じるために反転分布を引き起こすことによって行う。リサーチレーザーは、ある産業上の利用に有用である。
【０３９３】
本明細書で用いる場合、イオン化とは、イオンが形成される工程を意味する。
【０３９４】
本明細書で用いる場合、イラジエーション（ｉｒｒａｄｉａｔｉｏｎ）とは、可視光線、例えば、熱線、Ｘ線または光による照射用量、言い換えると、放射照度と時間の積を意味する。
【０３９５】
本明細書で用いる場合、ジュールとは、ワット／秒、言い換えると、パルス運転で、しばしばレーザー出力で得られる測定値を意味する。
【０３９６】
本明細書で用いる場合、クリプトンレーザーとは、主として、クリプトンガスで充填されたレーザーを意味する。「すべての系」または「白色」オプティックスを用いると、赤色、黄色、緑色および青色光を生じる。「赤色だけ」のクリプトンレーザーは、特に、非常に強い６４７ｎｍの赤色線を出力するテーラードオプティックスに使用される。クリプトンはアルゴンに類似している（同一の管デザインで、両方に使用することができる）。しかしながら、クリプトンガスは、相当値のアルゴンガスに比べて少ない光（出力）しか生じない。強力な赤色光が必要な場合、最初にクリプトンレーザーを使用する。
【０３９７】
本明細書で用いる場合、レーザーとは、「Ｌｉｇｈｔ Ａｍｐｌｉｆｉｃａｔｉｏｎ ｂｙ Ｓｔｉｍｕｌａｔｅｄ Ｅｍｉｓｓｉｏｎ ｏｆ Ｒａｄｉａｔｉｏｎ」由来の頭文字である「Ｌａｓｅｒ」を意味する。
【０３９８】
装置は、光のコヒーレントビームを生じる、前記ビームは、長い距離において平行の状態で、いつまたはそれ以上の非常に純粋な色を含む。
【０３９９】
本明細書で用いる場合、ライトショーレーザーは、一般に、高電圧電流を用いて、前記ガスをイオン化する（白色光に前記ガスを与える）ガス充填管である。前記管のそれぞれの端にあるミラーは、「誘発放出」と呼ばれる処理を増幅するのを助ける。前記誘発放出光の多くは、２つのミラーの間を移動し、１％〜４％の間で、前記ミラーの１つから放出され、われわれが目にしている光束を生み出す。
【０４００】
前記ガスは、前記ビームの色（または発色）を測定するために使用される。ガスレーザーは、依然として、圧倒的にディスプレイに使用されている。ガスレーザーとしては主に使用されている４つの型は、ヘリウムネオン混合物、アルゴン、クリプトン、およびアルゴンクリプトン「混合ガス」混合物である。
【０４０１】
本明細書で用いる場合、レーザー発振とは、レーザー空胴末端にあるミラー間の干渉波の蓄積を意味する。ＣＷモードでは、波は、ミラー間をいったり来たりして、少量のエネルギーをそれぞれのトリップ（ｔｒｉｐ）に伝搬され、パルス運転では、放出は即時に起こる。
【０４０２】
本明細書で用いる場合、レーザーロッドとは、固相、棒状レージング媒質を意味し、その中でのイオン励起は、強い光源、例えば、フラッシュランプ等により起こる。さまざまな材料が前記棒に使用されていて、最近では、合成ルビー結晶が使用された。
【０４０３】
本明細書で用いる場合、光とは、目により検出できる可視の電磁波の周波数領域または約４００〜７５０ナノメーターの波長領域を意味する。時々、光起電力効果および可視限界を超えた放射をも含むことがある。
【０４０４】
本明細書で用いる場合、光調節とは、放電電流を制御することにより、出力を一定レベルに保持するための電力調節を意味する。
【０４０５】
本明細書で用いる場合、明度（ｌｕｍｉｎａｎｃｅ）とは、一般的に、照度（ｉｌｌｕｍｉｎａｔｉｏｎ）と呼ばれているものを意味し、光を受ける面のある場所の単位面積あたりに前記光束または可視流量（ｖｉｓｉｂｌｅ ｆｌｕｘ）を意味する。
【０４０６】
本明細書で用いる場合、メニクスレンズとは、最初に、干渉性により、ＣＯ２レーザーに使用されるレンズを意味する。前記レンズは、片面が凸面で、もう片方が凹面である。
【０４０７】
本明細書で用いる場合、準安定状態（ｍｅｔａｓｔａｂｌｅ， ｍｅｔａｓｔａｂｌｅ ｓｔａｔｅ）とは、不安定な状態、言い換えると、分子エネルギーが、最も低いか、または基底状態より上流のある離散準位である状態を意味する。この状態は、レーザーにおける光子の放出に必要である（量子論より）。
【０４０８】
ミリジュールは、ジュールの１０００分の１である。
【０４０９】
本明細書で用いる場合、ミリワットとは、１０００ミリワットが１ワットに等しいことを意味する。小さいレーザーのビーム出力は、ミリワットで測定される。例えば、５０ｍＷのレーザーは、１ワットのレーザーの２０分の１であって、５００ｍＷのレーザーは、１ワットのレーザーの半分である。
【０４１０】
本明細書で用いる場合、モード（ｍｏｄｅ）とは、個別の機能を意味し、前記機能は、レーザー操作の設置、準備、条件、例えば、連続放射、連続パルスまたはグループ化したパルス等を含む。また、「モード」は、前記ビームの断面の形状をも意味する（「ｔｅｍ」を参照）。
【０４１１】
本明細書で用いる場合、変調とは、コントロールとして前記レーザーの出力ビームに外部信号を重ねる能力を意味する。
【０４１２】
本明細書で用いる場合、単一光とは、理論上は、１つだけの波長を含む光を意味する。完全な単一光である光はないため、通常、単一光は、非常に狭い周波数帯の波長を含むものである。レーザーは、最も狭い周波数帯を供給する。
【０４１３】
本明細書で用いる場合、ナノメーターとは、国際単位系（ＳＩ）における長さの単位であって、１メーターの１０億分の１メーターを意味する（１０−９ｍ）。ナノメーターは、ミリミクロンとも呼ばれ、波長を表すために使用される。略記は「ｎｍ」である。
【０４１４】
本明細書で用いる場合、近視野画像化とは、スポットサイズおよびホールジオメトリー（ｈｏｌｅ ｇｅｏｍｅｔｒｙ）の制御、調節可能な作動距離、一様なエネルギー分布、および容易に生成されるスポットサイズの範囲を生じる固相レーザー画像化技術を意味する。
【０４１５】
本明細書で用いる場合、ｎｄ：ガラスとは、特定の産業上の利用において、高出力または短パルスまたは両方を生じるネオジウム：ガラスの固相レーザーを意味する。
【０４１６】
本明細書で用いる場合、ｎｄ：ｙａｇとは、ネオジウム：イットリウムアルミニウムガーネットの固相レーザーを意味し、このレーザーは前記ｎｄ：ガラスレーザーと類似している。どちらとも、フラッシュランプまたはダイオードレーザーによりエネルギーを供給される。
【０４１７】
本明細書で用いる場合、ｎｅｍａとは、全国電気製造業者協会を意味し、電気機器の安全基準を明確にし、勧告する機関である。
【０４１８】
本明細書で用いる場合、ノイズとは、電気システムにおける、不要な微電流または電圧を意味する。
【０４１９】
本明細書で用いる場合、物体（ｏｂｊｅｃｔ）とは、光学系により映し出されるか、または光学系を通して見える対象または形状（ｆｉｇｕｒｅ）を意味する。
【０４２０】
本明細書で用いる場合、光学濃度とは、フィルター（例えば、アイウェア、視界窓等を用いて）により、特定の波長で与えられる防護係数を意味する。ＣＤのそれぞれの単位は、防護の１０倍増加を示す。
【０４２１】
本明細書で用いる場合、光ポンピングとは、前記レージング媒質を、陽極および陰極からの放電というよりはむしろ光の利用により、励起させることを意味する。
【０４２２】
本明細書で用いる場合、出力結合器とは、光を伝達する共鳴鏡、言い換えると、反対側の一方に完全に反射する共鳴鏡を意味する。
【０４２３】
本明細書で用いる場合、出力とは、前記レーザーから、コヒーレント光で放出される１秒あたりのエネルギーを意味し、前記出力は、たいてい、連続的な波運転ではワット、パルス運転ではジュールで測定される。
【０４２４】
本明細書で用いる場合、最大出力とは、パルスレーザー中の個々のパルスの出力を意味する。これは、前記ジュールのパルスエネルギーを秒単位のパルス幅で割ることにより得られる。例えば、測定値は、メガおよびギガワットに達しうる。
【０４２５】
本明細書で用いる場合、光音響効果とは、非常に短期間で、高エネルギーのレーザーパルスを、例えば、１０秒マイクロ秒未満のパルス時間で、使用することで生じる効果を意味する。かなり多くのエネルギーは吸収され、急速膨張が組織（ｔｉｓｓｕｅ）内で起こり、細胞構造に機械的破壊作用を起こす音響衝撃波が起こる。
【０４２６】
本明細書で用いる場合、光化学効果とは、長い暴露期間から、光熱効果にダメージを与えるに不十分な入射電力レベルで起こる効果を意味する。これは、エネルギーに依存した作用（その吸収速度というよりむしろ吸収された放射総量の働き）である。
【０４２７】
本明細書で用いる場合、光度計とは、光の強度を測定する機器を意味する。
【０４２８】
本明細書で用いる場合、光子とは、量子論において、波と粒子の性質の両方を持つ、光素子単位を意味する。前記光子は、動きはあるが、大きさまたは電荷はない。
【０４２９】
本明細書で用いる場合、光熱効果とは、急なレーザー損傷（言い換えると、照射後すぐの損傷）による損傷メカニズムを意味する。前記表面に入射した放射線は、下にある組織に吸収され、前記組織の温度を、損傷が起こりうるレベルまで増加し、結果としてレーザー熱傷が起こる。これは、出力に依存した作用（エネルギーの総量に関係しているというよりむしろ、エネルギーが吸収される速度の働き）である。
【０４３０】
本明細書で用いる場合、プラズマとは、レーザーによる気体金属の溶接を意味し、前記気体金属は、前記ビームが前記金属ビームと反応するスポット上に生じる。また、あるレーザーの完全なイオン化気体を含む前記レーザー管（プラズマ管、放電管）を表すのに使用される。
【０４３１】
本明細書で用いる場合、偏光とは、前記方向軸（ｖｅｃｔｏｒ ａｘｉａｌ）を回転する無数の面というよりはむしろ単一面で、前記電磁場の振動制限を意味する。これは、レージング媒質および光素子の間の接触面での光損失を妨げるために起こる。偏光のいくつかの形態としては、ランダム、線形（面）、垂直、水平、楕円、および円形等がある。２つの偏光素子、いわゆる、ＳおよびＰにおいて、Ｐ素子は、ブルースター角での損失がゼロである。
【０４３２】
本明細書で用いる場合、反転分布とは、以下の状態のことを意味する。レーザー中の分子（原子、イオン）が、基底状態であるよりも、準安定状態であるならば（誘発放出を高い割合で持続する必要がある場合）、「反転分布」が存在しているといわれている。反転分布がなければ、レージング反応は起こりえない。
【０４３３】
パワー密度とは、表面上の一点に集中させた放射パワーの量を意味する。単位は、平方メーターまたは平方センチメーター当たりのワットである。
【０４３４】
本明細書で用いる場合、パルスエネルギーとは、パルス様式がプログラム化されているというよりはむしろ連続運転のレーザーからの単一で、短い放射のエネルギーを意味する。前記パルスレーザーのパルス電力は、ｃｗ放射の数倍以上である。
【０４３５】
本明細書で用いる場合、パルステール（ｐｕｌｓｅ ｔａｉｌ）とは、下降時間を意味し、（特別に混合した気体を用いることで）限られた時間内での、レーザーパルスの高速反復を可能にすることで、前記下降時間を縮めることができる。
【０４３６】
本明細書で用いる場合、Ｑ−スィッチとは、前記ビームの内外に、共振器の通常のＱを「役に立たなく」して、急速に移動するシャッターの働きを持つ装置を意味し、その働きによって、高順位のエネルギーが蓄積されるまで、レージング反応を妨げて、低い状態に保たれる。
結果：通常のＱが蓄積された場合の出力のジャイアントパルス（ｇｉａｎｔ ｐｕｌｓｅ）。
【０４３７】
本明細書で用いる場合、準ＣＷとは、パルス光の中の、音響光学の、電気光学の、電子のまたは機械光学の手法による連続光の脈動を意味し、すなわち、最大出力は、増加したパルスの数により減少する（速度（ｒａｔｅ）を参照）。
【０４３８】
本明細書で用いる場合、輝度（ＲＡＤＩＡＮＣＥ）とは、輝き、言い換えると、立体角単位あたりおよび放射面の投影面積単位あたりの前記可視光線を意味する。
【０４３９】
本明細書で用いる場合、可視光線とは、波動として移動するエネルギー、特に、電磁波（光、Ｘ線、ラジオ波、ガンマ波）を意味する。
【０４４０】
本明細書で用いる場合、放射流量とは、可視光線の放射量または伝導量を意味する。
【０４４１】
本明細書で用いる場合、放射強度とは、放射パワーまたは放射流量を意味し、前記パワーおよび流量は、所定の期間における、前記光のだいたいの方向での立体角単位あたりの放射として表される。
【０４４２】
本明細書で用いる場合、放射パワーとは、単位あたりに有効な可視光用量、言い換えると、前記放射流量を意味する。
【０４４３】
本明細書で用いる場合、反射率とは、前記入射放射束に対する前記反射放射束の割合または前記物体に位置する光に対する反射光の割合を意味する。
【０４４４】
本明細書で用いる場合、反射とは、面による、波長の変化のない可視光線（入射光）の返りを意味する。
【０４４５】
本明細書で用いる場合、屈折とは、あらゆる波、例えば、電磁波の伝播方向の変化を意味し、異なる速度の波がある媒質から別の媒質へ通過する時に起こる。簡潔に言えば、屈折とは、ある媒質から別の媒質へ、例えば、空気から水へ通過するときの入射光線が曲がることである。
【０４４６】
本明細書で用いる場合、解像能（ｒｅｓｏｌｕｔｉｏｎ）とは、分解力または定量的測度を意味し、これらは、物体における異なる点の分離像を生じるための光学機器能力、言い換えると、識別可能な物体の個別部分、隣接した像または光源を作成する能力を意味する。
【０４４７】
本明細書で用いる場合、レーザー棒または管を含むレーザー空胴を構成する共振器とは、ミラー（または反射器）を意味する。前記ミラーは、光を前後に反射し、外部からの刺激により増幅を蓄積する。放出することは、それらの１つ、言い換えると、部分的に通過できるカプラー（ｃｏｕｐｌｅｒ）を通過することである。
【０４４８】
本明細書で用いる場合、ロックウェルＣとは、金属、例えば、スチールおよびチタンにおける光度を定義するためのスケールまたは基準を意味する。
【０４４９】
本明細書で用いる場合、固相レーザーとは、前記レージング媒質が、固体物質、例えば、ルビーロッド（ｒｕｂｙ ｒｏｄ）であるレーザーを意味する。これらは、フラッシュランプまたはダイオードにより、光学的にエネルギーを供給することができる。ダイオードレーザーは、光を生じさせるために、電気的に励起させた固体を使用するということから、固相レーザーは、ダイオードレーザーをも含む。
【０４５０】
一般に、固相レーザーは、ライトショーに使用するには、非常に高価である。これは、次の数年間で交換しなければならない。もっとも有力な固相レーザーは、ｎｄ：ｙａｇと呼ばれる物質を使用していて、前記物質は、赤外線を発する。これは、周波数を二倍にして（第２次高調波発生）、５３２ｎｍで６０ワット以下の緑色光を生じることができる。前記緑色光を、再び、周波数を２倍にして（第４次高調波発生）、２６６ｎｍで数ワット以下のｕｖ光を生じることができる。
【０４５１】
本明細書で用いる場合、分光応答とは、波長の関数としての、単色光に対する装置または材料の応答を意味する。
【０４５２】
本明細書で用いる場合、誘発放出とは、レージング可能な原子、イオンまたは分子が、電荷または別の方法により、より高いエネルギーレベルに励起する場合、通常の基底状態に減衰させるように、自然に、光子を放出することを意味する。もし、その光子が、準安定なエネルギーレベルである同一周波数の別の原子の近くを通過すれば、第２の原子が刺激され、光子を放出する。両光子は、同一の波長、いそう、および空間干渉性をもつ。この方法で増幅される光は、強力光、コヒーレント光（平行（ｃｏｌｌｉｍａｔｅｄ）またはパラレル（ｐａｒａｌｌｅｌ））、および単色光、つまり、レーザー光である。
【０４５３】
本明細書で用いる場合、ＴＥＭとは、横型磁界の略記を意味する。
【０４５４】
電磁モードは、作用しているレーザービームの横断面の形を示す。無限の形を生じることができるが、しかし、比較的にわずかな数の形状のみが、産業において利用するにあたって必要とされている。例えば、「より高いＴＥＭ、より粗い焦点」
ｔｅｍ００は、ガウス曲線モードを示し、これは、完全に平行であって、掘削、溶接および切断のために高電力密度の最小スポットを生じる。
【０４５５】
ｔｅｍ０１は、特殊応用のためにビームを２等分することを示す。
【０４５６】
本明細書で用いる場合、しきい値（ＴＨＲＥＳＨＯＤ）とは、レーザー媒質の励起状態の間に、レージングが始まる値を意味する。
【０４５７】
本明細書で用いる場合、伝導とは、光学において、媒質を通じた可視光線（光）の通過を意味する。
【０４５８】
本明細書で用いる場合、透過率とは、入射した可視光線に対する透過した可視光線の割合または媒質を通過した光の割合を意味する。
【０４５９】
本明細書で用いる場合、けられとは、完全な束が通過しなかった場合の光素子を通じた光の損失、言い換えると、次第に背景の中にぼやけていく像または映像を意味する。
【０４６０】
本明細書で用いる場合、可視光の伝導／透過率とは、フィルターを通過して目に有効な可視光量を意味する。大雑把に言うと、常にではないが、光密度が増加すると、可視光伝導波は減少する。
【０４６１】
本明細書で用いる場合、ワットとは、レーザーにおける、パワーの客観的計測値を意味し、通常、レーザービームの光学的出力または強さを意味する。また、ワットは、通常の意味として、レーザーによる電力使用を測定することにも使われる。例えば、１０Ｗ（光）アルゴンレーザーは、約１００００Ｗの電力を消費する。
【０４６２】
本明細書で用いる場合、波とは、波動または振動の動きの形状を意味し、すべての可視光の電磁スペクトルが、前記形状により伝わるとされている。
【０４６３】
本明細書で用いる場合、波長とは、光の基本的な特性であって、光の波の長さを意味し、光の波の長さは、その色で共通の測定の単位（たいてい、波の頂点から頂点まで）を決められている。可視光は、約７００ナノメーター（赤）からオレンジ（〜６００ｎｍ）、黄色（〜５８０ｎｍ）、緑（〜５５０ｎｍ）、青（〜４５０ｎｍ）および紫（〜４００ｎｍ）の範囲の波長を持つ。
【０４６４】
本明細書で用いる場合、白色光ビームとは、広く、異なる波長（色）を含むレーザービームを意味し、前記ビームは、そのため、白色のように見える。もし、前記ビームがプリズムまたは回折格子を通過すると、前記ビームは、それぞれの単一波長により、個々のレーザービームに分けられる。さらに具体的には、白色光ビームは、正確な色の均等化のためには、緑色光および青色光の２倍の赤色光を含んでいるのが理想的である（付録（ａｐｐｅｎｄｉｘ）を参照）。単一白色レーザーからか、または単一ビームを組み合わせたビームの２つまたは３つのレーザーからでもつくることができる。白色光ビームは、主として、ＲＧＢレーザープロジェクターとして使用されている。光の「等量混合物」を構成要素とすることについてのより情報が必要であれば、白色光レーザーの定義を参照。
【０４６５】
本明細書で用いる場合、白色光レーザーとは、多くの波長（色）を同時に生じることができる多くのレーザーを意味する。白色光レーザーは、赤、緑および青の波長のバランスがよいように設計されている。例えば、前記レーザーは、ＲＧＢレーザープロジェクターを対象としている。（あるモデルは、意図的に黄色光を加えて、特殊な４色のプロジェクターとした。）多くの白色光レーザーは、アルゴン／クリプトンガス混合物を使用している。所望の色を均等なバランスにすること、およびこのバランスをレーザー管の寿命の間中常に保持することはは多少難しい。現在、「白色光」と呼ばれるレーザーの正確な波長および色の割合を定義した基準はない。加えて、求められている色のバランスは、光度計で同量または視覚的に同量として定義することができる。視覚的にした場合、緑に影響されやすいことが多いため、視覚的等量または「明所思的均等」は、緑の出力よりも赤および青の出力がおおよそ５倍である。多くの白色光レーザーは、現在、明所思的には、均等でない。
【０４６６】
本明細書で用いる場合、ウィンドウ（ｗｉｎｄｏｗ）とは、光学系の中か、または通過した光を入稿させる面平行面を持ち、ごみおよび湿気を排除したガラス片を意味する。
【０４６７】
【発明の実施の形態】
（発明の説明）
以下の詳細な説明は、本発明の一部の好ましい実施形態を説明することを目的としているだけである。決して、本願明細書の請求の範囲に示した本発明の範囲を制限するものではない。
【０４６８】
従来技術において、製品を包装した後に、製品（固体、液体または気体）を消毒する方法には、以下に示すような問題がある：多くの場合、使用した波長では、前記包装（ｐａｃｋａｇｉｎｇ）材料を通じて効果的に伝導することができない。すなわち、エネルギーは、前記包装（ｐａｃｋａｇｉｎｇ）材料に吸収されがちなため、包装されていると、高いレベルのエネルギーの使用を必要とし、その結果、前記包装（ｐａｃｋａｇｉｎｇ）材料は、前記液体または気体中に毒性分子を放出する。例えば、光出力に通常使用される水銀ＵＶ光の大部分は、２５４．３ｎｍの波長である。この波長は、現在、包装産業で使用されている主なポリマーであるＰＥＴを通過することがでない。
【０４６９】
本発明の発明者は、ＰＥＴは、３１２ｎｍより短い波長を持つエネルギーを約１００％吸収するが、しかしながら、前記波長が３５５ｎｍであると、ＰＥＴは９０％近い光エネルギーを伝達すると言及している。本発明は、３５５ｎｍで、短いマイクロ秒未満のパルス幅を用いて、適量のエネルギーでの効果的な消毒を提供することを目的とする。すなわち新規の波長で、短く、高エネルギーのパルスは、これまでは、使用する滅菌するための光エネルギー源を通さなかった包装（ｐａｃｋａｇｉｎｇ）材料を浸透し、滅菌するために使用されるうる。短いパルスを使用して、前記包装に損傷を与え、前記包装からその包装された物質の内容への、有害な分子の移動を起こす熱発生を妨げる。本発明の方法は、多くの包装（ｐａｃｋａｇｉｎｇ）材料（以下に示す）、例えば、水および水を主成分とした製品を包装するために使用されている材料に適用することができる。
【０４７０】
本発明の方法は、消毒を行うための高エネルギー密度範囲を形成するための単純で独創的な工程を開示する。これらの高エネルギー範囲は、ＵＶレーザーのマイクロ秒未満のパルスを用いて作成されることが好ましい（別の光源が、同様に使用することができるとしても）。前記高エネルギーパルスを、液体−光学的（ｈｙｄｒｏ−ｏｐｔｉｃａｌｌｙ）に均一に分散し、空間的に均等にして、所定の期間にわたって所定の場所を通過させるか、または所定の量内で、不活性化のための適当な生物用量測定エネルギーのしきい値（ｔｈｒｅｓｈｏｌｄ）を与える。本発明は、還元、酸化、光触媒作用、光−電気触媒作用、滅菌、光分解、解離、高度酸化技術（ＡＯＴ）、光励起による消毒または生物汚染物質および汚染化学物質の濃度を均等化するか、または調節することを容易にする。本発明の方法は、毒性有機化合物を還元し、またはヒトの健康を脅かすバクテリア、のう胞、細菌、胞子、ウィルス、病原体、糸状菌、および多くの別の毒性種を不活化するために使用することができる。
【０４７１】
本発明は、マイクロ秒未満のパルス幅または持続時間を持つレーザー（例えば、ＵＶＡレーザー）、連続的な波型の光源またはそれらのハイブリッド（組み合わせ）台（ｐｌａｔｆｏｒｍ）から選択されるパルス光源を用いることを目的とする。
【０４７２】
本発明の好ましい実施形態によると、Ｎｄ：Ｙａｇ型、Ｎｄ：ガラス型、Ｎｄ：ＹＬＦ型またはそれらの組み合わせの、高反復率、高最大出力のレーザーを使用して、その中または全体にわたって、ｕｖジェット（ｕｖｊｅｔ）または空間加工パルスレーザー光を駆動する。前記レーザーは、第４次高調波発生モ−ド（すなわち、ＦＨＧ）または別の実施形態で操作することができ、前記固相レーザー（例えば、Ｎｄ：Ｙａｇ型）は、第３次高調波発生モード（すなわちＴＨＧ）で操作することができる。さらには、別の実施形態では、例えば、エキシマーレーザー等の放電レーザーを使用する。そのような場合では、前記波長を、約１９３ｎｍ〜３０８ｎｍまたは３５１ｎｍにすべきである。別の実施形態では、ハイブリッド（ｈｙｂｒｉｄ）レーザーシステムを使用して、前記ｕｖジェット（ｕｖｊｅｔ）を駆動し、すなわち、（ａ）ＴＨＧ（３５５ｎｍ）で作動する固相レーザーを操作し、ついで、滅菌を行う製品の透明な部分に取り付けるか、または一列に並べる。放電レーザーは、また、ハイブリッド型（ｈｙｂｒｉｄ ｆｏｒｍａｔ）と一緒に操作して、前記消毒の効率を最大限にする。別の実施形態では、前記レーザー光源は、（ａ）ガス放電レーザー、（ｂ）ダイオードポンプレーザー、（Ｃ）プラズマ放電レーザー、（ｄ）固相レーザー、（ｅ）半導体レーザー、（ｆ）結晶型のレーザー、（ｆ）Ｅ−ビームポンプガスレーザータイプ、（ｌ）ＦＥＬ（自由電子レーザー増幅器）、（ｊ）ＥＡ／ＦＥＬ（静電加速自由電子レーザー）、有機レーザータイプまたはそれらのあらゆる組み合わせから選択される。
【０４７３】
別の好ましい実施形態では、前記包装（ｐａｃｋａｇｉｎｇ）は、導波管または濃縮器としての役割を果たす。
【０４７４】
前記レーザーは、約１ｎｍ〜約３０００ｎｍで整調できることが好ましく、約３３３ｎｍ〜約２６０ｎｍがもっとも好ましい。個々のパルスの最大出力密度は、約１ｎＪ／ｃｍ２〜約５０Ｊｓ／ｃｍ２に達することが好ましく、前記パルスレーザーは、約１Ｈｚ〜約３００ＭＨｚの範囲の反復率でパルスを放出することが好ましい。このように、本発明の好ましい実施形態は、異なる包装（ｐａｃｋａｇｉｎｇ）材料を含む幅広い用途に適している。種特異的光較正基準を（種特異的な病原体の滅菌に）適合させて、使用した包装（ｐａｃｋａｇｉｎｇ）材料の損傷しきい値（ｔｈｒｅｓｈｏｌｄ）（より小さい値）に応じた、特異的生物用量測定値または曲線を与えることができる。
【０４７５】
前記光源を、個別の製造部位で使用した前記包装（ｐａｃｋａｇｉｎｇ）材料の作用スペクトル（すなわち吸収、透過率、反射率または包装の光学的性質）に適合するに調和させる。本発明は、第２次交互作用および多光子吸収プロセスを利用して、液体−光学的（ｈｙｄｒｏ−ｏｐｔｉｃａｌｌｙ）に均一に分散する。屈折率特性ボルテックスディフューザーを作成し、特異的に不活性化する対象である所定の毒性種または微生物（ｍｉｃｒｏｏｒｇａｎｉｓｍ）に基づいて、必要な生物学用量測定曲線またはしきい値（ｔｈｒｅｓｈｏｌｄ）を供給する。
【０４７６】
本発明の方法は、水を主成分とした製品、着香した水、ミネラル水および湧き水、瓶詰めされた水および包装（ｐａｃｋａｇｉｎｇ）されている処理された水製品、過酸化水、サプリメント水、磁化（ｍａｇｎｅｔｉｚｅｄ）水、増強水、再構成（ｒｅｃｏｎｓｔｒｕｃｔｅｄ）水またはそれらのあらゆる組み合わせたものの滅菌に特に役立つ。また、本発明の方法は、飲み物、ワイン、ジュースまたはアルコールにも利用できる。加えて、多岐にわたる生物医学的用途には、血液および血液製品、調合薬剤（例えば、インスリン生成物、血液製剤、血漿製剤）、および医療処置に使用される液体および気体があげられる。また、本発明の方法は、ビタミンまたは栄養を含む飲料用の水を主成分とした水、および／または発泡させた水または着香した水を用いた薬物輸送に利用でき、さらに、空気製品、発射薬のための気体、スプレー、あらゆる固体、液体、気体またはその混合複合体に利用できる。本発明のすべての用途において、レーザーの波長、エネルギー、パルス幅、および分光的および空間的特性で、作用スペクトル、前記包装の吸収、透過率、透明度、屈折率または屈折率特性、（および、前記包装された液体または気体の界面）に対して、較正を行わなければならない。本発明は、包装を通じて行う、効果的で、経済的な消毒および滅菌を保証する。本発明は、高流量を維持し、前記製品中の高感度の天然含有成分または健康によい含有成分（例えば、飲料中の砂糖または自然香料）に影響を与えない。本発明の方法は、処理を行った製品の風味および香りを変化させず、感覚に影響を与えない。
【０４７７】
さらなる用途は、口腔衛生を改善するための表面処理用である。この用途としては、好ましくは、（ａ）約２５万の光子／ｃｍ２／秒〜約９９９兆の光子／ｃｍ２／秒の供給能力を持つ導波誘導ブラシ（ＷＤＢ）の照度またはイラジエーションを利用することがあげられる。この光源を、１ピコ秒間、１フェムト秒間または１アト秒間、口に適用する。これにより、速やかに、複雑に湾曲した内面を消毒する。次世代の歯磨きは、必要に応じて、処置の前に、消毒の浸透の深さを調節して、適用する。前記歯磨きは、以下に示す活性成分のうち１つを含む：前記活性成分は、光触媒反応化合物（ＣＣＣ）、Ｕ．Ｐ．Ｗにおける、酸素チャージを生じる多成分化合物（ＳＹＯＣＨ）、３次元高分子フレーム構造で、一時的または永続的に安定し、保持されたｐＨの生物分解性があって、生物学的適合性のカルボマーまたはＢＩ−ポリマーであって、前記カルボマーまたはポリマーは、光触媒および／または閃輝性変換素子を含み、それらは、それらの量子効率から（超伝導体から絶縁体または半導体から）選択された所定の電荷移動係数、吸収率、屈折率特性、および音波特性を持ち、ここで、水の柔軟性により、構造的に酸素電荷を生じさせる汎用体を提供することで、水、液体、気体、空気、懸濁液、体液の中または口内の分解した種を根本的に不活性化して、扱いやすい形状に適用させる（ＳＹＯＣＨ１）。
【０４７８】
別の医学的用途において、光源を使用して、ヒト、および動物の皮膚の表面に浸透させて、それらの血管中（前記血管中とは、すなわち、浸潤しない皮膚の下）のＤＮＡおよびＲＮＡ配列を速やかに不活性化させる。３５５ｎｍの波長を生じる第３次高調波発生器を持つＮｄ：Ｙａｇレーザーを使用することが好ましい。１つまたはそれ以上のレーザー装置を使用することができ、前記装置は、パルスＵＶ光スプリット（ｓｐｌｉｔ）のビームを持ち、ＨＧＦＳ光ファイバーを通じた導波管、光子バンドギャップ（ｂａｎｄ ｇａｐ）導波管、ポリマー導波管またはハイブリット複合体を複数の場所に分散させる。これらの導波管の各先端は、血管が相対的に露光され、ちょうどよい具合に、表面付近に位置している体の部分に近接して、取り付けられ、担持され、貫通している（すなわち、伝導しやすく、共役しやすい状態）。本発明のさらなる実施形態は、高反復率または高出力、および約１ｍｓ〜約１ｆｓまたは１アト秒のパルス持続時間を持つ種々のレーザーを使用する。それらの個別のビームは、集められ、偏光され、変換されるか、または撹拌されて、高エネルギー密度でＵＶＡ光の３次元素子を形成する、この高エネルギー密度は、血液または血液製剤に存在する血液成分、栄養、コンディショナー、補体システム、ＭＨＣのＩ、ＩＩ、ＩＩＩ型、およびあらゆる生活細胞の損傷しきい値（ｔｈｒｅｓｈｏｌｄ）より低く、その中、すなわち、血液または血液製剤中の毒性種の不活性化に効果的である。
【０４７９】
本発明の方法は、また、問題のある表面、すなわち、前記包装（ｐａｃｋａｇｉｎｇ）材料の複合的な湾曲を持つ表面を持つ対象（ａｒｔｉｃｌｅ）上の、消毒およびＤＮＡおよびＲＮＡ配列の不活性化（すなわち、消毒）に有用である。他の問題のある表面としては、キャップ、ふた、コルク、ジョッキ、ボトル、および他の導管またはチャンバー型の包装があげられる。好ましくは、本発明によリ滅菌する包装されているボトルは、前記包装された製品中の容量への適当な処理量のエネルギー（光）の光学的輸送を促進するための透明なキャップ、ふた、ボトル、上部／下部または側面を持つ。それでもなお、本発明の方法は、包装加工の標準的な技法に課せられた規制を打ち破ることができ、さらに、独創的で、幾何学的な種々の型を持つパッケージ内に光を浸透させ、拡散することができる。前記包装（ｐａｃｋａｇｉｎｇ）は、液体、気体、固体または組み合わせたものを含んだ状態で消毒することができるか、または前記包装（ｐａｃｋａｇｉｎｇ）は、本発明により、前記内容を行うのとは別の滅菌工程で滅菌してもよい。
【０４８０】
本発明の方法は、光による包装（ｐａｃｋａｇｉｎｇ）材料を安全に消毒および滅菌する技術的ノウハウを開示する。ここで、前記包装（ｐａｃｋａｇｉｎｇ）材料は、ＰＥＴ、ポリオレフィレン、ポリアミド、ポリカルボネート、ポリエーテルアミド、ポリエステルまたはＰＥ／ＨＤまたはあらゆるポリマー樹脂の組み合わせから選択される。さらには、本発明の方法は、水、液体および気体および農業食品生産物を包装するために使用したガラス製ボトル、および多岐にわたるポリマーを、効果的、および経済的に消毒することもできる。
【０４８１】
さらには、水を瓶詰めするための生産ラインまたは充填ラインまたは包装ラインで使用する、本発明の方法を用いた装置または機器の操作の好ましいモードを以下に示す。生産ラインは、インターフェースをネットワーク化したセントラルワークステーションと、少なくとも１つの放射装置を含む部分とに分ける。前記放射装置は、約０．１ｍＪ／ｃｍ２〜約１０００Ｊ／ｃｍ２の光を放射することができる高輝度光源を持つ少なくとも１つのパルスレーザー装置を持つ。この所定のエネルギー放射物を、空間的に、または２次元的に前記包装（ｐａｃｋａｇｉｎｇ）表面を超えるように角をなして、それに浸透させて、その中に均等に拡散するようする。前記放射されたエネルギーは、前記包装（ｐａｃｋａｇｉｎｇ）またはボトル内の液体または気体内の容量を通じて十分に広がるように、較正しなくてはならない。本発明の方法は、オプトロニクス、機械、水圧、および光および電気−光基盤（ｐｌａｔｆｏｒｍ）をあわせ（すなわち、レーザーおよび光源、機械的伝達、および超音波角度装置）、本発明の装置の効率を最大限にすることを提案する。これは、市販されている装置で適応している高流量を保証する。操作の好ましいモードにおいて、複数の光源を使用したハイブリッド台（ｈｙｂｒｉｄ ｐｌａｔｆｏｒｍ）を使用する。そのような場合には、前記各光源を、双方向のネットワークで、その対応するもの動詞を同調させ、エネルギー利用、デザインおよび相互接続および相互運用の柔軟性、解像能を増加させ、消毒処理の効率を最大限にする。
【０４８２】
滅菌を行う前記包装（ｐａｃｋａｇｉｎｇ）の容量は、約１０ｍＬ〜１ｍ３が好ましい。前記包装（ｐａｃｋａｇｉｎｇ）材料またはポリマーは、高強度の光源が前記包装（ｐａｃｋａｇｉｎｇ）を浸透できるような、適当な作用スペクトル、吸収、伝導、屈折率または透明度を持つ必要がある。前述のように、例えば、ポリマーの浸透に適当な光の波長および周波数は、約１００ｎｍ〜約４００ｎｍであって、もっとも好ましくは３５５ｎｍである。
【０４８３】
滅菌を行う製品およびそれらの包装（ｐａｃｋａｇｉｎｇ）の可能な屈折率特性を考慮して、光操作およびビーム管理を選択する必要がある。以下のいかなるビーム管理技術を使用することができる。ビーム管理技術としては、前記放射装置から、前記包装（ｐａｃｋａｇｉｎｇ）および前記包装（ｐａｃｋａｇｉｎｇ）の内容全体にわたって、光のビームを拡散させること、散乱させること、反射させること、屈折させること、集束させること、焦点をぼかすこと、回折させること、撹拌させること、平行にすること、分裂させることまたは組み合わせること、範囲を限定させること、重ね合わせること、妨害させることまたは交替させること、拡大縮小すること、位置付けること、増幅させること、指向させることまたは的を絞ることを使用することがある。好ましくは、生物学用量測定曲線は、特定の生物学的病原体または化学的毒性種（有機化合物）を還元するか、酸化するか、光分解を起こさせるか、包装（ｐａｃｋａｇｉｎｇ）を通じた消毒（ＤＴＰ）により消毒するか、または滅菌するように、種特異的な較正基準に基づき描くことができる。本発明の方法は、固相管、光子バンドギャップ（ｂａｎｄ ｇａｐ）軌跡、密閉した毒性のない嫌気的液体導波管または好気的流動液体導波管から選択される光ファイバーまたは導波管を利用して、前記強度光源から前記包装された製品（または前記包装（ｐａｃｋａｇｉｎｇ）単独）に光を伝達してもよい。このことは、角度の位置決めをされた複数の曝露された包装（ｐａｃｋａｇｉｎｇ）表面へのパルス状のＵＶＡ光の網状分布を容易にする。すなわち、適当な生物学用量測定曲線を、本発明に基づき、特定の毒性を持つ生物学的または化学的（有機）関連種で確立される必要がある。本発明の方法によると、水圧、機械、空気圧、磁性、音波、超音波（ｓｕｐｅｒｓｏｎｉｃ）または超音波（ｕｌｔｒａｓｏｎｉｃ）手段を使用して、滅菌前または間に、混合、撹拌、移動または位置付し、光エネルギーの最適伝播および散乱を前記製品のすべての領域に達成することができる。
【０４８４】
好ましくは、エネルギー用量測定値は、伝播された全体的な光子数を無視して、使用した装置に適応させる。さらに正確にいうと、該当するものは、所定の場所内に、所定の期間にわたって伝播された、双方向の非線形第２および第３次交互作用を開始させる実際の光子数である。
【０４８５】
好ましくは、所望の波長である３５５ｎｍを達成する目的で、効果的に、周波数を二倍にし、調和変換させる固相レーザーを使用する。本発明の方法を用いて操作した装置において、前記持続時間、パルス幅、パルス強度、パルス反復率またはパルスレーザー光エネルギーのパラメーターを、増幅させるか、圧縮させるか、拡張させるか、調節させるか、コード化させるか、直ちに、ひと続きのデータ列、回帰性のデータ列として、リアルタイム非回帰性の操作として移行の応答のために記録させることができる。好ましくは、前記パルス状のＵＶＡレーザーの前記パルス持続時間（またはパルス幅）は、約１マイクロ秒〜数フェムト秒（ｆｓ）または約７ナノ秒（ｎｓ）〜約１１ピコ秒（Ｐｓ）である。前記持続時間を、不活性化または消毒対象または品質水準に基づき、種特異的較正基準に適応させるか、較正することができる。
【０４８６】
消毒に必要な前記光エネルギーは、前記包装（ｐａｃｋａｇｉｎｇ）材料を浸透した後、前記包装（ｐａｃｋａｇｉｎｇ）の全内容に達するように分配しなくてはならない。本発明者は、作成した種々の屈折率特性を利用して、前記包装（ｐａｃｋａｇｉｎｇ）の全容量（言い換えると、前記包装（ｐａｃｋａｇｉｎｇ）中の液体または気体）にわたって均一に光を導き、拡散させ、消毒することを目的としている。開示した前記拡散技術は、包装された液体製品に渦をつくり、ついで、光ビームを渦の中心にある空気に向けること（渦の中心と平行に）を含む。例えば、ＰＥＴまたは高分子で包装されたタイプのミネラルウォーターボトルまたはジョッキ中の水は、１．３の屈折率［Ｎ１］を持つ。前記ボトルの先端の空気包は、１．００の屈折率［Ｎ２］を持ち、前記高分子包装（ｐａｃｋａｇｉｎｇ）材料の屈折率［Ｎ３］は、約１．４５である。すなわち、形成された屈折率スカルプチャー（ｓｃｕｌｐｔｕｒｉｎｇ）（Ｎ１／Ｎ２／Ｎ３）では、本発明の方法を用いることが可能である。すなわち、前記形成された屈折率分布は、その中（前記包装（ｐａｃｋａｇｉｎｇ）中）の光の均一な分布を容易にする。より詳細には、例えば、ミネラルウォーターのボトルの場合、空気／水の界面の屈折率分布は、Ｎ１＝水、Ｎ２＝空気、Ｎ３＝ＰＥＴである。前記ボトル中の水の容量は、適当な速度（約１８〜１８００ＲＰＭ）で回転させて、前記ボトル内に渦を作る。最も高い屈折率の値は、外側から前記ボトルに入射する光の経路長または方向に対して外面であって、最も低い屈折率（空気で１．００）は、効果的にディフューザーが形成される前記ボトルの中心部分である。（このことは、内外が逆だが、光がファイバー屈折率分布と似ている。）これにより、前記容量の全体にわたって、レーザーパルス状のＵＶＡ光の均一な分布を容易にし、広範囲のエネルギーにわたる前記用量測定値の較正を容易にする（例えば、透明な水のための１つの大きなパルス、および透明度の低い着香した水のための多くのマイクロパルス）。すなわち、多くのしきい値（ｔｈｒｅｓｈｏｌｄ）を、本発明に基づき、生産者および末端使用者の要件に適合するように作成することができる。
前記液体中に、所定の角度で音波エネルギーを適用することにより、渦を形成し、前記ポリマー包装（ｐａｃｋａｇｉｎｇ）の構造に損傷を与えることなく、外部からその中の液体を撹拌する。この液体−光学的（ｈｙｄｒｏ−ｏｐｔｉｃａｌｌｙ）局面は、その趣旨から独創的であって、光滅菌方法は、前記ボトルの先端に通常存在する空気法を利用する。また、この空気包は、２１％の自由に利用可能な酸素を含み、その中の光化学相互作用のための経路（前記ボトル、導管またはチャンバー、包装（ｐａｃｋａｇｉｎｇ）との境界面）を示している。前記光エネルギーを分布させるために渦を利用することで、全パッケージに達し、さらにそれを消毒するために必要な出力およびエネルギーを減じさせる。
【０４８７】
異なる型のフラッシュランプが、本発明の方法で達せられた前記強度効果によく似ているような製造されようとしているが、これらの試みは、前記水銀を励起させ、発光させるか、またはポンプするのため相対的に長い持続時間がかかる結果、失敗している。より詳細には、通常のパルス状の水銀をベースとしたフラッシュランプは、マイクロ秒未満の持続時間またはパルス幅で消毒を行うことができない。要するに、通常のフラッシュランプで達成できる短い持続時間またはパルス幅は、１０〜３０マイクロ秒であって、相変わらずＣＷ型ランプの第１次交互作用の範囲である。短いパルス持続時間を達成する前記フラッシュランプは、ＣＷ型フラッシュランプであるだけであって、このランプの操作は、機械的に連続的な波を調整するだけである。
【０４８８】
本発明の方法の図は、本発明の好ましい実施形態、および本発明の方法に使用した装置を例示するものであって、本発明の範囲を何ら限定するものではない。本明細書で開示した科学的支持データを伴った図１〜３は、明確に、説明図の目的を示している。
【０４８９】
本発明の好ましい実施形態は、本発明の方法を用いた装置の好ましいモードを例示している。ここで、本発明は、製品またはその容量を損傷または光化学損傷を与えることなく、または前記包装（ｐａｃｋａｇｉｎｇ）から副生成物を移動させることなく、本発明に基づき、それらの包装（ｐａｃｋａｇｉｎｇ）中の水を主成分とした製品を滅菌および消毒し、さらには、約１ｍＬ〜約１００００Ｌの容量を持つ前記包装（ｐａｃｋａｇｉｎｇ）材料の全体にわたって、消毒または滅菌し、ここで、前記包装（ｐａｃｋａｇｉｎｇ）は、ＰＥＴ、ポリオレフィレン、およびポリアミド、ポリカルボネート、ポリエーテルアミド、ポリエステルまたはＰＥ／ＨＤ、ナイロンまたはプラスチック、シリコン、紙、シルクセルライトまたは複合物、ガラスまたはあらゆるポリマー樹脂の組み合わせから選択され、その中には、砂糖、香料、食品添加物、ビタミン、ミネラル、栄養補助食品または栄養添加物を含んでいて、ここで、前記水中に砂糖を含む前記包装（ｐａｃｋａｇｉｎｇ）内容中の前記各成分の割合は、１Ｌあたり約１ｇ〜約９８７ｇ（体積濃度あたり約１％〜約９９％）であって、したがって、着香した水は、１Ｌあたり１００ｇまでの砂糖を含み、より高い濃度のグルコースパッケージは、本発明の範囲または多様性の一例である。さらには、本発明の環境保全のための実施形態では、倉庫、貯蔵庫もしくは充填、包装または輸送ラインに、本発明の方法による装置を設備すること、および約１００ｍＬ〜約１００Ｌの容量の瓶詰めされた水製品を、前記包装（ｐａｃｋａｇｉｎｇ）を通じて消毒するか、または滅菌することで飲料または消費の品質水準が増加する。
【０４９０】
本発明の好ましい実施形態としては、約３５５ｎｍで操作される固相パルス状のＵＶＡレーザー光源が、少なくとも１つの流動液体導波管を持つ光チャネルおよび増幅システムを通じて、光を放出し、高いエネルギー密度が、瓶詰めされた水、処理された水、着香した水、または炭酸水を含む所定の包装（ｐａｃｋａｇｉｎｇ）材料と共役すること、発泡または蒸留の組み合わせたものを前記包装（ｐａｃｋａｇｉｎｇ）内に封入し、本発明の方法により滅菌するか、または消毒しここで、全体にわたって消毒される前記包装（ｐａｃｋａｇｉｎｇ）の容量は、１００ｍＬ、０．５Ｌ、１Ｌまたは１．５Ｌもしくは約０．５ガロン〜約２０ガロンから選択され、ここで、前記光は、跳ね返るか、反射するか、偏光するか、拡散するか、またはその中（すなわち、前記包装（ｐａｃｋａｇｉｎｇ）内の内容中）の所定濃度の有毒な生物学的または化学的成分の所定の統計的部分に吸収され、ここで、前記包装（ｐａｃｋａｇｉｎｇ）の成分またはその中の内容の成分は、消毒、滅菌または酸化の間、安定で、無害なままであって、前記レーザーエネルギー特性および前記包装（ｐａｃｋａｇｉｎｇ）、その中（前記包装（ｐａｃｋａｇｉｎｇ）中の液体または気体の中）の多成分およびＤＮＡ／ＲＮＡ複製配列の十分な不活性化、その中（前記包装（ｐａｃｋａｇｉｎｇ）中の液体または気体の中）の毒性有機化合物の無機物化について前もって計算した容量反応曲線は、丘状になる。さらに、本発明の好ましい実施形態では、レーザーパルス反復率が、約１Ｈｚ〜約１ＴＨｚであって、ここで、そのエネルギー密度が約１ｎＪ〜約１０００Ｊｓｃｍ２に達する。
【０４９１】
操作の好ましいモードは、パルスが、マイクロ秒未満でパルス幅またはパルス持続時間を持つ条件で、レーザーまたは光源を約３５５ｎｍで操作する場合であり、また一方、包装（ｐａｃｋａｇｉｎｇ）材料製作技術でのさらなる斬新的な工程により、今まで産業、農業または医学分野に利用されていない、液体または気体を包装するためのさらなる材料、例えば、３５５ｎｍ以外の付加的な伝導ウィンドウ（損傷を与えることのない包装（ｐａｃｋａｇｉｎｇ））の利用を促進し、そのように、本発明の方法は、より速い光輸送、ポンプ、転嫁、光学的または空間的操作、伝播、ターゲティング、拡散または吸収を利用し、次に、前記包装（ｐａｃｋａｇｉｎｇ）材料の分子熱変動を利用することにより斬新的な工程を容易させる、すなわち、包装（ｐａｃｋａｇｉｎｇ）に損傷を与えずに、消毒または滅菌を行う。
【０４９２】
包装（ｐａｃｋａｇｉｎｇ）を通じた消毒（ＤＴＰ）ための本発明の方法を用いた装置を操作する好ましいモードにおける本発明の好ましい実施形態としては、水を主成分とした製品のための前記包装（ｐａｃｋａｇｉｎｇ）が、１／２Ｌ、１Ｌ、１．５Ｌまたは２Ｌのボトルもしくは１ガロン、２ガロン、５ガロン、１０ガロンまたは２０ガロンから選択され、パイプ型の導管またはチャンバーは、前記包装（ｐａｃｋａｇｉｎｇ）を通じてか、前記包装（ｐａｃｋａｇｉｎｇ）へ／から液体または気体全体にわたる伝播のために相互接続されているか、または相互操作されており、無菌か、非処理、着香されているか、炭酸ガスを飽和されているか、酸化されているか、成分または多成分で強化され、増強され、増加され、その中（包装（ｐａｃｋａｇｉｎｇ））の広範囲のオプトロニクス品質および光学特性と化学的および／または生物学的に調和している。
【０４９３】
特に有用な環境上の本発明の実施形態としては、前記包装（ｐａｃｋａｇｉｎｇ）が、カプセル、ピル、ボトル、ジョッキ、タンク容器、導管またはチャンバーのような形状または組み合わせたものから選択されるか、郵便物または手紙用の封筒のように紙でできていてもよく、本発明の方法による処理を通じて、所定の圧力での過酸化水蒸気が増加することは、前記包装（ｐａｃｋａｇｉｎｇ）の中および全体に、光および過酸化水（Ｈ２Ｏ２）を用いた高度酸化技術（ＡＯＴ）を行うのに有用である。本発明の改良した実施形態は、前記包装（ｐａｃｋａｇｉｎｇ）材料に損傷を与えることなく、前記包装（ｐａｃｋａｇｉｎｇ）内にそれらの液体または気体内容から分子移動を起こすことなく、包装（ｐａｃｋａｇｉｎｇ）を通じた消毒（ＤＴＰ）ための本発明の方法を使用する装置を操作する好ましいモードを持つ。
【０４９４】
本発明の好ましい実施形態としては、前記包装（ｐａｃｋａｇｉｎｇ）が、モノマー、カルボマー、ポリマー、樹脂または組み合わせたものから選択されて作られるボトル、ジョッキ、容器、導管またはチャンバー型の形状であり、例えば、あらゆる生物学的適合性包装（ｐａｃｋａｇｉｎｇ）が、水、空気、液体または気体を、一時的または永続的に、保持する能力持ち、ここで、前記水、空気、液体または気体は、末端使用者、生産者、生産業者、科学技術者、医学関係者、医者および農業食品生産市場関係者、および科学者および技師により後に消費されるためのものである。包装（ｐａｃｋａｇｉｎｇ）を通じた消毒のためのさらなる好ましい実施形態としては、前記包装（ｐａｃｋａｇｉｎｇ）が、ピル、カプセル、バッグまたは組み合わせたもの、もしくは穴のあいた腸詰めのようなバッグから選択されるか、または前記包装（ｐａｃｋａｇｉｎｇ）の材料は、ポリマー、プラスチックまたは組み合わせたものから選択される。環境上の好ましい実施形態としては、前記包装（ｐａｃｋａｇｉｎｇ）材料が、飲料水、着香した水、炭酸水、飲料、ジュース、農業食品製品、果物または菓子製品を収納するか、輸送するか、保持するかまたは送るために用いられる。本発明の方法の好ましい実施形態としては、前記包装（ｐａｃｋａｇｉｎｇ）が、グルコース、生物医学製剤、ワクチン用剤、ワクチン製剤または本発明の方法による医学的オプトプロバイオテック化合物を保持する。
【０４９５】
本発明の好ましい実施形態としては、前記包装（ｐａｃｋａｇｉｎｇ）が、少なくともひとつの放射装置または光源で曝露され、前記装置または光源が、固相レーザー、放電加工レーザー、プラズマ駆動レーザー、半導体レーザー、有機レーザー、電子ビームポンプレーザー、自由電子レーザー、ドープ処理ファイバーレーザー、ＳＡＳＥ／ＥＡ／ＦＥＬレーザー、ファイバーレーザー、ダイオードポンプレーザー、結晶関連レーザー、ドープ処理ガラス関連レーザー、ＦＥＬｓレーザー、ポリマーレーザー、ＰＷ／ＣＷ型レーザー、量子ドット型レーザー、レーザーアレイ、フラッシュランプポンプレーザー、ウォーターレーザー、光のバンドギャップレーザー、シードまたは増幅レーザー、時間圧縮または拡張レーザー、ｑ−スイッチ型レーザー、双方向調和型レーザー、音波−光学レーザー、超音波レーザー、Ｘ線ポンプレーザー、Ｙポンプレーザー、Ｅ−ビームポンプレーザー、触媒型レーザー、光電気触媒型レーザー、エアー・レーザー、地面固定型レーザー、可動および小型レーザー、薄膜型レーザー、ベーパーレーザー、ウォーターレーザー、光バンドギャップレーザー、ＣＷランプ、ＰＷランプ、準ＣＷランプ、ＬＰＨＯランプ、中圧ＵＶランプ、低圧ＵＶランプ、ＣＷ、ＰＷ、準ＣＷハイブリッド（ｈｙｂｒｉｄ）複合型ランプおよびレーザーまたは組み合わせたものから選択され、ここで、前記放射装置または光源からの光は、前記光装置から、前記パッケージの近傍にまでのびた導波管と共役し、さらに、前記強度光は、前記内容または容量または包装（ｐａｃｋａｇｉｎｇ）表面を、所定の場所内、所定の期間にわたって、消毒および滅菌するために、前記包装（ｐａｃｋａｇｉｎｇ）およびその中の内容全体を網羅する程度に達している。
【０４９６】
本発明の方法の好ましい実施形態としては、前記放射装置、光源またはハイブリッド（ｈｙｂｒｉｄ）複合型のレーザーおよびランプからの光が、前記供給された光または分散した光を制御することができる、例えば、それらの光学的特性または空間的特性を、操作することができる光学処理装置を通じて伝播され、その操作により、光の分布または均一性を最大限にするか、または前記包装（ｐａｃｋａｇｉｎｇ）内、前記包装（ｐａｃｋａｇｉｎｇ）の内容中または前記包装（ｐａｃｋａｇｉｎｇ）の表面上に存在している毒性種の不活性化、滅菌、消毒、解離または酸化に適するように、累積または即時生物学的測定曲線を調整する。
【０４９７】
ワクチン製剤製造方法および技術の提供および促進のために特に有用な好ましい実施形態は、本発明の方法を使用することにより機能強化させ、オプトバイオテックの有益な効果が、農業食品または生物医学分野の製品に増進されるように、前記内容、包装（ｐａｃｋａｇｉｎｇ）表面、もしくはその中の液体、気体または固体内の残留物、および残渣、バイオマスまたは化学物質を、本発明の方法により、処理、曝露する。
【０４９８】
さらに本発明の好ましい実施形態としては、オプトプロバイオテック製品が、本発明の方法により製造され、消毒される前記包装（ｐａｃｋａｇｉｎｇ）内および内容中の毒性種を曝露し、追跡認識を、消費、本発明の方法の処理前に行う。本発明の方法により操作される装置の好ましいモードとしては、前記放射装置、レーザーまたは光源が、パルス状のまたは連続波の光源であり、さらに好ましいモードとしては、前記放射装置がマイクロ秒未満のパルス状の光源を含む。
【０４９９】
本発明の好ましい実施形態としては、光を前記包装（ｐａｃｋａｇｉｎｇ）、内容、空間、容量または組み合わせたものに伝播する前記光学処理装置は、回折性光素子、レンズまたはキューブもしくは開裂または再結合オプティックス、および電子−光素子、ディフューザー、反射器、プリズム、望遠鏡型ズーム、ズームエキスパンダー、屈折オプティックス、変換または調和発振器、ポンプまたは増幅シグナル、増幅器、トランスデューサー、空間プロセッサー、スキャナー、撹拌器、ビームの位置決め、均一化基準（ｌｏｃａｔｉｏｎ ｅｑｕａｔｉｏｎ）および輸送インターフェース（ｔｒａｎｓｐｏｒｔ ｉｎｔｅｒｆａｃｅｓ）、光支持手段でのロボットアーム、光ブレッドボード、導波管（ＨＧＦＳ、ＳＦＳ）、光バンドギャップ（ｂａｎｄ ｇａｐ）、結晶、液体導波管、流動液体導波管またはそれらのあらゆる組み合わせたものから選択される。
【０５００】
本発明の好ましい実施形態としては、操作するレーザーまたはランプが、ＣＷ、ＰＷ、準ＣＷ、ハイブリッド（ｈｙｂｒｉｄ）、液体または気体をベースとしたレーザー、前記放射装置、光源を組み合わせたものまたは一体化したものであって、さらに、ダイアモンドをベースとしたレーザー、ファイバーレーザー、ＴＳＡ／ＳＥ／ＥＡ／ＦＥＬｓレーザー、放電加工レーザー、ウォーターレーザー、ダイオードポンプまたは有機型レーザー、プラズマレーザー、半導体レーザー、増幅または調和発生レーザー、ＣＷ、ＰＷランプもしくは組み合わせたものを含む。
【０５０１】
本発明の好ましい実施形態としては、前記機器または装置を、特定の機械制御プロトコルに、光学的に同調させるか、電気的に連結させるか、関連させるか、誘引させるか、または解像させて、包装（ｐａｃｋａｇｉｎｇ）を通じた光エネルギーの伝播および分布を促進させ、さらにおよび前記包装（ｐａｃｋａｇｉｎｇ）を通じた、前記包装（ｐａｃｋａｇｉｎｇ）またはその中（前記包装（ｐａｃｋａｇｉｎｇ）内容または容量）の多成分に損傷を与えることなく、毒性種の滅菌、消毒、解離または酸化に適した、前記生物学用量測定曲線または化学的用量測定曲線の較正および調節する。
【０５０２】
本発明の好ましい実施形態としては、消毒する包装（ｐａｃｋａｇｉｎｇ）が、胞子、バクテリア、毒性のある生物学的または化学的由来の化合物を含む封筒または郵便物である。さらに生物医学的に有用な好ましい実施形態としては、本発明の方法による光処理効果の効果的な範囲が、オプトバイオテック、および／またはオプトプロバイオテック水であって、ここで、前記オプトバイオテック、および／またはオプトプロバイオテック水は、本発明の方法により製造され、かかる水は、光化学作用または本発明の処理効果により毒性種を分解するため、消費者の免疫系に有用であるが、さらに、処理を行う前、間または後に、親化合物（例えば、処理前、液体、気体または固体が包装（ｐａｃｋａｇｉｎｇ）中にある場合）を、追加工程（例えば、付加的なチャンバー、導管、ボトル、ジョッキ、容器またはパイプ）を経て、移動させるか、注ぐか、または輸送させる必要がないため、本発明の方法は、オプトプロバイオテック製品に有用であって、さらに、化合物の感受性または大きさが、最終的に包装されている状態での処理を容易にし、時間を削減し、付加工程で、前記容量を移す必要性を取り除き、生物学的適合性および生物学的安全性、純度、新鮮さ、栄養、風味、色、味、におい、鮮明度、見栄え、成分または密度を増加させる。本発明の方法による生物学的、生理学的、および医学の分野のための有用な好ましい実施形態は、多成分化合物および医学および免疫学の分野で、毒性種の光分解を行うことができる、分解に必要な前記生物学用量測定値を、本発明の方法を用いて達成する。前記有用性は、本発明を使用することにより、Ｍ．Ｒ．ｎａ型または他の多成分複合基質または化学的痕跡（ｓｉｇｎａｔｕｒｅ）を分解することにまでわたり、すなわち、残留した生物および化学量を分解することは、消費の上での免疫性を付与する工程にはふさわしい。より詳細には、本発明は、オプトプロバイオテック製品、無菌製品の製造工程に利用でき、医学、農学および産業用途に有用であって、ビン詰め産業および農業食物生産ラインに利用できる。さらには、免疫系のプラスの応答作用および効果（ＭＨＣ　ＩＩ、ＩＩＩ、Ｉ）、例えば、主要適合遺伝子複合体またはＭＨＣを誘引することで、獲得されたヒト免疫系は、予備成形物またはその中（前記パッケージ容量／容量／内的空間）の毒性種の複合内容を含む所定の包装（ｐａｃｋａｇｉｎｇ）中の液体、気体または固体から、本発明の方法により誘引され、さらに、音が形成する光、および光が形成する音、例えば、本発明での光の利用により生じた音響的な一時的な攻撃、および振動励起程度を適用することにより生成された音ルミネセンスまたは光を利用することにより達成するまで、かかる有益な主な製剤を、処理、分解、酸化、滅菌、変化、光化学調節または処理することを誘引し、末端使用者、生産者、ヒト、植物または動物、それらの免疫系による消費での適当な比率を上げ、簡単にいうと、損傷または前記包装（ｐａｃｋａｇｉｎｇ）から、その中の前記液体、気体、固体または組み合わせたものに分子移動（ｍｉｇｒａｔｉｏｎ）を起こすことなく、前記包装（ｐａｃｋａｇｉｎｇ）材料を通じて前記の包装（ｐａｃｋａｇｉｎｇ）中に、本発明による最終処理を行い、それにより、新鮮さ、天然成分、多成分の幾何学的性質の点での品質を、保持し、延ばし、さらに本発明の方法の消毒、滅菌、および包装（ｐａｃｋａｇｉｎｇ）を通じた光処理（ＤＴＰ）により、より高い製品品質を容易にして、より安全な保存寿命を長くするため、本発明の方法は、前記分野における従来の方法の限界に勝り、より少ない工程、より短い時間およびより少ない処理対象の輸送を実現し、最終処理が前記包装（ｐａｃｋａｇｉｎｇ）を通じて行われる（ＤＴＰ）ため、感染した化合物または毒性化合物の輸送による相互汚染の確率を、実質的に、より低くする。
【０５０３】
本発明の好ましい実施形態は、ミネラルウォーターボトルを大量生産するためのラインに、本発明の方法を装備する、すなわち、少なくとも１つの高強度光源またはレーザーを装備することであって、ここで、前記光源は、約０．０１ｍＪ／ｃｍ２〜約５０Ｊｓ／ｃｍ２の高最大出力密度を持つパルスを発生し、さらに、前記光源が、約２２ｎｍ〜約３５５ｎｍの波長を持つ単色光であって（すなわち、レーザー）、前記光のパルスが、約１Ｈｚ〜約１ＧＨｚの反復率を持ち、さらに、前記光が、前記ボトルの透明な部分、半透明部分またはふた、コルクに向けられ、その中の有害な、または毒性のバクテリアを不活性化するか、または取り除くことを保証すること、すなわち、それらを充填、栓をする、および／または後日使用するために封入する前、間または後に、光の適当な波長および特性を用いることにより前記ボトル内の毒性種のＤＮＡおよびＲＮＡ複製配列を、不活性化することを保証する。
【０５０４】
本発明の方法のさらなる環境上の実施形態としては、ボトル、導管またはチャンバーの内容は、飲料、ワイン、医薬製剤、ジュース、飲料水、ミネラル水、インスリン生成物または医薬調製物、ビタミンまたは栄養、アルコール、血液製剤、血漿製剤、空気製品、発射薬用気体、スプレー、あらゆる液体、気体またはその混合複合体を含む湧き水、着香した水、着香料飲料、生物学的痕跡化合物、水、および／または飲料から選択される。
【０５０５】
本発明の方法の新規な環境上の実施形態は、第４次高調波発生モード（すなわち、ＦＨＧ）で操作する、高反復率、高最大出力のＮｄ：Ｙａｇ型、Ｎｄ：ガラス型、Ｎｄ：ＹＬＦ型またはそれらのあらゆる組み合わせた型のレーザーを持ち、さらに本発明の好ましい実施形態は、第３次高調波発生モード（すなわちＴＨＧ）で操作する前記固相（例えば、Ｎｄ：Ｙａｇ型）を持ち、本発明の方法の好ましい実施形態は、放電レーザー、例えば、約１９３ｎｍ〜３０８ｎｍ、および３５１ｎｍの波長で操作するエキシマーレーザーを持ち、さらに、精製、消毒するために、前記光の各々のパルスを瓶詰めされた液体または気体の内容中に合わせ、ＤＮＡおよびＲＮＡ複製配列を不活性化することを確実にし、前記レーザーから発せられた光が、ボトル（すなわち、導管またはチャンバー、ボトルまたはパイプ）を作成した前記材料を浸透するといった非浸潤性消毒方法を提供する。
【０５０６】
本発明の好ましい実施形態は、操作するハイブリッド（ｈｙｂｒｉｄ）レーザーシステムを持ち、ここで、（ａ）ＴＨＧ（３５５ｎｍ）で操作する固相レーザーは、透明なふた、コルク、カプセル、導管またはチャンバーに取り付けられているか、または合わせられていて、さらに、本発明の方法による破壊しない消毒に関連した効率が最大限にするように、ハイブリッド型の放電レーザーを操作することである。さらに、本発明の好ましい実施形態としては、前記包装（ｐａｃｋａｇｉｎｇ）は、液体導波管または濃縮器である。
【０５０７】
本発明の好ましい実施形態は、ＰＥＴ型の包装（ｐａｃｋａｇｉｎｇ）材料を浸透する３５５ｎｍの波長を発生する第３次高調波発生器を持つＮｄ：Ｙａｇレ−ザーを使用して、その中（前記ボトルまたは包装（ｐａｃｋａｇｉｎｇ）中）のＤＮＡおよびＲＮＡ複製配列を不活性化する。かかる本発明の好ましい実施形態は、開裂したパルス状のＵＶＡ光のビームを持つ単一のレーザー装置で行うことができ、ＨＧＦＳ光ファイバー、光子バンドギャップ（ｂａｎｄ ｇａｐ）導波管、ポリマー導波管またはハイブリッド（ｈｙｂｒｉｄ）複合物を通じて、光を伝播させる手段により、複数の場所に分配することである。さらなる本発明の好ましい実施形態は、高反復率、高最大出力、および約１ｍｓ〜約１ｆｓのパルス持続時間を持つ種々のレーザーを使用して、その各ビームは、集められるか、偏光させるか、変換させるか、または撹拌されて、高エネルギー密度でＵＶＡ光の３次元素子を形成し、ここで、前記高エネルギー密度は、ＰＥＴ包装（ｐａｃｋａｇｉｎｇ）または包装（ｐａｃｋａｇｉｎｇ）材料として使用した高分子ハイブリッド（ｈｙｂｒｉｄ）複合物の損傷のしきい値（ｔｈｒｅｓｈｏｌｄ）以下である。
【０５０８】
本発明の好ましい実施形態としては、前記レーザー光源は、（ａ）気体放出型レ−ザー、（ｂ）ダイオードポンプレーザー、（ｃ）プラズマ放電レーザー、（ｄ）固相レーザー、（ｅ）半導体レーザー、（ｆ）結晶型レーザー、（ｇ）、Ｘ線ポンプレーザー、（ｈ）Ｅ−ビームポンプ型ガスレーザータイプ、（ｉ）ＦＥＬ（自由電子レ−ザー増幅器）、（ｊ）ＥＡ／ＦＥＬ（静電加速自由電子レーザー）、有機レ−ザータイプまたはそのあらゆる組み合わせたものから選択される。
【０５０９】
本発明の好ましい実施形態としては、前記レーザー光源は、約１ｎｍ〜約３０００ｎｍで整調でき、さらに、本発明の好ましい実施形態としては、前記レーザー光源は、約３３３ｎｍ〜約３６０ｎｍで整調でき、ここで、各パルスの最大出力密度は、約１ｎＪ／ｃｍ２〜約５０Ｊｓ／ｃｍ２に到達し、前記パルスレーザー光源は、約１Ｈｚ〜約３００Ｈｚの反復率でパルスを発生し、すなわち、本発明の好ましい実施形態は、異なる包装（ｐａｃｋａｇｉｎｇ）材料を含む幅広い用途に適用でき、それらの種特異的な光較正基準は、特異的な用途に使用した前記包装（ｐａｃｋａｇｉｎｇ）材料の損傷しきい値（ｔｈｒｅｓｈｏｌｄ）に適宜応じて、特異的な生物学用量測定値または曲線を計算できる。
【０５１０】
本発明の方法のさらなる環境上の実施形態としては、ボトル、導管またはチャンバーの内容は、飲料、ワイン、医薬製剤、ジュース、飲料水、ミネラル水、インスリン生成物または医薬調製物、ビタミンまたは栄養、アルコール、血液製剤、血漿製剤、空気製品、発射薬用気体、スプレー、あらゆる液体、気体、その混合複合体を含む湧き水、着香した水、着香料飲料、生物学的痕跡化合物、水、および／または飲料から選択される。
【０５１１】
本発明の方法の新規な環境上の実施形態は、ｕｖジェット（ｕｖｊｅｔ）を駆動するか、またはその中または全体にわたって空間的にパルスレーザー光で処理し、第４次高調波発生モード（すなわち、ＦＨＧ）で操作する、高反復率、高最大出力のＮｄ：Ｙａｇ型、Ｎｄ：ガラス型、Ｎｄ：ＹＬＦ型またはそれらのあらゆる組み合わせた型のレーザーを持ち、さらに本発明の好ましい実施形態は、第３次高調波発生モード（すなわちＴＨＧ）で操作する前記固相（例えば、Ｎｄ：Ｙａｇ型）を持ち、本発明の方法の好ましい実施形態は、放電レーザー、例えば、約１９３ｎｍ〜３０８ｎｍ、および３５１ｎｍの波長で操作するエキシマーレーザーを持ち、さらに、精製、消毒するために、前記光の各パルスを瓶詰めされた液体または気体の内容中に合わせ、ＤＮＡおよびＲＮＡ複製配列を不活性化することを確実にし、前記レーザーから発せられた光が、ボトル（すなわち、導管またはチャンバー、ボトルまたはパイプ）を作成した前記材料を浸透するといった非浸潤性消毒方法を提供する。
【０５１２】
本発明の好ましい実施形態は、操作するハイブリッド（ｈｙｂｒｉｄ）レーザーシステムを持ち、ここで、（ａ）ＴＨＧ（３５５ｎｍ）で操作する固相レーザーが、透明なふた、コルク、カプセル、導管またはチャンバーに取り付けられているか、または合わせられていて、さらに、本発明の方法による破壊しない消毒と関連した効率が最大限にするように、ハイブリッド型の放電レーザーを操作する。さらに、本発明の好ましい実施形態としては、前記包装（ｐａｃｋａｇｉｎｇ）は、液体導波管または濃縮器である。
【０５１３】
本発明の好ましい実施形態は、ヒト、および動物の皮膚の表面を透過し、３５５ｎｍの波長を発生する第３次高調波発生器を持つＮｄ：Ｙａｇレ−ザーを使用する、すなわち、速やかに、それらの血液中の（血液中、すなわち前記皮膚下）ＤＮＡおよびＲＮＡ複製配列を不活性化する。かかる本発明の好ましい実施形態は、開裂したパルス状のＵＶＡ光のビームを持つ単一のレーザー装置で行うことができ、ＨＧＦＳ光ファイバー、光子バンドギャップ（ｂａｎｄ ｇａｐ）導波管、ポリマー導波管またはハイブリッド（ｈｙｂｒｉｄ）複合物を通じて、光を伝播させる手段により、複数の場所に分配し、遠位の各先端が、体のカバー部分、すなわち比較的に曝露され、前記表面付近に都合よく位置している血管の近くかまたは広範囲にわたって、取り付けられるか、担持されるか、または貫通している（すなわち、伝達、および結合状態の向上のために）。さらなる本発明の好ましい実施形態は、高反復率、高最大出力、および約１ｍｓ〜約１ｆｓのパルス持続時間を持つ種々のレーザーを使用することで、それらの各々のビームは、集められるか、偏光させるか、変換されるか、または撹拌されて、高エネルギー密度でＵＶＡ光の３次元素子を形成し、ここで、前記高エネルギー密度は、血液または血液製剤に存在する血液成分、栄養、コンディショナー、補体システム、ＭＨＣのＩ、ＩＩ、ＩＩＩ型、およびあらゆる生活細胞の損傷のしきい値（ｔｈｒｅｓｈｏｌｄ）より低く、その中、すなわち、血液または血液製剤中の毒性種の不活性化に効果的である。
【０５１４】
本発明の好ましい実施形態としては、前記レーザー光源は、（ａ）ガス放電レーザー、（ｂ）ダイオードポンプレーザー、（Ｃ）プラズマ放電レーザー、（ｄ）固相レーザー、（ｅ）半導体レーザー、（ｆ）結晶型のレーザー、（ｆ）Ｅ−ビームポンプガスレーザータイプ、（ｌ）ＦＥＬ（自由電子レーザー増幅器）、（ｊ）ＥＡ／ＦＥＬ（静電加速自由電子レーザー）、有機レーザータイプまたはそれらのあらゆる組み合わせから選択される。
【０５１５】
本発明の好ましい実施形態としては、前記レーザー光源は、約１ｎｍ〜約３０００ｎｍで整調でき、さらに、本発明の好ましい実施形態としては、前記レーザー光源は、約３３３ｎｍ〜約３６０ｎｍで整調でき、ここで、各パルスの最大出力密度は、約１ｎＪ／ｃｍ２〜約５０Ｊｓ／ｃｍ２に到達し、前記パルスレーザー光源は、約１Ｈｚ〜約３００Ｈｚの反復率でパルスを発生し、すなわち、本発明の好ましい実施形態は、異なる包装（ｐａｃｋａｇｉｎｇ）材料を含む幅広い用途に適用でき、それらの種特異的な光較正基準は、特異的な用途に使用した前記包装（ｐａｃｋａｇｉｎｇ）材料の損傷しきい値（ｔｈｒｅｓｈｏｌｄ）に適宜応じて、特異的な生物学用量測定値または曲線を計算できる。
【０５１６】
本発明の好ましい実施形態は、本発明の方法を用いた装置の好ましいモードを例示している。ここで、本発明は、製品またはその容量を損傷または光化学損傷を与えることなく、または前記包装（ｐａｃｋａｇｉｎｇ）から副生成物を移動させることなく、本発明に基づき、それらの包装（ｐａｃｋａｇｉｎｇ）中の水を主成分とした製品を滅菌および消毒し、さらには、約１ｍＬ〜約１００００Ｌの容量を持つ前記包装（ｐａｃｋａｇｉｎｇ）材料の全体にわたって、消毒または滅菌することであって、ここで、前記包装（ｐａｃｋａｇｉｎｇ）は、ＰＥＴ、ポリオレフィレン、およびポリアミド、ポリカルボネート、ポリエーテルアミド、ポリエステル、ＰＥ／ＨＤ、ナイロンまたはプラスチック、シリコン、紙、シルクセルライト、複合物、ガラスまたはあらゆるポリマー樹脂の組み合わせから選択され、その中には、砂糖、香料、食品添加物また、ビタミン、ミネラル、栄養補助食品または栄養添加物を含んでいて、ここで、前記水中に砂糖を含む前記包装（ｐａｃｋａｇｉｎｇ）内容中の前記各成分の割合は、１Ｌあたり約１ｇ〜約９８７ｇ（体積濃度あたり約１％〜約９９％）であって、したがって、着香した水は、１Ｌあたり１００ｇまでの砂糖を含み、より高い濃度のグルコースパッケージは、本発明の範囲または多様性の一例である。さらには、本発明の環境保全のための実施形態では、倉庫、貯蔵庫もしくは充填、包装または輸送ラインに、本発明の方法による装置を設備すること、および約１００ｍＬ〜約１００Ｌの容量の瓶詰めされた水製品を、前記包装（ｐａｃｋａｇｉｎｇ）を通じて消毒するか、または滅菌することで飲料または消費の品質水準が増加する。
【０５１７】
本発明の好ましい実施形態としては、約３５５ｎｍで操作される固相パルス状のＵＶＡレーザー光源が、少なくとも１つの流動液体導波管を持つ光チャネルおよび増幅システムを通じて、光を放出し、高いエネルギー密度が、瓶詰めされた水、処理された水、着香した水または炭酸水を含む所定の包装（ｐａｃｋａｇｉｎｇ）材料と共役すること、発泡または蒸留の組み合わせたものを前記包装（ｐａｃｋａｇｉｎｇ）内に封入し、本発明の方法により滅菌するか、または消毒し、ここで、全体にわたって消毒される前記包装（ｐａｃｋａｇｉｎｇ）の容量は、１００ｍＬ、０．５Ｌ、１Ｌまたは１．５Ｌもしくは約０．５ガロン〜約２０ガロンから選択され、ここで、前記光は、跳ね返るか、反射するか、偏光するか、拡散するか、またはその中（すなわち、前記包装（ｐａｃｋａｇｉｎｇ）内の内容中）の所定濃度の有毒な生物学的または化学的成分の所定の統計的部分に吸収され、ここで、前記包装（ｐａｃｋａｇｉｎｇ）の成分またはその中の内容の成分は、消毒、滅菌または酸化の間、安定で、無害なままであって、前記レーザーエネルギー特性および前記包装（ｐａｃｋａｇｉｎｇ）、その中（前記包装（ｐａｃｋａｇｉｎｇ）中の液体または気体の中）の多成分およびＤＮＡ／ＲＮＡ複製配列の十分な不活性化、その中（前記包装（ｐａｃｋａｇｉｎｇ）中の液体または気体の中）の毒性有機化合物の無機物化について前もって計算した容量反応曲線は、丘状になる。さらに、本発明の好ましい実施形態では、レーザーパルス反復率が、約１Ｈｚ〜約１ＴＨｚであって、ここで、そのエネルギー密度が約１ｎＪ〜約１０００Ｊｓｃｍ２に達する。
【０５１８】
操作の好ましいモードは、パルスが、マイクロ秒未満でパルス幅またはパルス持続時間を持つ条件で、レーザーまたは光源を約３５５ｎｍで操作する場合であり、また一方、包装（ｐａｃｋａｇｉｎｇ）材料製作技術でのさらなる斬新的な工程により、今まで産業、農業または医学分野に利用されていない、液体または気体を包装するためのさらなる材料、例えば、３５５ｎｍ以外の付加的な伝導ウィンドウ（損傷を与えることのない包装（ｐａｃｋａｇｉｎｇ））の利用を促進し、そのように、本発明の方法は、より速い光輸送、ポンプ、転嫁、光学的または空間的操作、伝播、ターゲティング、拡散または吸収を利用し、次に、前記包装（ｐａｃｋａｇｉｎｇ）材料の分子熱変動を利用することにより斬新的な工程を容易させる、すなわち、包装（ｐａｃｋａｇｉｎｇ）に損傷を与えずに、消毒または滅菌を行う。
【０５１９】
包装（ｐａｃｋａｇｉｎｇ）を通じた消毒（ＤＴＰ）ための本発明の方法を用いた装置を操作する好ましいモードにおける本発明の好ましい実施形態としては、水を主成分とした製品のための前記包装（ｐａｃｋａｇｉｎｇ）が、１／２Ｌ、１Ｌ、１．５Ｌまたは２Ｌのボトルまたは１ガロン、２ガロン、５ガロン、１０ガロンまたは２０ガロンから選択され、パイプ型の導管またはチャンバーは、前記包装（ｐａｃｋａｇｉｎｇ）を通じてか、または前記包装（ｐａｃｋａｇｉｎｇ）へ／から液体または気体全体にわたる伝播のために相互接続されているか、または相互操作されており、無菌か、非処理、着香されているか、炭酸ガスを飽和されているか、酸化されているか、または成分または多成分で強化され、増強されるか、増加され、その中（包装（ｐａｃｋａｇｉｎｇ））の広範囲のオプトロニクス品質および光学特性と化学的および／または生物学的と調和している。
【０５２０】
特に有用な環境上の本発明の実施形態としては、前記包装（ｐａｃｋａｇｉｎｇ）が、カプセル、ピル、ボトル、ジョッキ、タンク容器、導管またはチャンバーのような形状または組み合わせたものから選択されるか、郵便物または手紙用の封筒のように紙でできていてもよく、本発明の方法による処理を通じて、所定の圧力での過酸化水蒸気が増加することは、前記包装（ｐａｃｋａｇｉｎｇ）の中および全体に、光および過酸化水（Ｈ２Ｏ２）を用いた高度酸化技術（ＡＯＴ）を行うのに有用である。本発明の改良した実施形態は、前記包装（ｐａｃｋａｇｉｎｇ）材料に損傷を与えることなく、または前記包装（ｐａｃｋａｇｉｎｇ）内にそれらの液体または気体内容から分子移動を起こすことなく、包装（ｐａｃｋａｇｉｎｇ）を通じた消毒（ＤＴＰ）ための本発明の方法を使用する装置を操作する好ましいモードを持つ。
【０５２１】
本発明の好ましい実施形態としては、前記包装（ｐａｃｋａｇｉｎｇ）が、モノマー、カルボマー、ポリマー、樹脂または組み合わせたものから選択されて作られるボトル、ジョッキ、容器、導管またはチャンバー型の形状であり、例えば、あらゆる生物学的適合性包装（ｐａｃｋａｇｉｎｇ）が、水、空気、液体または気体を、一時的、または永続的に、保持する能力持ち、ここで、前記水、空気、液体または気体は、末端使用者、生産者、生産業者、科学技術者、医学関係者、医者および農業食品生産市場関係者、科学者および技師により後に消費されるためのものである。包装（ｐａｃｋａｇｉｎｇ）を通じた消毒のためのさらなる好ましい実施形態としては、前記包装（ｐａｃｋａｇｉｎｇ）が、ピル、カプセル、バッグまたは組み合わせたもの、もしくは穴のあいた腸詰めのようなバッグから選択され、前記包装（ｐａｃｋａｇｉｎｇ）の材料は、ポリマー、プラスチックまたは組み合わせたものから選択される。環境上の好ましい実施形態としては、前記包装（ｐａｃｋａｇｉｎｇ）材料が、飲料水、着香した水、炭酸水、飲料、ジュース、農業食品製品、果物または菓子製品を収納するか、輸送するか、保持するか、または送るために用いられることである。本発明の方法の好ましい実施形態としては、前記包装（ｐａｃｋａｇｉｎｇ）は、グルコース、生物医学製剤、ワクチン用剤、ワクチン製剤または本発明の方法による医学的オプトプロバイオテック化合物を保持する。
【０５２２】
本発明の好ましい実施形態としては、前記包装（ｐａｃｋａｇｉｎｇ）が、少なくともひとつの放射装置または光源で曝露され、前記装置または光源が、固相レーザー、放電加工レーザー、プラズマ駆動レーザー、半導体レーザー、有機レーザー、電子ビームポンプレーザー、自由電子レーザー、ドープ処理ファイバーレーザー、ＳＡＳＥ／ＥＡ／ＦＥＬレーザー、ファイバーレーザー、ダイオードポンプレーザー、結晶関連レーザー、ドープ処理ガラス関連レーザー、ＦＥＬｓレーザー、ポリマーレーザー、ＰＷ／ＣＷ型レーザー、量子ドット型レーザー、レーザーアレイ、フラッシュランプポンプレーザー、ウォーターレーザー、光のバンドギャップレーザー、シードまたは増幅レーザー、時間圧縮または拡張レーザー、ｑ−スイッチ型レーザー、双方向調和型レーザー、音波−光学レーザー、超音波レーザー、Ｘ線ポンプレーザー、Ｙポンプレーザー、Ｅ−ビームポンプレーザー、触媒型レーザー、光電気触媒型レーザー、エアー・レーザー、地面固定型レーザー、可動および小型レーザー、薄膜型レーザー、ベーパーレーザー、ウォーターレーザー、光バンドギャップレーザー、ＣＷランプ、ＰＷランプ、準ＣＷランプ、ＬＰＨＯランプ、中圧ＵＶランプ、低圧ＵＶランプ、ＣＷ、ＰＷ、準ＣＷハイブリッド（ｈｙｂｒｉｄ）複合型ランプおよびレーザーまたは組み合わせたものから選択される、ここで、前記放射装置または光源からの光は、前記光装置から、前記パッケージの近傍にまでのびた導波管と共役し、さらに、前記強度光は、前記内容、容量または包装（ｐａｃｋａｇｉｎｇ）表面を、所定の場所内、所定の期間にわたって、消毒および滅菌するために、前記包装（ｐａｃｋａｇｉｎｇ）およびその中の内容全体を網羅する程度に達している。
【０５２３】
本発明の方法の好ましい実施形態としては、前記放射装置または光源またはハイブリッド（ｈｙｂｒｉｄ）複合型のレーザーおよびランプからの光は、前記供給された光または分散した光を制御することができる、例えば、それらの光学的特性または空間的特性を、操作することができる光学処理装置を通じて伝播され、その操作により、光の分布または均一性を最大限にするか、または前記包装（ｐａｃｋａｇｉｎｇ）内、前記包装（ｐａｃｋａｇｉｎｇ）の内容中、または前記包装（ｐａｃｋａｇｉｎｇ）の表面上に存在している毒性種の不活性化、滅菌または消毒または解離または酸化に適するように、累積または即時生物学的測定曲線を調整する。
【０５２４】
ワクチン製剤製造方法および技術の提供および促進のために特に有用な好ましい実施形態は、本発明の方法を使用することにより機能強化させ、オプトバイオテックの有益な効果が、農業食品または生物医学分野の製品に増進されるように、前記内容または包装（ｐａｃｋａｇｉｎｇ）表面、またはその中の液体、気体または固体内の残留物、および残渣、バイオマスまたは化学物質を、本発明の方法により、処理し、曝露する。
【０５２５】
さらに本発明の好ましい実施形態としては、オプトプロバイオテック製品が、本発明の方法により製造され、消毒される前記包装（ｐａｃｋａｇｉｎｇ）内および内容中の毒性種を曝露し、追跡認識を、消費、本発明の方法の処理前に行う。本発明の方法により操作される装置の好ましいモードとしては、前記放射装置、レーザーまたは光源は、パルス状のまたは連続波の光源であり、さらに好ましいモードとしては、前記放射装置は、マイクロ秒未満のパルス状の光源を含む。
【０５２６】
本発明の好ましい実施形態としては、光を前記包装（ｐａｃｋａｇｉｎｇ）、内容、空間、容量または組み合わせたものに伝播する前記光学処理装置が、回折性光素子、レンズまたはキューブ、開裂または再結合オプティックスおよび電子−光素子、ディフューザー、反射器、プリズム、望遠鏡型ズーム、ズームエキスパンダー、屈折オプティックス、変換または調和発振器、ポンプまたは増幅シグナル、増幅器、トランスデューサー、空間プロセッサー、スキャナー、撹拌器、ビームの位置決め、均一化基準（ｌｏｃａｔｉｏｎ ｅｑｕａｔｉｏｎ）および輸送インターフェース（ｔｒａｎｓｐｏｒｔ ｉｎｔｅｒｆａｃｅｓ）、光支持手段でのロボットアーム、光ブレッドボード、導波管（ＨＧＦＳ、ＳＦＳ）、光バンドギャップ（ｂａｎｄ ｇａｐ）、結晶、液体導波管、流動液体導波管またはそれらのあらゆる組み合わせたものから選択される。
【０５２７】
本発明の好ましい実施形態としては、操作するレーザーまたはランプが、ＣＷ、ＰＷ、準ＣＷ、ハイブリッド（ｈｙｂｒｉｄ）、液体または気体をベースとしたレーザー、前記放射装置、光源を組み合わせたものまたは一体化したものであって、さらに、ダイアモンドをベースとしたレーザー、ファイバーレーザー、ＴＳＡ／ＳＥ／ＥＡ／ＦＥＬｓレーザー、放電加工レーザー、ウォーターレーザー、ダイオードポンプまたは有機型レーザー、プラズマレーザー、半導体レーザー、増幅または調和発生レーザー、ＣＷ、ＰＷランプまたは組み合わせたものを含む。
【０５２８】
本発明の好ましい実施形態としては、前記機器または装置を、特定の機械制御プロトコルに、光学的に同調させるか、電気的に連結させるか、関連させるか、誘引させるか、または解像させて、包装（ｐａｃｋａｇｉｎｇ）を通じた光エネルギーの伝播および分布を促進させ、さらにおよび前記包装（ｐａｃｋａｇｉｎｇ）を通じた、前記包装（ｐａｃｋａｇｉｎｇ）またはその中（前記包装（ｐａｃｋａｇｉｎｇ）内容または容量）の多成分に損傷を与えることなく、毒性種の滅菌または消毒、解離または酸化に適した、前記生物学用量測定曲線または化学的用量測定曲線の較正および調節する。
【０５２９】
本発明の好ましい実施形態としては、消毒する包装（ｐａｃｋａｇｉｎｇ）は、胞子、バクテリアまたは毒性のある生物学的または化学的由来の化合物を含む封筒または郵便物である。さらに生物医学的に有用な好ましい実施形態としては、本発明の方法による光処理効果の効果的な範囲が、オプトバイオテック、および／またはオプトプロバイオテック水であって、ここで、前記オプトバイオテック、および／またはオプトプロバイオテック水は、本発明の方法により製造され、かかる水は、光化学作用または本発明の処理効果により毒性種を分解するため、消費者の免疫系に有用であるが、さらに、処理を行う前、間または後に、親化合物（例えば、処理前に、液体、気体または固体が包装（ｐａｃｋａｇｉｎｇ）中にある場合）を、追加工程（例えば、付加的なチャンバーまたは導管、ボトル、ジョッキ、容器またはパイプ）を経て、移動させるか、注ぐか、輸送させる必要がないため、本発明の方法は、オプトプロバイオテック製品に有用であって、さらに、化合物の感受性または大きさが、最終的に包装されている状態での処理を容易にし、時間を削減し、付加工程で、前記容量を移す必要性を取り除き、生物学的適合性および生物学的安全性、純度、新鮮さ、栄養、風味、色、味、におい、鮮明度、見栄え、成分または密度を増加させる。本発明の方法による生物学的、生理学的、および医学の分野のための有用な好ましい実施形態は、多成分化合物および医学および免疫学の分野で、毒性種の光分解を行うことができる、分解に必要な前記生物学用量測定値を、本発明の方法を用いて達成する。前記有用性は、本発明を使用することにより、Ｍ．Ｒ．ｎａ型または他の多成分複合基質または化学的痕跡（ｓｉｇｎａｔｕｒｅ）を分解することにまでわたり、すなわち、残留した生物および化学量を分解することは、消費の上での免疫性を付与する工程にはふさわしい。より詳細には、本発明は、オプトプロバイオテック製品、無菌製品の製造工程に利用でき、医学、農学および産業用途に有用であって、ビン詰め産業および農業食物生産ラインに利用できる。さらには、免疫系のプラスの応答作用および効果（ＭＨＣ　ＩＩ、ＩＩＩ、Ｉ）、例えば、主要適合遺伝子複合体またはＭＨＣを誘引することで、獲得されたヒト免疫系は、予備成形物またはその中（前記パッケージ容量／容量／内的空間）の毒性種の複合内容を含む所定の包装（ｐａｃｋａｇｉｎｇ）中の液体、気体または固体から、本発明の方法により誘引され、さらに、音が形成する光、および光が形成する音、例えば、本発明での光の利用により生じた音響的な一時的な攻撃、および振動励起程度を適用することにより生成された音ルミネセンスまたは光を利用することにより達成するまで、かかる有益な主な製剤を、処理、分解、酸化、滅菌、変化、光化学調節または処理することを誘引し、末端使用者、生産者、ヒト、植物または動物、それらの免疫系による消費での適当な比率を上げ、簡単にいうと、損傷、または前記包装（ｐａｃｋａｇｉｎｇ）から、その中の前記液体、気体、固体または組み合わせたものに分子移動（ｍｉｇｒａｔｉｏｎ）を起こすことなく、前記包装（ｐａｃｋａｇｉｎｇ）材料を通じて前記の包装（ｐａｃｋａｇｉｎｇ）中に、本発明による最終処理を行い、それにより、新鮮さ、天然成分、多成分の幾何学的性質の点での品質を、保持し、延ばし、さらに本発明の方法の消毒、滅菌、および包装（ｐａｃｋａｇｉｎｇ）を通じた光処理（ＤＴＰ）により、より高い製品品質を容易にして、より安全な保存寿命を長くするため、本発明の方法は、前記分野における従来の方法の限界に勝り、より少ない工程、より短い時間およびより少ない処理対象の輸送を実現し、最終処理が前記包装（ｐａｃｋａｇｉｎｇ）を通じて行われる（ＤＴＰ）ため、感染した化合物または毒性化合物の輸送による相互汚染の確率を、実質的に、より低くする。
【０５３０】
本発明の好ましい実施形態は、ミネラルウォーターボトルを大量生産するためのラインに、本発明の方法を装備する、すなわち、少なくとも１つの高強度光源またはレーザーを装備し、ここで、前記光源は、約０．０１ｍＪ／ｃｍ２〜約５０Ｊｓ／ｃｍ２の高最大出力密度を持つパルスを発生し、さらに、前記光源が、約２２ｎｍ〜約３５５ｎｍの波長を持つ単色光であって（すなわち、レーザー）、前記光のパルスが、約１Ｈｚ〜約１ＧＨｚの反復率を持ち、さらに、前記光が、前記ボトルの透明な部分または半透明部分、ふたまたはコルクに向けられ、その中の有害な、または毒性のバクテリアを不活性化するか、取り除くことを保証すること、すなわち、それらを充填、栓をする、および／または後日使用するために封入する前、間または後に、光の適当な波長およびおよび特性を用いることにより前記ボトル内の毒性種のＤＮＡおよびＲＮＡ複製配列を、不活性化することを保証する。
【０５３１】
本発明の方法のさらなる環境上の実施形態としては、ボトル、導管またはチャンバーの内容が、飲料、ワイン、医薬製剤、ジュース、飲料水、ミネラル水、インスリン生成物または医薬調製物、ビタミンまたは栄養、アルコール、血液製剤、血漿製剤、空気製品、発射薬用気体、スプレー、あらゆる液体、気体またはその混合複合体を含む湧き水、着香した水、着香料飲料、生物学的痕跡化合物、水、および／または飲料から選択される。
【０５３２】
本発明の方法の新規な環境上の実施形態は、第４次高調波発生モード（すなわち、ＦＨＧ）で操作する、高反復率、高最大出力のＮｄ：Ｙａｇ型、Ｎｄ：ガラス型、Ｎｄ：ＹＬＦ型またはそれらのあらゆる組み合わせた型のレーザーを持ち、さらに本発明の好ましい実施形態は、第３次高調波発生モード（すなわちＴＨＧ）で操作する前記固相（例えば、Ｎｄ：Ｙａｇ型）を持ち、本発明の方法の好ましい実施形態は、放電レーザー、例えば、約１９３ｎｍ〜３０８ｎｍ、および３５１ｎｍの波長で操作するエキシマーレーザーを持ち、さらに、精製、消毒するために、前記光の各々のパルスを瓶詰めされた液体または気体の内容中に合わせ、ＤＮＡおよびＲＮＡ複製配列を不活性化することを確実にし、前記レーザーから発せられた光が、ボトル（すなわち、導管、チャンバーまたはボトルまたはパイプ）を作成した前記材料を浸透するといった非浸潤性消毒方法を提供する。
【０５３３】
本発明の好ましい実施形態は、操作するハイブリッド（ｈｙｂｒｉｄ）レーザーシステムを持ち、ここで、（ａ）ＴＨＧ（３５５ｎｍ）で操作する固相レーザーは、透明なふた、コルク、カプセル、導管またはチャンバーに取り付けられているか、合わせられていて、さらに、本発明の方法による破壊しない消毒と関連した効率が最大限にするように、ハイブリッド型の放電レーザーを操作する。さらに、本発明の好ましい実施形態としては、前記包装（ｐａｃｋａｇｉｎｇ）は、液体導波管または濃縮器である。
【０５３４】
本発明の好ましい実施形態は、ＰＥＴ型の包装（ｐａｃｋａｇｉｎｇ）材料を浸透する３５５ｎｍの波長を発生する第３次高調波発生器を持つＮｄ：Ｙａｇレ−ザーを使用して、その中（前記ボトルまたは包装（ｐａｃｋａｇｉｎｇ）中）のＤＮＡおよびＲＮＡ複製配列を不活性化する。かかる本発明の好ましい実施形態は、開裂したパルス状のＵＶＡ光のビームを持つ単一のレーザー装置で行うことができ、ＨＧＦＳ光ファイバー、光子バンドギャップ（ｂａｎｄ ｇａｐ）導波管、ポリマー導波管またはハイブリッド（ｈｙｂｒｉｄ）複合物を通じて、光を伝播させる手段により、複数の場所に分配する。さらなる本発明の好ましい実施形態は、高反復率または高最大出力、および約１ｍｓ〜約１ｆｓのパルス持続時間を持つ種々のレーザーを使用して、それらの各々のビームは、集められるか、偏光させるか、変換させるか、または撹拌されて、高エネルギー密度でＵＶＡ光の３次元素子を形成し、ここで、前記高エネルギー密度は、ＰＥＴ包装（ｐａｃｋａｇｉｎｇ）または包装（ｐａｃｋａｇｉｎｇ）材料として使用した高分子ハイブリッド（ｈｙｂｒｉｄ）複合物の損傷のしきい値（ｔｈｒｅｓｈｏｌｄ）以下である。
【０５３５】
本発明の好ましい実施形態としては、前記レーザー光源は、（ａ）気体放出型レ−ザー、（ｂ）ダイオードポンプレーザー、（ｃ）プラズマ放電レーザー、（ｄ）固相レーザー、（ｅ）半導体レーザー、（ｆ）結晶型レーザー、（ｇ）、Ｘ線ポンプレーザー、（ｈ）Ｅ−ビームポンプ型ガスレーザータイプ、（ｉ）ＦＥＬ（自由電子レ−ザー増幅器）、（ｊ）ＥＡ／ＦＥＬ（静電加速自由電子レーザー）、有機レ−ザータイプまたはそのあらゆる組み合わせたものから選択される。
【０５３６】
本発明の好ましい実施形態としては、前記レーザー光源は、約１ｎｍ〜約３０００ｎｍで整調でき、さらに、本発明の好ましい実施形態としては、前記レーザー光源が、約３３３ｎｍ〜約３６０ｎｍで整調でき、ここで、各パルスの最大出力密度は、約１ｎＪ／ｃｍ２〜約５０Ｊｓ／ｃｍ２に到達し、前記パルスレーザー光源は、約１Ｈｚ〜約３００Ｈｚの反復率でパルスを発生し、すなわち、本発明の好ましい実施形態は、異なる包装（ｐａｃｋａｇｉｎｇ）材料を含む幅広い用途に適用でき、それらの種特異的な光較正基準は、特異的な用途に使用した前記包装（ｐａｃｋａｇｉｎｇ）材料の損傷しきい値（ｔｈｒｅｓｈｏｌｄ）に適宜応じて、特異的な生物学用量測定値または曲線を計算できる。
【０５３７】
本発明の方法のさらなる環境上の実施形態は、ボトル、導管またはチャンバーの内容が、飲料、ワイン、医薬製剤、ジュース、飲料水、ミネラル水、インスリン生成物、医薬調製物、ビタミン、栄養、アルコール、血液製剤、血漿製剤、空気製品、発射薬用気体、スプレー、あらゆる液体、気体またはその混合複合体を含む湧き水、着香した水、着香料飲料、生物学的痕跡化合物、水、および／または飲料から選択される。
【０５３８】
本発明の方法の新規な環境上の実施形態は、ｕｖジェット（ｕｖｊｅｔ）を駆動するか、またはその中または全体にわたって空間的にパルスレーザー光で処理し、第４次高調波発生モード（すなわち、ＦＨＧ）で操作する、高反復率、高最大出力のＮｄ：Ｙａｇ型、Ｎｄ：ガラス型、Ｎｄ：ＹＬＦ型またはそれらのあらゆる組み合わせた型のレーザーを持ち、さらに本発明の好ましい実施形態は、第３次高調波発生モード（すなわちＴＨＧ）で操作する前記固相（例えば、Ｎｄ：Ｙａｇ型）を持ち、本発明の方法の好ましい実施形態は、放電レーザー、例えば、約１９３ｎｍ〜３０８ｎｍ、および３５１ｎｍの波長で操作するエキシマーレーザーを持ち、さらに、精製、消毒するために、前記光の各々のパルスを瓶詰めされた液体または気体の内容中に合わせ、ＤＮＡおよびＲＮＡ複製配列を不活性化することを確実にし、前記レーザーから発せられた光が、ボトル（すなわち、導管、チャンバー、ボトルまたはパイプ）を作成した前記材料を浸透するといった非浸潤性消毒方法を提供する。
【０５３９】
本発明の好ましい実施形態は、操作するハイブリッド（ｈｙｂｒｉｄ）レーザーシステムを持ち、ここで、（ａ）ＴＨＧ（３５５ｎｍ）で操作する固相レーザーが、透明なふた、コルク、カプセル、導管またはチャンバーに取り付けられているか、合わせられていて、さらに、本発明の方法による破壊しない消毒と関連した効率が最大限にするように、ハイブリッド型の放電レーザーを操作する。さらに、本発明の好ましい実施形態としては、前記包装（ｐａｃｋａｇｉｎｇ）は、液体導波管または濃縮器である。
【０５４０】
本発明の好ましい実施形態は、ヒト、および動物の皮膚の表面を透過し、３５５ｎｍの波長を発生する第３次高調波発生器を持つＮｄ：Ｙａｇレ−ザーを使用すること、すなわち、速やかに、それらの血液中の（血液中、すなわち前記皮膚下）ＤＮＡおよびＲＮＡ複製配列を不活性化する。かかる本発明の好ましい実施形態は、開裂したパルス状のＵＶＡ光のビームを持つ単一のレーザー装置で行うことができ、ＨＧＦＳ光ファイバー、光子バンドギャップ（ｂａｎｄ ｇａｐ）導波管、ポリマー導波管またはハイブリッド（ｈｙｂｒｉｄ）複合物を通じて、光を伝播させる手段により、複数の場所に分配し、遠位の各先端が、体のカバー部分、すなわち比較的に曝露され、前記表面付近に都合よく位置している血管の近くかまたは広範囲にわたって、取り付けられるか、担持されるか、または貫通している（すなわち、伝達、および結合状態の向上のために）。さらなる本発明の好ましい実施形態は、高反復率または高最大出力、および約１ｍｓ〜約１ｆｓのパルス持続時間を持つ種々のレーザーを使用し、それらの各ビームは、集められるか、偏光させるか、変換されるか、または撹拌されて、高エネルギー密度でＵＶＡ光の３次元素子を形成し、ここで、前記高エネルギー密度は、血液または血液製剤に存在する血液成分、栄養、コンディショナー、補体システム、ＭＨＣのＩ、ＩＩ、ＩＩＩ型、およびあらゆる生活細胞の損傷のしきい値（ｔｈｒｅｓｈｏｌｄ）より低く、その中、すなわち、血液または血液製剤中の毒性種の不活性化に効果的である。
【０５４１】
本発明の好ましい実施形態としては、前記レーザー光源が、（ａ）ガス放電レーザー、（ｂ）ダイオードポンプレーザー、（ｃ）プラズマ放電レーザー、（ｄ）固相レーザー、（ｅ）半導体レーザー、（ｆ）結晶型のレーザー、（ｆ）Ｅ−ビームポンプガスレーザータイプ、（ｌ）ＦＥＬ（自由電子レーザー増幅器）、（ｊ）ＥＡ／ＦＥＬ（静電加速自由電子レーザー）、有機レーザータイプまたはそれらのあらゆる組み合わせから選択される。
【０５４２】
本発明の好ましい実施形態としては、前記レーザー光源は、約１ｎｍ〜約３０００ｎｍで整調でき、さらに、本発明の好ましい実施形態としては、前記レーザー光源は、約３３３ｎｍ〜約３６０ｎｍで整調でき、ここで、各パルスの最大出力密度は、約１ｎＪ／ｃｍ２〜約５０Ｊｓ／ｃｍ２に到達し、前記パルスレーザー光源は、約１Ｈｚ〜約３００Ｈｚの反復率でパルスを発生し、すなわち、本発明の好ましい実施形態は、異なる包装（ｐａｃｋａｇｉｎｇ）材料を含む幅広い用途に適用できる、それらの種特異的な光較正基準は、特異的な用途に使用した前記包装（ｐａｃｋａｇｉｎｇ）材料の損傷しきい値（ｔｈｒｅｓｈｏｌｄ）に適宜応じて、特異的な生物学用量測定値または曲線を計算できる。
【０５４３】
本発明は、おびただしい生物医学的、および生物学的用途（関連分野の末端使用者、生産者および研究者を含む）において、非浸潤性消毒、精製、および毒性種の複製配列（ＤＮＡおよびＲＮＡ）の不活性化または均等化のための新規の方法を開示し、以下の工程：所定のチャンバーまたは導管に、所定量の非浸潤性処理を行う液体または気体を充填、分配、保持または貯蓄することを含む。
【０５４４】
透明ポリマーまたはガラスのふたを持つ閉じられた前記導管またはチャンバーは、所定の作用スペクトルを持ち、約２６０ｎｍ〜約３６０ｎｍの波長の光を輸送、および伝播できる。
【０５４５】
表面処理および口腔衛生を目的とした本発明の新規の方法の実施は、（ａ）約２５万の光子／ｃｍ２／秒〜約９９９兆の光子／ｃｍ２／秒の伝達能力を持つ導波誘導ブラシ（ＷＤＢ）の照度またはイラジエーションを利用することがあげられ、１ピコ秒間、１フェムト秒間または１アト秒間、口に適用し、速やかに、複雑に湾曲した内面を消毒し、処置の前に、消毒の浸透の深さを調節して、次世代の歯磨きに適用し、前記歯磨きは、以下に示す活性成分のうち１つを含む。：前記活性成分は、光触媒反応化合物（ＣＣＣ）、Ｕ．Ｐ．Ｗにおける、酸素チャージを生じる多成分化合物（ＳＹＯＣＨ）、３次元高分子フレーム構造で、一時的または永続的に安定し、保持されたｐＨの生物分解性があって、生物学的適合性のカルボマーまたはＢＩ−ポリマーであって、前記カルボマーまたはポリマーは、光触媒および／または閃輝性変換素子を含み、それらは、それらの量子効率から（超伝導体から絶縁体または半導体から）選択された所定の電荷移動係数、吸収率、屈折率特性、および音波特性を持ち、ここで、水の柔軟性により、構造的に酸素電荷を生じさせる汎用体を提供し、水、液体、気体または空気、懸濁液、体液の中または口内の分解した種を根本的に不活性化して、扱いやすい形状に適用させる（ＳＹＯＣＨ１）。
【０５４６】
［図面の詳細な説明］
図１〜１５により、本発明をさらに説明する。これらの図は、本発明の好ましい実施形態を例示するものであって、本発明の範囲を何ら限定するものではない。
【０５４７】
図１は、図１に図示するように、本発明の方法を説明する。ここで、非浸潤性で、前記包装（ｐａｃｋａｇｉｎｇ）およびそれに含まれている内容に損傷を与えることない、包装（ｐａｃｋａｇｉｎｇ）を通じた消毒および滅菌方法は、以下のことより構成される。強い光源を持つ放射装置（図示せず）、ここで、その光の供給またはパルス持続時間は、本発明の方法による前記包装（ｐａｃｋａｇｉｎｇ）の熱変動より短く、発射されるか、または供給されるパルス状の光ビーム（３）が、前記包装（ｐａｃｋａｇｉｎｇ）または内容の成分に損傷、また生物移動（ｍｉｇｒａｔｉｏｎ）または変化を起こすことなく、前記包装（ｐａｃｋａｇｉｎｇ）を図示のように浸透し、光は、図示のように光の直接的な軌跡または投影により供給される（３）か、または光導波管の使用を通じて供給される（図示せず）。前記包装（ｐａｃｋａｇｉｎｇ）またはチャンバーまたは導管に存在している可能性があるバクテリア、ウィルス、のう胞、かび、細菌、胞子、化学および生物的由来の有毒または毒性種（図示せず）を、滅菌するか、不活性化するか、消毒するか、または分離することで、その中（前記包装（ｐａｃｋａｇｉｎｇ）およびその包装（ｐａｃｋａｇｉｎｇ）表面）を、本発明により、無害にする。前記包装されたボトル（２）が、水、ミネラル水、着香した水、炭酸水、湧き水、および本発明の方法により瓶詰めされるかまたは処理された水を保持していることを図示する。（４）は、前記ボトル中の液体の頂上面と、そのふた（１）との間に残っている空気包または空間を示し、空気は、屈折率１．００を有し、水は、屈折率約１．３を有し、それらを混ぜ合わせると、ディフューザーを形成するか、または空間的に均等化し、前記包装（ｐａｃｋａｇｉｎｇ）および内容全体に均一に分散することで、前記包装（ｐａｃｋａｇｉｎｇ）およびその内容を、滅菌するか、または消毒し、そして前記包装（ｐａｃｋａｇｉｎｇ）およびその中（前記包装（ｐａｃｋａｇｉｎｇ）中）の内容または容量に損傷を与えることなく、非浸潤的に、包装（ｐａｃｋａｇｉｎｇ）を通じて、液体および気体または固体または表面を滅菌するか、または消毒する。非浸潤性の、前記包装（ｐａｃｋａｇｉｎｇ）を通じたＤＴＰ、光化学相互作用を目的とした本発明の方法により、複数の屈折率分布が、形成されることで、適当な分光特性または透明度を持ち、農業食品製品または包装された水製品を保持するために生物学的適合性を持つように適切に構成された前記ボトル、ジョッキ、容器、パイプ、あらゆるチャンバーまたは導管全体にわたって、光を導き、拡散することができる。特に、農業食品産業および生物医学的な領域に利用できる本発明の方法は、環境面でもよく、非化学的で、毒性がなく、残留性のない包装（ｐａｃｋａｇｉｎｇ）を通じた処理能力を有する（１−４）。
【０５４８】
図２は、ミネラル水、着香した水、飲料、湧き水、瓶詰めされた水、炭酸水、増強水またはそのあらゆる組み合わせたものの大量生産ライン、もしくは医薬製剤または血液製剤のためのバイオテクノロジー生産ラインで実行される場合の本発明の概略図を示す。非浸潤性で、損傷を与えない包装（ｐａｃｋａｇｉｎｇ）を通じた消毒（ＤＴＰ）を目的とした本発明の概略図では、５ガロンで、ひと続きの水容器またはチャンバーが図示され（５、６、７、８、１０）、ここで、光のビーム（１１）が前記包装（ｐａｃｋａｇｉｎｇ）（５、６、７、８、１０）を浸透していること（５〜１１）を示し、ここで、９は、あらゆる瓶詰めされた水または包装された飲料または水に残る空気包またはエアーポケットを示しており、それにより、その中（前記包装（ｐａｃｋａｇｉｎｇ））の容量（および／または前記包装（ｐａｃｋａｇｉｎｇ）およびその内容）を混ぜることによるか、または適当な角度方向から光を供給すること、すなわち、前記包装（ｐａｃｋａｇｉｎｇ）表面上、または前記包装（ｐａｃｋａｇｉｎｇ）内容、またはその組み合わせたものの全体にわたっての毒性種の消毒および滅菌、解離または酸化することにより生じる屈折率分布の潜在的な多様性を示し、本発明により供給された（マイクロ秒未満の持続時間でパルスされた）光の持続時間が、前記包装（ｐａｃｋａｇｉｎｇ）材料（例えば、３５５ｎｍ、７５ｍＨｚの反復率、および３ｎｓのパルス幅のダイオードポンプＹａｇにより浸透したＰＥＴ）の熱変動より短いため、本発明により非浸潤性で、前記包装（ｐａｃｋａｇｉｎｇ）または内容に損傷を与えることない消毒または光処理（すなわち酸化、解離、還元、除去、不活性化、滅菌、光分解、光活性化）、オプトプロバイオテック効果が、成し遂げられ、生じる。特に、農業食品産業、瓶詰め産業（５、６、７、８、１０）および瓶詰めされた水の製品（５、６、７、８、１０）および生物医学製剤のオプトプロバイオテック水を主成分としているかまたは瓶詰めされた水製品（５、６、７、８、１０）に利用できる。
【０５４９】
図３は、非浸潤性で、前記包装（ｐａｃｋａｇｉｎｇ）および内容に損傷を与えることない消毒および包装（ｐａｃｋａｇｉｎｇ）を通じた消毒の方法を図示し、前記方法は、以下のことより構成される。約３５５ｎｍの波長で光を発し、約１マイクロ秒〜約１アト秒（Ａｓ）の持続時間または幅で発する強度光源（１３）、レーザーまたはハイブリッド台（ｈｙｂｒｉｄ ｐｌａｔｆｏｒｍ）を持つ放射装置（１２）を含み、その光の供給時間またはパルス持続時間は、本発明の方法による消毒または滅菌または光処理を行う前記包装（ｐａｃｋａｇｉｎｇ）の熱変動（１５）より短く、発射されるか、または供給されるパルス状の光ビーム（３）が、前記包装（ｐａｃｋａｇｉｎｇ）または内容の成分に損傷、また生物移動（ｍｉｇｒａｔｉｏｎ）または変化を起こすことなく、前記包装（ｐａｃｋａｇｉｎｇ）を図示のように浸透し、光は、図示のように、適当な光分布の直接的な軌跡または投影により、所定の場所、所定の期間にわたって、すなわち適当な生物学用量測定曲線または化学的容量測定値（図示せず）により供給さることにより（１５）、（ここで、前記測定曲線または測定値は、前記容器またはチャンバーまたは導管に存在している可能性のあるバクテリア、ウィルス、のう胞、かび、細菌、胞子、および化学および生物的由来の有毒または毒性種（図示せず）に対するものである）、それらを、滅菌、不活性化、消毒または分離することで、その中（前記包装（ｐａｃｋａｇｉｎｇ）中およびその包装（ｐａｃｋａｇｉｎｇ）表面上）を、本発明により、無害にする。前記包装されたボトル（２）が、水、ミネラル水、着香した水、炭酸水、湧き水、および本発明の方法により瓶詰めされるかまたは処理された水を保持していることを図示する（ボトルの形状は図示せず）。（１６）は、前記ボトル中の液体の頂上面と、そのふた（１）との間に残っている空気包または空間を示し、空気は、屈折率１．００を有し、水は、屈折率約１．３を有し、それらを混ぜ合わせると、ディフューザーを形成するか、または空間的に均等化し、前記包装（ｐａｃｋａｇｉｎｇ）（１５）および内容全体に均一に分散することで、前記包装（ｐａｃｋａｇｉｎｇ）および内容を、滅菌するか、または消毒し、そして前記包装（ｐａｃｋａｇｉｎｇ）およびその中（前記包装（ｐａｃｋａｇｉｎｇ）中）の内容または容量に損傷を与えることなく、非浸潤的に、包装（ｐａｃｋａｇｉｎｇ）を通じて、液体および気体または固体または表面を滅菌するか、または消毒し（１５ ａ、ｂ、ｃ）。非浸潤性の、前記包装（ｐａｃｋａｇｉｎｇ）を通じたＤＴＰ、光化学相互作用を目的とした本発明の方法により、複数の屈折率分布が、形成されることで、適当な分光特性または透明度を持ち、農業食品製品または包装された水製品を保持するために生物学的適合性を持つように適切に構成された前記ボトル、ジョッキ、容器、パイプ、あらゆるチャンバーまたは導管全体にわたって、光を導き、拡散することができる。特に、農業食品産業および生物医学的な領域に利用できる本発明の方法は、環境面でもよく、非化学的で、毒性がなく、残留性のない包装（ｐａｃｋａｇｉｎｇ）を通じた処理能力を有する（１５ ａ、ｂ、ｃ）。
【０５５０】
図４は、前記包装（ｐａｃｋａｇｉｎｇ）またはその中の内容に損傷を与えることなく、非浸潤性の包装（ｐａｃｋａｇｉｎｇ）を通じた伝導および包装（ｐａｃｋａｇｉｎｇ）を通じた消毒（ＤＴＰ）および滅菌の方法を示し、前記方法は、以下のことより構成される。包装（ｐａｃｋａｇｉｎｇ）（２０、２１）は、適当な透明度または光特性を持つポリマー（２０、２１）またはその組み合わせから選択され、前記ポリマーは、ポリエチレンナフタレン（ＰＥＮ）、ポリアルキルナフタレン（ＰＥＴＧ）を含み、それらが、光の供給、浸透または分布、包装（ｐａｃｋａｇｉｎｇ）を通じた消毒、滅菌、解離、または酸化（１８−２１）、もしくは本発明によるＤＴＰ（包装（ｐａｃｋａｇｉｎｇ）を通じた消毒）（１−８０）において適当な屈折率特性を有すること、放射装置（１８）が、マイクロ秒未満のパルス持続時間または幅、約３５５ｎｍの波長（図示せず）、および約１Ｈｚ〜約１ＴＨｚの反復率を持つことを示し、前記ボトルの露光量は、あらゆる角度方向から操作することができ、さらに、その中（前記包装（ｐａｃｋａｇｉｎｇ）中）の内容または容量である液体または気体を混ぜることによるか、または前記包装（ｐａｃｋａｇｉｎｇ）を回転させることにより生じるディフューザーが、光を均一に供給して、所定の期間にわたって、前記包装（ｐａｃｋａｇｉｎｇ）の所定の内空間または容量内で空間的に拡散する。各オプトロニクスまたはパルスは、前記ポリマーまたは組み合わせたものまたは別の包装（ｐａｃｋａｇｉｎｇ）材料または導管またはチャンバーの熱変動（１５）より短いため、前記包装（ｐａｃｋａｇｉｎｇ）（２０、２１）またはその中の内容を、光を用いて非浸潤的に消毒、滅菌できる。特に、農業食品産業、生物医学的製品、砂糖または香料を含む瓶詰めされた水製品、炭酸水、飲料または牛乳を主成分とした製品またはオプトバイオテックの医薬製剤、オプトバイオテック水または飲料に利用でき、ここで、非浸潤性の本発明の方法は、光（１９）による処理または包装（ｐａｃｋａｇｉｎｇ）（２０、２１）を通じた水および水を主成分とした製品の消毒、本発明の方法によるＤＴＰ（包装（ｐａｃｋａｇｉｎｇ）を通じた消毒）に利用できる。
【０５５１】
図５は、本発明の方法の概略図であって、包装（ｐａｃｋａｇｉｎｇ）を通じた非浸潤性消毒（ＤＴＰ）方法を、特徴としていることを図式的に示す：前記包装（ｐａｃｋａｇｉｎｇ）（２４−２７）またはその内容に損傷を与えることなく、非浸潤的に、包装（ｐａｃｋａｇｉｎｇ）を通じて伝導（２２−２８）、および包装（ｐａｃｋａｇｉｎｇ）（２４、２５、２６、２７）を通じて消毒（ＤＴＰ）および滅菌して、前記包装（ｐａｃｋａｇｉｎｇ）（２４、２５、２６、２７）は、適当な透明度または光特性（２４−２８）を持つポリマーまたは組み合わせから選択され、前記ポリマーは、ポリエチレンナフタレン（ＰＥＮ）、ポリアルキルナフタレン（ＰＥＴＧ）、ポリカルボネート、ＰＥＴ、ＰＥＴ ＨＤまたはその組み合わせを含み、これらは、包装（ｐａｃｋａｇｉｎｇ）を通じた消毒、滅菌、解離または酸化もしくは本発明による（１−８０）ＤＴＰ（包装（ｐａｃｋａｇｉｎｇ）を通じた消毒）（１−８０）を目的とした、約３５５ｎｍ（２２ａ）での、全体にわたっての光の供給、浸透または分配（２２ａ）の時の適当な屈折率分布を持ち、放射装置（１８）が、マイクロ秒未満のパルス持続時間または幅、約３５５ｎｍの波長（図示せず）、および約１Ｈｚ〜約１ＴＨｚの反復率を持つことを示し、前記ボトルの露光量を、その中（前記包装（ｐａｃｋａｇｉｎｇ）中）の内容または容量である液体または気体を混ぜることにより生じるディフューザーのようにあらゆる角度方向から操作することができる。特に、医薬製剤のための瓶詰めされた水製品、液体または気体の包装（ｐａｃｋａｇｉｎｇ）を通じた消毒（ＤＴＰ）、および包装された水製品の農業食物生産ラインに利用され、容量は、１μＬ〜約２０Ｌまたは一滴〜約１０００Ｌで、各々は、１Ｌあたり約１ｍｇ〜１Ｌあたり約９９９ｇの砂糖または香料または添加物または栄養補助成分または増強成分を含んでいてもよい。特に、瓶詰め産業または、オプトプロバイオテックおよび免疫系を増強させる水および瓶詰めされた水を調製するための生物医学的分野に利用される。レーザー、ランプまたはハイブリッド（ｈｙｂｒｉｄ）複合型である装置を、図示し（２２）、これは、右側から前記包装（ｐａｃｋａｇｉｎｇ）（２４−２７）に共役する光を発していて、前記光（２２ａ）は、前記包装（ｐａｃｋａｇｉｎｇ）に損傷を与えることなく前記包装（ｐａｃｋａｇｉｎｇ）を透過し、非浸潤的に、包装（ｐａｃｋａｇｉｎｇ）を通じた消毒（ＤＴＰ）を容易に行うことを示している。
【０５５２】
図６は、包装（ｐａｃｋａｇｉｎｇ）またはその内容に損傷を与えることなく、非浸潤的な、包装（ｐａｃｋａｇｉｎｇ）を通じて消毒すること（ＤＴＰ）を示し、前記包装（ｐａｃｋａｇｉｎｇ）（３１）は、適当な透明度または光特性を持つポリマー（３８、３１）もしくはは組み合わせたものから選択され、前記ポリマーは、ポリエチレンナフタレン（ＰＥＮ）、ポリアルキルナフタレン（ＰＥＴＧ）を含み、これらは、包装（ｐａｃｋａｇｉｎｇ）を通じた消毒、滅菌、解離、酸化または本発明によるＤＴＰ（２９−３９）（包装（ｐａｃｋａｇｉｎｇ）を通じた消毒）（１−８０）を目的とした、全体にわたる光の供給、浸透または分配の時の適当な屈折率分布を持ち、放射装置（図示せず）が、マイクロ秒未満のパルス持続時間または幅、約３５５ｎｍの波長（図示せず）を持つことを示し、（２９）は、前記ふたから透過するパルス状の（マイクロ秒未満）光を示し、前記ふたは、約３１８ｎｍ〜約７８７ｎｍの波長を透過し、ここで、前記空気包またはポケット（４１）は、ふたの右下側に示されていて、前記ボトルの輪郭を（３１−３８）で示し、ここで（３４）で示された前記包装（ｐａｃｋａｇｉｎｇ）中の白抜きの星は、有害なバクテリア、のう胞、ウィルスまたは毒性の生物学的種を示し、黒いギザギザの星で示しされた（３５）は、有毒化学物質または化学物質由来の毒性の有機化合物を示し、特に、損傷を与えることなく、包装（ｐａｃｋａｇｉｎｇ）、内容および表面を保護することに利用でき（３５）（包みは図示せず）、黒のチップ型で香料を示し（３７）、右下側の月型（３６）は供給された光による損傷を受けない香料分子を示し、右上側の黒塗りの星形（３３）は、透過した分散光（ＤＴＰ）による損傷を受けていない保存料、添加物、栄養または増強剤を示し、本発明の方法により供給された前記持続時間、パルス幅または調節光（２９、光源図示せず）は、前記包装（ｐａｃｋａｇｉｎｇ）材料の熱変動または、前記包装（ｐａｃｋａｇｉｎｇ）またはボトル中の香料、砂糖、添加物の酸化のしきい値（ｔｈｒｅｓｈｏｌｄ）より短いため、非浸潤的な本発明の方法は、包装された成分または内容の成分に損傷を与えることなく、包装（ｐａｃｋａｇｉｎｇ）を通じた消毒を容易にする。特に、瓶詰め水生産ラインまたは農業食品産業に利用でき、生物医学的分野およびヒト、動物または植物の免疫系を強化するためのオプトプロバイオテック飲料生産に利用できる。特に、瓶詰め産業に利用でき、着香料、保存または添加物、包装（ｐａｃｋａｇｉｎｇ）または新鮮さに損傷を与えることない包装（ｐａｃｋａｇｉｎｇ）を通じた消毒を利用することで、不経済な熱により無菌的充填、および処理を行う必要性を取り除き、従来の非ＤＴＰ技術で必要とされていた高い定期的なメンテナンスおよび交換を減少させる。光の端（３９）は、非浸潤的に、前記包装（ｐａｃｋａｇｉｎｇ）（３０−３８）を逸脱するか、透過した後の状態を示す。特に、瓶詰めされた水、着香した水、湧き水、飲料、ジュース、生物医学的分野およびオプトプロバイオテック水を主成分とした製品を目的とした農業食物生産および分配ラインに利用できる。
【０５５３】
図７は、前記包装（ｐａｃｋａｇｉｎｇ）またはその内容に損傷を与えることない、非浸潤的な、前記包装（ｐａｃｋａｇｉｎｇ）に対して９０度方向からの包装（ｐａｃｋａｇｉｎｇ）を通じて消毒（ＤＴＰ）する方法を示し（本発明の方法で可能な複数の角度の配向を示す）、前記方法は、以下のことより構成される。包装（ｐａｃｋａｇｉｎｇ）（５０）は、包装（ｐａｃｋａｇｉｎｇ）を通じた消毒、滅菌、解離または酸化もしくは本発明による（２９−３９）ＤＴＰ（包装（ｐａｃｋａｇｉｎｇ）を通じた消毒）（１−８０）を目的とした、全体にわたっての光の供給、浸透または分配（４２）の時の適当な屈折率分布を持ち、放射装置（図示せず）が、マイクロ秒未満のパルス持続時間または幅および約３５５ｎｍの波長（図示せず）を持つことを示し、（４６、４５、４４、４８、４７）は、本発明の方法により損傷を受けない香料、添加物、砂糖、着色、炭酸、ＣＯ２、窒素、バクテリア、有毒化学物質または有機毒性化合物を示し、（４１）は、透明、半透明または半不透明な部分を持つふたを示し、この光は、全体にわたって供給され、特に、製品に水を詰める部分、分配ライン、農業食品産業、本発明の方法によるＤＴＰを使用したオプトバイオテック製品に利用でき、特に、包装（ｐａｃｋａｇｉｎｇ）を通じて消毒する（ＤＴＰ）１／２Ｌ、１Ｌ、２Ｌおよび２０Ｌまでの（５ガロン）の着香した水、炭酸水を含む瓶詰めされた水製品に利用でき、包装されていて、損傷を与えることない消毒を必要とする液体および気体に利用でき、（５１）は、空気包またはギャップを示し、それと前記包装（ｐａｃｋａｇｉｎｇ）の内容または容量とを混ぜ合わすことで（図示せず）、包装（ｐａｃｋａｇｉｎｇ）を通じた消毒（ＤＴＰ）のために光を供給するか、分散するこを目的としたディフューザーを作成する、すなわち、本発明の方法によると、ボトル、ジョッキ、チャンバーまたは導管に充填した後に残っている空気（５１）を利用することで、供給された光の屈折率分布の操作を容易にする（４２）。
【０５５４】
図８は、前記包装（ｐａｃｋａｇｉｎｇ）またはその内容に損傷を与えることなく包装（ｐａｃｋａｇｉｎｇ）を通じて消毒（ＤＴＰ）する方法、言い換えると、非浸潤的に消毒する、本発明の方法で可能な複数の角度（３６０度）を用いた包装（ｐａｃｋａｇｉｎｇ）と光とを共役させるための好ましいモードを示し、前記方法は、以下のことより構成される。包装（ｐａｃｋａｇｉｎｇ）（５３）は、包装（ｐａｃｋａｇｉｎｇ）を通じた消毒、滅菌、解離または酸化もしくは本発明による（５３）ＤＴＰ（包装（ｐａｃｋａｇｉｎｇ）を通じた消毒）（１−８０）を目的とした、全体にわたっての光の供給、浸透または分配（５２）の時の適当な屈折率分布を持ち、放射装置（図示せず）が、マイクロ秒未満のパルス持続時間または幅および約３５５ｎｍの波長（図示せず）を持つことを示し、（５７、５８、５９、５６、５５）は、本発明の方法により損傷を受けない香料、添加物、砂糖、着色、炭酸、ＣＯ２、窒素、バクテリア、有毒化学物質または有機毒性化合物を示し、（４１）は、透明、半透明または半不透明な部分を持つふたを示し、この光は、全体にわたって供給され、特に、製品に水を詰める部分、分配ライン、農業食品産業、本発明の方法によるＤＴＰを使用したオプトバイオテック製品に利用でき、特に、包装（ｐａｃｋａｇｉｎｇ）を通じて消毒する（ＤＴＰ）約１／２Ｌ〜約２０Ｌまでの（５ガロン）または約１μＬ〜約２０００Ｌの着香した水、炭酸水を含む瓶詰めされた水製品に利用でき、包装されていて、前記包装（ｐａｃｋａｇｉｎｇ）（６０）に損傷を与えることない消毒を必要とする液体および気体に利用でき、（５４）は、空気包またはギャップを示し、それと前記包装（ｐａｃｋａｇｉｎｇ）の内容または容量とを混ぜ合わすことで（図示せず）、包装（ｐａｃｋａｇｉｎｇ）を通じた消毒（ＤＴＰ）のために光を供給するか、分散するこを目的としたディフューザーを作成する、すなわち、本発明の方法によると、ボトル、ジョッキ、チャンバーまたは導管に充填した後に残っている空気（５４）を利用することで、供給された光の屈折率分布の操作を容易にする（５２）。本発明の方法を利用した装置の好ましいモードは、ＤＴＰ処理が、消費者の免疫系の強化を目的とした瓶詰めされた水のオプトプロバイオテック製品に利用され、その結果、新鮮さ、自然成分および着香料、滋養分、栄養値、保存期間またはその組み合わせを提供する。
【０５５５】
図９は、包装（ｐａｃｋａｇｉｎｇ）を水に浸した状態で、非浸潤的に、前記包装（ｐａｃｋａｇｉｎｇ）またはその内容に損傷を与えることなく包装（ｐａｃｋａｇｉｎｇ）を通じて消毒する（ＤＴＰ）方法を示し、前記方法は、以下のことより構成される。前記包装（ｐａｃｋａｇｉｎｇ）（６３、ａ、ｂ、ｃ）は、包装（ｐａｃｋａｇｉｎｇ）を通じた消毒、滅菌、解離または酸化もしくは本発明による（ａ、ｂ、ｃ）ＤＴＰ（包装（ｐａｃｋａｇｉｎｇ）を通じた消毒）（１−８０）を目的とした、全体にわたっての光の供給、浸透または分配（６１）の時の適当な屈折率分布（６２、ａ）を持ち、放射装置（図示せず）が、マイクロ秒未満のパルス持続時間または幅および約３５５ｎｍの波長（図示せず）を持つことを示し、（５７、５８、５９、５６、５５）は、本発明の方法により損傷を受けない香料、添加物、砂糖、着色、炭酸、ＣＯ２、窒素、バクテリア、有毒化学物質または有機毒性化合物を示し、（４１）は、透明、半透明または半不透明な部分を持つふたを示し、この光は、全体にわたって供給され、特に、製品に水を詰める部分、分配ライン、農業食品産業、本発明の方法によるＤＴＰを使用したオプトバイオテック製品に利用でき、特に、包装（ｐａｃｋａｇｉｎｇ）を通じて消毒する（ＤＴＰ）約１／２Ｌ〜約２０Ｌまでの（５ガロン）または約１μＬ〜約２０００Ｌの着香した水、炭酸水を含む瓶詰めされた水製品に利用でき、包装されていて、前記包装（ｐａｃｋａｇｉｎｇ）（６３ ａ、ｂ、ｃ、６５）に損傷を与えることない消毒を必要とする液体および気体に利用できる。図９は、ボトル、ジョッキ、チャンバーまたは導管に充填した後での、光（６１）と前記包装（ｐａｃｋａｇｉｎｇ）（６３ ａ、ｂ、ｃ、６５）とを共役させるためにもっとも好ましいモードを示していて、すなわち、本発明の方法によると、全体にわたって供給された光の屈折率分布の操作を容易にし（６１）、所定量の水（６２、ａ）を通じて、光（６１）と前記包装（ｐａｃｋａｇｉｎｇ）とが共役する効果は、小さい屈折率特性の場合であって（空気が１．００であって、水が１．３であって、ＰＥＴが１．４５であって、チャンバー（６２）の石英の壁面が１．４５である）、すなわち、屈折率特性範囲を減じさせることで、前記光と前記包装（ｐａｃｋａｇｉｎｇ）とがよりよく共役することを容易にし、そして包装（ｐａｃｋａｇｉｎｇ）を通じた消毒（ＤＴＰ）を行う。ボトル（ｃ）中の（６５）として示した印は、ボトル中のバクテリア、ウィルス、かび、のう胞、細菌、有毒な有機分子または化合物を示し、これらは、その中（前記包装（ｐａｃｋａｇｉｎｇ）の内容または表面上）の感覚成分に損傷を与えることなく、不活性化される。
【０５５６】
図１０は、非浸潤的な、包装（ｐａｃｋａｇｉｎｇ）を通じた消毒方法を示し、前記方法は、以下のことより構成される。封筒を整列させるか、または積み重ね（６７、６８、６９、７０、７１）、前記オプトロニクス（またはオプトエレクトロニクス）エネルギー量を（６６）で示し、さらに、（６６）は、強い光源（図示せず）を有する放射装置により発した最大出力、マイクロ秒未満、パルス状の光ビームを示しており、胞子（７４）または毒性生物学的種または化学的種を（７２）で示し、それらは、不活性化されるか（例えば、ＤＮＡ／ＲＮＡ複製配列を不活性化する）、光化学酸化されるかまたは光化学還元され、その結果、包装（ｐａｃｋａｇｉｎｇ）を通じた消毒（ＤＴＰ）を目的とした本発明の方法により、前記内容（７４、７２、７３）は無害化される。本発明の方法は、供給された光（例えば、マイクロ秒未満、２６６ｎｍまたは３５５ｎｍでパルスされたＵＶレーザー、ランプまたはハイブリッド台（ｈｙｂｒｉｄ ｐｌａｔｆｏｒｍ）またはそれぞれを組み合わせたもの）の持続時間において、分子移動を起こすことなく、熱を発生することなく、というのも、前記光の持続時間が、前記包装（ｐａｃｋａｇｉｎｇ）、封筒（６７、６８、６９、７０、７１）（例えば、紙またはポリマー種）の熱変動より短いためである。特に、生物学的なまたは化学物質由来の毒性種（７４、７２、７３）が付着した郵便物の消毒または滅菌に利用できる。特に、郵便局、郵便配達および仕分け機関および郵便局内に利用できる。
【０５５７】
図１１は、ミネラル水、着香した水、飲料、湧き水、瓶詰めされた水、炭酸水、増強水またはそれらのあらゆる組み合わせの大量生産ライン、医薬製剤または血液製剤のためのバイオテクノロジー生産ラインにおける生物学的安全性、および化学的安全性を強化することを目的とした本発明の方法の概略図を示す。非浸潤的な、損傷を与えない包装（ｐａｃｋａｇｉｎｇ）を通じた消毒（ＤＴＰ）を目的とした本発明の方法の概略図は、以下のことで構成されていることを開示する。でガロンジョッキ、容器、チャンバー、ボトルまたは導管は、（８０）でしめされていて、光束（７５）が、前記包装（ｐａｃｋａｇｉｎｇ）（８０）を浸透している様子を示し（７５、７６、７７）、（７７）は、瓶詰めされた水、包装された飲料、ジュース、ミルクまたは水に残っている空気包またはポケットを示していて、これが原因となって、本発明の方法により、前記容量（および／または内容と前記包装（ｐａｃｋａｇｉｎｇ））を混ぜることによるか、または適当な角度方向から全体にわたって供給される光により生じる屈折率特性が相違する可能性を示しているのであって、前記包装（ｐａｃｋａｇｉｎｇ）表面上、もしくは前記包装（ｐａｃｋａｇｉｎｇ）内容または組み合わせの全体にわたって、毒性種を消毒し、滅菌し、解離するかまたは酸化する場合、本発明によると、供給された光の持続時間（パルスされたマイクロ秒未満の持続時間）は、前記包装（ｐａｃｋａｇｉｎｇ）材料（８０）（例えば、３５５ｎｍ、７５ｍＨｚの反復率、および３ｎｓのパルス幅でのダイオードポンプＹａｇにより浸透するＰＥＴ）の熱変動より短いため、本発明により、非浸潤的で、前記包装（ｐａｃｋａｇｉｎｇ）（８０）または内容（７８、７９）に損傷を与えることなく、消毒または光処理（７５、７６、７７、７８、７９）（すなわち、酸化、解離、還元、除去、不活性化、滅菌、光分解、光活性化）、オプトプロバイオテック効果を、成し遂げられ、起こる。特に、瓶詰め（８０）産業（７５、７６、７７、７８、７９）、瓶詰めされた水の製造（７５、７６、７７、７８、７９）および水を主成分とするかまたは瓶詰めされたオプトプロバイオテック水製品の生物学的に調製（７５、７６、７７、７８、７９）に利用でき、前記内容または前記包装（ｐａｃｋａｇｉｎｇ）の容量（８０）に関連する所定の屈折率特性を有する渦または竜巻型のディフューザーと、光（７５）とを共役させることにより、その中（前記包装（ｐａｃｋａｇｉｎｇ）中）の所定の空間内（内容の包装許容容量）で、所定の期間にわたって適当に均一な分光分布になるように拡散され、本発明の方法による前記包装（ｐａｃｋａｇｉｎｇ）を通じた（ＤＴＰ、包装（ｐａｃｋａｇｉｎｇ）を通じた消毒）消毒、滅菌、酸化、還元または除去が行われる。
【０５５８】
図１２は、非浸潤的な、包装（ｐａｃｋａｇｉｎｇ）を通じた消毒を目的とした本発明の方法を示し、前記方法は、以下のことから構成される。約１ｎｍ〜約９９９ｎｍの高強度光束が、前記包装（８２）通じて浸透して、ここで、前記包装（ｐａｃｋａｇｉｎｇ）（８２）および（８３）は、残存空気包または気体（８８）を含んでいて、（８８）、（８１）、（８４）および（８２）は、その中の屈折率特性を示し、（８５）は、前記空気包またはカプセルを、混ぜ合わせるかまたは回転させていることを示し、これが、チャンバー、導管またはボトル（８２、８３、８５）の長さ、奥行き、幅、内容（８４）または容量のあらゆる部分に達するくらいまで伸びていて（８５）、それを用いて、前記内容および／または前記包装（ｐａｃｋａｇｉｎｇ）表面（表面内側または外側）に存在していると考えられる生物学的または化学的由来の毒性種（図示せず）を、光（８１、８５、８４）により不活性化するか、消毒するか、還元するか、均一化するか、除去するか、酸化するか、または解離するか（８１、８５、８４）、もしくは前記包装（ｐａｃｋａｇｉｎｇ）または内容成分（８２）、（８４）に損傷を与えることなく、包装（ｐａｃｋａｇｉｎｇ）を通じた消毒（８３、８２）、（８４）を行うため、本発明による包装（ｐａｃｋａｇｉｎｇ）を通じた消毒（ＤＴＰ）を容易にする。特に、農業食物製品加工、およびオプトプロバイオテック（免疫性）の瓶詰めされた水製品の製造に利用できる。供給された光の持続時間またはパルス幅は、約１マイクロ秒（１ｍｓ）〜約１アト秒（Ａｓ）以下であって、ここで、パルスの反復率、準ＣＷ調節または混変調の周波数は、約１Ｈｚ〜約１８ＧＨｚである。実質的には、前記ポリマーまたは包装（ｐａｃｋａｇｉｎｇ）材料の熱変動よりも速いため、温度上昇または包装（ｐａｃｋａｇｉｎｇ）材料（８２）に損傷を与えることなく、前記包装（ｐａｃｋａｇｉｎｇ）（８２）中の毒性種および生物学的または化学由来の恐ろしい種を、包装（ｐａｃｋａｇｉｎｇ）を通じて消毒（ＤＴＰ）して、それらを無害な状態にするため、本発明は、前記免疫系またはＭＨＣのＩ、ＩＩ、ＩＩＩ型に利用でき、本発明によると、消費者または使用者の生体に適合するようできる（すなわち、包装（ｐａｃｋａｇｉｎｇ）を通じた消毒（ＤＴＰ）を目的とした本発明の方法を利用して、包装（ｐａｃｋａｇｉｎｇ）およびその中の内容または容量の両方を消毒または滅菌するため）。（８７）は、３つの個別の超音波駆動体のための電気配線を示しており、超音波駆動体をひとたび駆動させると、前記内容または包装（ｐａｃｋａｇｉｎｇ）を回転してテーパー型に拡張させて、ディフューザー（８８、８５、８４、８１）を形成する（ボトル、チャンバーまたは導管（８２、ｄ）、（ａ、ｂ、ｃ）の全長まで達するように伸びていて、過渡現象、静電気空胴現象（超音）または超音波プローブを示している）。前記駆動体は、ボトル中に残っている空気またはその中（前記包装（ｐａｃｋａｇｉｎｇ）中）の空気包を、振動させて（図示せず）混ぜ合わせるか、または回転させることを引き起こし、さらにその中（前記包装（ｐａｃｋａｇｉｎｇ）中）に、空気が約１．０、液体（水）が１．３および前記包装（ｐａｃｋａｇｉｎｇ）材料が１．４５の屈折率を有するように、その中の空気または気体から生じさせるため、包装（ｐａｃｋａｇｉｎｇ）を通じて前記内容または容量の消毒を行うことを目的とした、同時、連続して、周期的、非回帰的または回帰的な前記包装（ｐａｃｋａｇｉｎｇ）、その中の内容または容量全体にわたる、供給された光の均一な分布を容易にする。（８１）および（８１ａ）は、放射装置および（８４）で示す渦または竜巻型のディフューザーと共役する、前記放射装置から発せられた高強度の光を示す。
【０５５９】
図１３は、非浸潤的な、包装（ｐａｃｋａｇｉｎｇ）を通じた消毒を目的とした本発明の方を示し、前記方法は、以下のことから構成される。瓶詰めされた水（ｚ）を、その底（ｙ）、そのふた（ｑ）とともに示し、放射装置または機器（ａ−ｐ）は、包装（ｐａｃｋａｇｉｎｇ）を通じて、消毒、滅菌、解離、還元、酸化、除去または均等化の目的のために（包装（ｐａｃｋａｇｉｎｇ）を通じた消毒、すなわちＤＴＰ）、個別に（ａ−ｐ）または同時に（ａ、ｂ、ｃ、ｄ、ｅ、ｆ、ｇ、ｈ、Ｉ、ｊ、ｋ、ｌ、ｍ、ｎ、ｏ、ｐ、ｑ、ｒ、ｓ、ｔ、ｗ、ｘ、ｙ、ｚ）操作されることを示し、ここで、前記各装置は、強い光源を持ち、前記光源は、レーザー、ＣＷ、ＰＷまたは準ＣＷランプ、ハイブリッド（ｈｙｂｒｉｄ）器、液体または気体をベースとしたレーザー（ａ−ｐ）、組み合わせるかまたは一体化した放射装置または光源から選択され、前記光源は、例えば、ダイアモンドをベースとしたレーザー、ファイバーレーザー、ＴＳＡ／ＳＥ／ＥＡ／ＦＥＬｓレーザー、放電加工レーザー、ウォーターレーザー、ダイオードポンプ、有機型レーザー、プラズマレーザー、半導体レーザー、増幅または調和発生型レーザー、ＣＷ、ＰＷランプまたはそれらの組み合わせたもの（ａ−ｐ）を含む。さらに、前記包装（ｐａｃｋａｇｉｎｇ）または前記内容または前記容量（ｚ／ａ）を消毒するための個別または集合的な能力（ａ−ｐ）を、ふた（ｑ）の下側の点線で示し、前記包装（ｐａｃｋａｇｉｎｇ）またはまたは内容に損傷を与えることなく、または包装（ｐａｃｋａｇｉｎｇ）からその内容（前記包装（ｐａｃｋａｇｉｎｇ）中）への分子移動を起こすことないため、本発明によると、包装（ｐａｃｋａｇｉｎｇ）を通じた消毒（ＤＴＰ）を容易にする（ａ−ｐ）、（ａ−ｚ）。ａ／１は、前記包装（ｐａｃｋａｇｉｎｇ）表面（ｚ）に対して３６０度のあらゆる方向からの各々の装置（ａ−ｐ）により発せられて、前記ボトル（ｚ）と共役する光ビームを示す。
【０５６０】
図１４は、非浸潤的な、包装（ｐａｃｋａｇｉｎｇ）を通じた消毒を目的とした本発明の方法を示し、前記方法は、以下のことより構成される。導管、チャンバーまたは瓶詰めされた水（１００−１１５）を、座標上の位置（Ｘ＝１０２、１０５）、（Ｙ＝１０３、１０４）で示していて、ｘは瓶詰めされた水の縦方向の長さを示し、ｙはその幅を示し、ｚは奥行き（１０６，１０７）を示している。前記線（ｘ、ｙ、ｚ）は、包装（ｐａｃｋａｇｉｎｇ）を通じた消毒および光処理（ＤＴＰ）を目的とした本発明の方法によると、あらゆる角度方向（３６０度）に適用できることがわかりやすいように描いている。（１１０、１１１、１１１２、１０９）は、毒性、および健康を脅かす生物学的または化学的由来の化合物を示し、（１１５）は、ふたの下側（１０２）の、瓶詰めされた水の先端の空気包、残存空気または気体を示し、（１００）は、前記包装（ｐａｃｋａｇｉｎｇ）の境界面を示し、（１１４）は、前記包装（ｐａｃｋａｇｉｎｇ）（１０００）中の頂部先端部の水の水準線を示し、（１０８）は、不活性化したバクテリア、すなわち包装（ｐａｃｋａｇｉｎｇ）を通じた消毒（ＤＴＰ）を目的とした本発明の方法により照射した結果、複製することができなくなったバクテリア、さらに言い換えると、複製することができないため、感染することができないバクテリアを示している。本発明は、特に、農業食品産業および瓶詰めされた水製品の製造に利用でき、前記製品は、包装（ｐａｃｋａｇｉｎｇ）を通じた消毒（ＤＴＰ）を目的とした本発明の方法により、ヒト、動物または植物の免疫系を増強させるための競争上の優位性を持つオプトプロバイオテックをしている。
【０５６１】
図１５は、導波管および機械的なビーム管理を用いた、非浸潤的な、包装（ｐａｃｋａｇｉｎｇ）を通じた消毒を目的とした本発明の方法を示し、前記方法は、以下のことより構成される。放射装置は、高強度またはパルス光源を有し、（１３３）は、所定の場所内または容量、所定の期間にわたる分光分布を示し、ここで、前記供給された光は、３５５ｎｍの波長を有し、および約１マイクロ秒〜約１アト秒にあるマイクロ秒未満のパルス幅でパルスを発生し、１立方ｃｍ（ｃｍ３）あたりの断面エネルギー密度、干渉（１３３）またはエネルギー密度は、約１ｎＪ（１ナノジュール）／ｃｍ３〜約１８Ｊｓ／ｃｍ３にまで達し、さらに、反復率または調節した周波数は、約１Ｈｚ〜約１１８ＴＨｚ（１３１、１３３、１２９、１１７０）に達していて、約１８７Åあたりまたは適当な汚染物（すなわち、生物学または化学物由来のもの）測定値あたり約２５００００光子〜約１１８兆光子（１１６）の輝度（ｒａｄｉａｎｃｅ）またはフルエンス率を有するように、前記放射装置、機器、供給された光の分光分布、応用生物用量エネルギー曲線、化学的用量エネルギー曲線または水準を調整するか、較正することで、共通の端子、光学分布システム（１１８）または検出器（１４１）を共役させる（１１７）。さらに、光学導波管（１１９ａ、１１９ｂ）のうち少なくとも１つを、（１１９ｂ）として示し、それは、全体にわたって光を双方向に輸送することができる（すなわち、瓶詰めされた水、目的部位、包装（ｐａｃｋａｇｉｎｇ）、検出器を行ったり来たりできる）。さらなる導波管を（１１９ｂ）として示し、それは、前記目的部位、包装（ｐａｃｋａｇｉｎｇ）、瓶詰めされた水または生物医学的なチャンバーまたは導管（１２２）に達するまで伸びていて、その中（１３４、１３５、１２８、１３７、１３８、１２９、１３３）、前記包装（ｐａｃｋａｇｉｎｇ）の中（１２２）に光を分布させ、前記包装（ｐａｃｋａｇｉｎｇ）表面およびその中の液体または気体内容を消毒する。付加的な光導波管を、（１２５）で示し、それは、近傍にまで達するか、または適当な角度方向に位置していて、それによって伝達（１３１）、（１３２）、（１４１）、（１４０）、分布（１３３）、拡散、投影、不活性化（１３８）、消毒（１３８、１３３、１２９、１３７、１３５、１２８）、滅菌、光再活性化、タンパク質分解、酸化、投光、曝露、照射またはその組み合わせを行い、さらに前記包装（ｐａｃｋａｇｉｎｇ）またはボトルから光を受けるため、診断、較正データ、蛍光事象、分光学的観測包装（ｐａｃｋａｇｉｎｇ）および／または容量（ＯＰＢ）の収集し、目的部位、包装（ｐａｃｋａｇｉｎｇ）または瓶詰めされた水（１２２）から、前記検出器への伝導のため、包装（ｐａｃｋａｇｉｎｇ）を通じた消毒または酸化（ＤＴＰ）を目的として供給された光（１２９）（１３３）の生物用量曲線、エネルギー水準、分光特性および空間特性を調節する。（１２６）は、前掲（１２９）の光投影点を示し、少なくとも１つのＤＮＡ／ＲＮＡ複製配列を不活性化するため（１２９、１３７、１２８）、複製することができなくなったバクテリア（１３５、１３７）は、感染することができなくなる（１２９、１３７、１３５）。（１３４）は、供給された光（１３１、１３２、１３３、１２８、１２９、１１９ａ、１１９ｂ、１１７）により、まだ、酸化、還元、除去、解離（ＯＰＢ）、処理（ＯＰＢ）または光処理されていない有毒な有機的または化学的成分もしくは組み合わせ（１２９、１３３、１２８、１３７）を示す。（１３０）は、瓶詰めされた水または包装（ｐａｃｋａｇｉｎｇ）の底を示し、（１４１）は、透明なふた（１４１）（すなわち、１３１、１３２、１３３は、前記ふたを透過している光を示す）を示し、ここで、前記放射装置（１１６）からの光は、前記キャップ、ふた、先端または包み（１４１）を通じて供給され、本発明による包装（ｐａｃｋａｇｉｎｇ）を通じた消毒、滅菌、光処理またはＤＴＰを行う。特に、農業食品産業、瓶詰めされた水産業および包装（ｐａｃｋａｇｉｎｇ）を通じたオプトプロバイオテック化合物（ＯＰＢ）の生物学的に調製に利用でき、一旦消費されるか、またはそれらの個別の目的地に達すると、富んでいて、プラスの、教育されるか、または習熟したヒト免疫系もしくはヒト、動物または植物の獲得された免疫系を増強させる。特に、オプトプロバイオテックの製品（オプトプロバイオテックとは、その幾何学的一貫性に損傷を与えることなく、前記包装（ｐａｃｋａｇｉｎｇ）中の解離した成分または光処理成分を分解し、ヒト、動物または植物の獲得された免疫系による痕跡認識をさせることを意味する）、瓶詰めされた水製品（１２２）、化学的なワクチン製剤に利用でき、免疫系のプログラミングおよび調製を行うため（ＯＰＢ）［コンピューターは、ＭＨＣ Ｉ、ＩＩ、ＩＩＩであって、ディスクが、前記包装（ｐａｃｋａｇｉｎｇ）中の水または前記容量であって、データが、前記包装（ｐａｃｋａｇｉｎｇ）中の毒性種である］、発明の方法により示されているオプトプロバイオテック化合物および光生成物は、特に、高い水準の生物適合性および生物学的安全性を必要とされている医薬製剤に利用できる。光導波管の遠いほうの端（遠端）（１２６、１２０）から光（１３３、１２９、１３２、１３１、１１７）を投影するか、供給するか、または分布させて組み合わせて、ＤＴＰ（包装（ｐａｃｋａｇｉｎｇ）を通じた消毒）によって前記包装（ｐａｃｋａｇｉｎｇ）（１２６、１２９、１３１、１３２、１３３、１２９）に浸透させて、包装（ｐａｃｋａｇｉｎｇ）（１２２）中の毒性種の消毒または滅菌を行うのために十分早く、実質的には、前記包装（ｐａｃｋａｇｉｎｇ）材料（１２２）の熱変動よりも早いため、包装（ｐａｃｋａｇｉｎｇ）からその内容または容量（すなわち、前記包装（ｐａｃｋａｇｉｎｇ）中）への分子移動を起こすことがない。したがって、特に、瓶詰めされた水製品、農業食物生産プロセスおよび生物医学的な処置のために利用でき、包装（ｐａｃｋａｇｉｎｇ）を通じた光（ＤＴＰ）による生物学的安全性を提供する。
【図面の簡単な説明】
【図１】
本発明の消毒方法の一例を示す図である。
【図２】
本発明の消毒方法の他の一例を示す図であって、大量生産ラインで実行される場合を示す図である。
【図３】
本発明の消毒方法の他の一例を示す図である。
【図４】
本発明の消毒方法の他の一例を示す図である。
【図５】
本発明の消毒方法の他の一例を示す図である。
【図６】
本発明の消毒方法の他の一例を示す図である。
【図７】
本発明の消毒方法の他の一例を示す図であって、右９０度方向から光を照射した場合を示す図である。
【図８】
本発明の消毒方法の他の一例を示す図である。
【図９】
本発明の消毒方法の他の一例を示す図であって、水に浸した状態で消毒した場合を示す図である。
【図１０】
本発明の消毒方法の他の一例を示す図であって、封筒に適用した場合を示す図である。
【図１１】
本発明の消毒方法の他の一例を示す図である。
【図１２】
本発明の消毒方法の他の一例を示す図である。
【図１３】
本発明の消毒方法の他の一例を示す図である。
【図１４】
本発明の消毒方法の他の一例を示す図である。
【図１５】
本発明の消毒方法の他の一例を示す図である。
【符号の説明】
１　　　ふた
２　　　包装（ｐａｃｋａｇｉｎｇ）
３　　　透過光
４　　　空気包
【国際公開パンフレット】
2004513034.tif 000008
2004513034.tif 000009
2004513034.tif 000010
2004513034.tif 000011
2004513034.tif 000012
2004513034.tif 000013
2004513034.tif 000014
2004513034.tif 000015
2004513034.tif 000016
2004513034.tif 000017
2004513034.tif 000018
2004513034.tif 000019
2004513034.tif 000020
2004513034.tif 000021
2004513034.tif 000022
2004513034.tif 000023
2004513034.tif 000024
2004513034.tif 000025
2004513034.tif 000026
2004513034.tif 000027
2004513034.tif 000028
2004513034.tif 000029
2004513034.tif 000030
2004513034.tif 000031
2004513034.tif 000032
2004513034.tif 000033
2004513034.tif 000034
2004513034.tif 000035
2004513034.tif 000036
2004513034.tif 000037
2004513034.tif 000038
2004513034.tif 000039
2004513034.tif 000040
2004513034.tif 000041
2004513034.tif 000042
2004513034.tif 000043
2004513034.tif 000044
2004513034.tif 000045
2004513034.tif 000046
2004513034.tif 000047
2004513034.tif 000048
2004513034.tif 000049
2004513034.tif 000050
2004513034.tif 000051
2004513034.tif 000052
2004513034.tif 000053
2004513034.tif 000054
2004513034.tif 000055
2004513034.tif 000056
2004513034.tif 000057
2004513034.tif 000058
2004513034.tif 000059
2004513034.tif 000060
2004513034.tif 000061
2004513034.tif 000062
2004513034.tif 000063
2004513034.tif 000064
2004513034.tif 000065
2004513034.tif 000066
2004513034.tif 000067
2004513034.tif 000068
2004513034.tif 000069
2004513034.tif 000070
2004513034.tif 000071
2004513034.tif 000072
2004513034.tif 000073
2004513034.tif 000074
2004513034.tif 000075
2004513034.tif 000076
2004513034.tif 000077
2004513034.tif 000078
2004513034.tif 000079
2004513034.tif 000080
2004513034.tif 000081
2004513034.tif 000082
2004513034.tif 000083
2004513034.tif 000084
2004513034.tif 000085
2004513034.tif 000086
2004513034.tif 000087
2004513034.tif 000088
2004513034.tif 000089
2004513034.tif 000090
2004513034.tif 000091
2004513034.tif 000092
2004513034.tif 000093
2004513034.tif 000094
2004513034.tif 000095
2004513034.tif 000096
2004513034.tif 000097
2004513034.tif 000098
2004513034.tif 000099
2004513034.tif 000100
2004513034.tif 000101
2004513034.tif 000102
2004513034.tif 000103
2004513034.tif 000104
2004513034.tif 000105
2004513034.tif 000106
2004513034.tif 000107
2004513034.tif 000108
2004513034.tif 000109
2004513034.tif 000110
【国際公開パンフレット（コレクトバージョン）】
2004513034.tif 000111
【手続補正書】
【提出日】平成15年2月20日(2003.2.20)
【手続補正１】
【補正対象書類名】明細書
【補正対象項目名】特許請求の範囲
【補正方法】変更
【補正の内容】
【特許請求の範囲】
【請求項１】
光照射を用いた、包装（ｐａｃｋａｇｉｎｇ）の非浸潤性消毒方法であって、前記方法は、透明なパッケージの消毒、および前記パッケージの内容の消毒に有用な方法であって、
ここで、前記パッケージは、光照射が前記パッケージ内を透過することができる少なくとも１つの透明な部分を持ち、
前記方法は、以下の工程を含む方法。
（ａ）少なくとも１つのパッケージの反対側に、マイクロ秒未満の光のパルスを放射できる少なくとも１つの光照射手段を配置する工程；
（ｂ）少なくとも１つのパッケージ内に前記液体の先端部分に隣接している空気または気体包で、包装された液体中に渦を作る工程であって、前記パッケージ内の中央部分に沿って下へ拡張している封入包を作る工程；
（ｃ）前記光放射手段から発した少なくとも１つのマイクロ秒未満の光のパルスを向け、前記した少なくとも１つのパッケージの少なくとも１つの透明な部分を通して、前記拡張包へ向ける工程；
以上の工程を含む方法であって、このようにして、前記光のパルスは、前記光ディフューザーから前記パッケージ全体に拡散させる方法。
【請求項２】
請求項１記載のパッケージの非浸潤性消毒方法であって、前記パッケージが、前記消毒前に、その内容で密封されている方法。
【請求項３】
前記請求項のいずれかに記載のパッケージの非浸潤性消毒方法であって、前記パッケージの内容が、液体、凍結液体、ジェル、粉末、固体または気体からなる群、またはそれらの組み合わせたものから選択される方法。
【請求項４】
前記請求項のいずれかに記載のパッケージの非浸潤性消毒方法であって、前記光照射手段から放出された前記光のパルスが、前記パッケージの所定の透明な部分に、前記透明な部分に相対的な角度を持つビームを向けるか、または導く方法であって、これにより、前記パッケージの透明な部分が、前記パッケージおよびその内容を通じて、光照射を分布する導波管またはディフューザーとなる方法。
【請求項５】
前記請求項のいずれかに記載のパッケージの非浸潤性消毒方法であって、さらに、消毒操作の間に、光ビーム、前記パッケージまたはその内容を振動または回転することにより、発生させた光で、前記パッケージをスキャンすることを含む方法。
【請求項６】
前記請求項のいずれかに記載のパッケージの非浸潤性消毒方法であって、前記パッケージ内の液体を撹拌することで、所定の角度での音波エネルギーにより、前記渦が形成される方法。
【請求項８】
前記請求項のいずれかに記載のパッケージの非浸潤性消毒方法であって、少なくとも１つの光照射手段が、消毒操作の間に、消毒に有用な複数の他の光源と一緒に用いられる方法。
【請求項９】
前記請求項のいずれかに記載のパッケージの非浸潤性消毒方法であって、少なくとも１つの光照射手段が、消毒操作の間に、少なくとも１つの超音波振動子と一緒に用いられる方法。
【請求項１０】
前記した請求項のいずれかに記載のパッケージの非浸潤性消毒方法であって、
少なくとも１つの前記放射装置を駆動することであって、前記装置は強度の光源を持ち、所定量の液体または気体または固体に近接していて、それら液体等は、一時的および／または不変的に、そのパッケージ、したがって、ボトル、ジョッキまたは導管またはチャンバー、またはカプセル、または水滴内にとどめられる；
約１００ｎｍ〜約４００ｎｍの少なくとも１つのパルスＵＶＡレーザーを撹拌することおよびビームを管理することであって、
ここで、前記光は、約１Ｈｚ〜約１００ＧＨｚの範囲でパルスを発生し、供給される複数のパルスのうち少なくとも１つのパルスは、約１マイクロ秒〜約１フェムト秒（Ｆｓ）の間に至る持続時間またはパルス幅をもち、
ここで、前記強度、またはフルエンス率、または全発光、または生物学的用量測定量、または光子数、または光子間の相対距離、またはエネルギー密度、または平均エネルギーは、少なくとも１つのＤＮＡ／ＲＮＡ複製配列を不活性化するか、または前記液体または気体または固体の少なくとも１つの有機毒性化合物または組成を酸化するように種特異性較正水準に較正され、これにより、前記液体または気体内容および包装（ｐａｃｋａｇｉｎｇ）が、末端使用者のために、前記装置により、完全に、生物適合性および化学的に無害に、安全に消費または供給され、
前記レーザーは、所定の場所または量、所定の期間にわたって、所定の型の包装（ｐａｃｋａｇｉｎｇ）を通じた消毒または滅菌または酸化において十分な較正分光分布をもち、前記包装（ｐａｃｋａｇｉｎｇ）を損傷させるか、または包装（ｐａｃｋａｇｉｎｇ）からその内部の液体または気体または固体への分子移動（ｍｏｌｅｃｕｌａｒ ｍｉｇｒａｔｉｏｎ）を起こさない；
を含む方法。
【請求項１１】
前記した請求項のいずれかに記載のパッケージの非浸潤性消毒方法であって、
少なくとも１つの所定の包装（ｐａｃｋａｇｉｎｇ）材料に露光し、前記包装（ｐａｃｋａｇｉｎｇ）材料は、ＰＥＴ、ポリオレフィン、およびポリアミド、ポリカルボネート、ポリエーテルアミドまたはポリエステルまたはＰＥ／ＨＤ、ナイロンまたはプラスチック、紙またはシルクセルライトまたは複合物、またはガラスまたはあらゆるポリマー樹脂の組み合わせから選択され、
ここで、前記包装（ｐａｃｋａｇｉｎｇ）は、所定量の液体または気体または固体または食物または飲み物またはサプリメント、所定の着香料または自然保存料保持し、
ここで、前記包装（ｐａｃｋａｇｉｎｇ）は、前記外部露光に較正した所定の表面積、熱変動曲線、屈折率特性および伝導特性をもち、その中の前記液体または気体または固体内容を組み合わせるか、またはそれぞれ測定することで、同時に、または別々に、または組み合わせて、内容または包装（ｐａｃｋａｇｉｎｇ）の消毒または滅菌を容易にすること；
前記包装（ｐａｃｋａｇｉｎｇ）の光の前記所定伝導または吸光度、または光電子または光学特性または反応ポートフィリオの用量反応曲線を較正し、
ここで、前記用量は、全体またはその中の、その散乱率、または反射、または屈折、または偏向または操作光にあわせ、このとき、前記包装（ｐａｃｋａｇｉｎｇ）の組成を変えることなく、または前記包装（ｐａｃｋａｇｉｎｇ）から前記内容への有毒な分子移動（ｍｏｌｅｃｕｌａｒ ｍｉｇｒａｔｉｏｎ）を起こさないか、または前記包装（ｐａｃｋａｇｉｎｇ）に損傷を与えることがないようにし、
一方、前記供給または分散光の生物学用量測定および化学用量測定値の関数としては、生産者、末端使用者または品質水準の消毒または滅菌または酸化目標を実現し、
ここで、光学、音波、および熱光化学の累積および連打は、所定の周期的な、または回帰性のまたは非回帰性の、一連のまたは連続的な手順または光化学消毒、滅菌または酸化または還元または無機物化操作において、前記包装（ｐａｃｋａｇｉｎｇ）容量、表面積、およびその内容の全体にわたって効果をもたらすこと；
少なくとも１つの放射装置を駆動することであって、前記装置は、約１ｎｍ〜９９９ｎｍの強度のパルス光源、約１ｎＪｃｍ２〜約４０ｋＪｃｍ２のエネルギー密度、および約１Ｈｚ〜９１８ＧＨｚの反復率を持ち、前記包装（ｐａｃｋａｇｉｎｇ）に近接していて、前記装置が、同調されまたは分解されおよび連結され、または光ファイバー、導波管、液体導波管、反射または屈折撹拌光子を介して遠隔的同調され、または前記包装（ｐａｃｋａｇｉｎｇ）を目的とするか、または逸脱するか、または転換するか、または被膜するか、または目標とすること、したがって、前記放射装置からの光が、それに損傷を与えることなく前記包装（ｐａｃｋａｇｉｎｇ）を通じて伝導されること；
前記包装（ｐａｃｋａｇｉｎｇ）内および前記表面上または容量における前記有毒種を不活性化、または消毒または滅菌、または酸化し、したがって、その品質および生物学的および化学的適合性、内容の新鮮さ、風味もしくは外見を保ち、所定期間にわたって品質水準を向上させること；
を含む方法。
【請求項１２】
前記した請求項のいずれかに記載のパッケージの非浸潤性消毒方法であって、
少なくとも１つの所定の包装（ｐａｃｋａｇｉｎｇ）材料に露光し、前記包装（ｐａｃｋａｇｉｎｇ）材料は、ＰＥＴ、ポリオレフィン、およびポリアミド、ポリカルボネート、ポリエーテルアミドまたはポリエステルまたはＰＥ／ＨＤ、またはガラスまたはあらゆるポリマー樹脂の組み合わせから選択され、ここで、前記包装（ｐａｃｋａｇｉｎｇ）は、所定量の液体または気体または固体またはサプリメント、表面積、所定の熱変動曲線、屈折率特性および伝導特性をもち、その中の前記液体または気体または固体内容を組み合わせること；
前記包装（ｐａｃｋａｇｉｎｇ）の光の前記所定伝導または吸光度特性を較正し、全体の、その散乱角、または反射、または屈折、または偏向または操作光にあわせ、このとき、前記包装（ｐａｃｋａｇｉｎｇ）の組成を変えることなく、または有毒な分子移動（ｍｏｌｅｃｕｌａｒ ｍｉｇｒａｔｉｏｎ）を起こさないこと；
少なくとも１つの放射装置を駆動することであって、前記装置は、約１ｎｍ〜９９９ｎｍの強度のパルス光源、約１ｎＪｃｍ２〜約４０ｋＪｃｍ２のエネルギー密度、および約１Ｈｚ〜９１８Ｈｚの反復率を持ち、前記包装（ｐａｃｋａｇｉｎｇ）に近接していて、同調されまたは分解されおよび連結されまたは、光ファイバー、導波管、液体導波管を介して遠隔的同調され、または前記包装（ｐａｃｋａｇｉｎｇ）を目的とするか、または逸脱するか、または転換するか、または被膜するか、または目標とすること、したがって、前記放射装置からの光が、それに損傷を与えることなく前記包装（ｐａｃｋａｇｉｎｇ）を通じて伝導されること；
前記包装（ｐａｃｋａｇｉｎｇ）ないおよび前記表面上における前記有毒種を不活性化、または消毒または滅菌、または酸化し、したがって、その品質および生物学的および化学的適合性、内容の新鮮さ、風味もしくは外見を保ち、所定期間にわたって品質水準を向上させること；
を含む方法。
【請求項１３】
前記した請求項のいずれかに記載のパッケージの非浸潤性消毒方法であって、
少なくとも１つの固相レーザー前記放射装置を駆動することであって、前記装置は、強度のパルス光源を持ち、所定量の液体または気体または固体またはその組み合わせたものに近接していて、それら液体等が、一時的および／または不変的に、その包装（ｐａｃｋａｇｉｎｇ）、これにより、ボトル、ジョッキまたは導管またはチャンバーにとどめおかれ；
約１００ｎｍ〜約４００ｎｍの前記パルスレーザー光源を撹拌することまたはビームを管理することであって、
ここで、前記光は、約１Ｈｚ〜約１００ＧＨｚの範囲でパルスを発生し、供給される複数のパルスのうち少なくとも１つのパルスは、約１マイクロ秒〜約１アト秒（Ａｓ）の間に至る持続時間またはパルス幅をもち、
ここで、前記強度、またはフルエンス率、または全発光、または生物学的用量測定量、または光子数、または供給された光子間の相対距離、またはその中のエネルギー密度、または包装（ｐａｃｋａｇｉｎｇ）および内容全体に供給された平均エネルギーは、少なくとも１つのＤＮＡ／ＲＮＡ複製配列を不活性化するか、または前記液体または気体または固体または組み合わせたものの少なくとも１つの有機毒性化合物または組成を酸化するように有毒な種特異性較正水準に較正され、これにより、前記液体または気体内容および包装（ｐａｃｋａｇｉｎｇ）が、末端使用者のために、前記装置により、完全に、生物適合性および化学的に無害に、安全に消費または供給され、
前記レーザーは、所定の場所または量、所定の期間にわたって、所定の型の包装（ｐａｃｋａｇｉｎｇ）を通じた消毒または滅菌または酸化において十分な較正分光分布をもち、前記包装（ｐａｃｋａｇｉｎｇ）の損傷または原因とならないこと；
を含む方法。
【請求項１４】
前記した請求項のいずれかに記載のパッケージの非浸潤性消毒方法であって、
少なくとも１つの放射装置を駆動することであって、前記装置は、強度のパルスまたは連続光源を持ち、少なくとも１つの包装（ｐａｃｋａｇｉｎｇ）に近接していること；
単独で、または混成パルスおよび連続的な放射装置、したがって、前記装置は、同時に、または交互性、交差調節、または周期的な、回帰性、非回帰性、または組み合わせた要因と一緒に能動的に操作し、
ここで、与えられた期間におけるそれらの全電気光学出力は、同時に約１００ｎｍ〜約４００ｎｍの少なくとも１つのパルスＵＶＡレーザー光源を利用して発生させ、発し、
ここで、前記光は、約１Ｈｚ〜約１００ＧＨｚの範囲でパルスを発生し、複数のパルス、準ＣＷビーム、またはコヒーレント光およびインコヒーレント光を供給またはポンプし、または照射光、または増幅合成のうち少なくとも１つのパルスは、前記包装（ｐａｃｋａｇｉｎｇ）に向かってか、または通じて供給され、このとき、そのパルスは、約１マイクロ秒〜約１フェムト秒（Ｆｓ）またはピコ秒（Ｐｓ）の間に至る持続時間またはパルス幅または調節シグナルをもち、
ここで、前記強度、またはフルエンス率、または全発光、または生物学的用量測定量、または光子数、または前記装置からの光のビームまたはバーストから選択される光子間の相対距離、またはエネルギー密度、または平均エネルギーは、少なくとも１つのＤＮＡ／ＲＮＡ複製配列を不活性化するか、または前記液体または気体または固体の少なくとも１つの有機毒性化合物または組成を酸化するように種特異性較正水準に較正され、これにより、前記液体または気体内容および包装（ｐａｃｋａｇｉｎｇ）が、末端使用者のために、前記装置により、完全に、生物適合性および化学的に無害に、安全に消費または供給され、
前記レーザーは、所定の場所または量、所定の期間にわたって、所定の型の包装（ｐａｃｋａｇｉｎｇ）を通じた消毒または滅菌または酸化において十分な較正分光分布をもち、前記包装（ｐａｃｋａｇｉｎｇ）を損傷させるか、または包装（ｐａｃｋａｇｉｎｇ）からその内部の液体または気体または固体への分子移動（ｍｏｌｅｃｕｌａｒ ｍｉｇｒａｔｉｏｎ）を起こすことがないこと；
を含む方法。
【請求項１５】
前記した請求項のいずれかに記載のパッケージの非浸潤性消毒方法であって、
複数の放射装置を駆動することであって、前記装置は、強度の光または音波、磁性または超音波振動源をもち、所定の包装（ｐａｃｋａｇｉｎｇ）の近接または近傍に、または遠隔操作により駆動でき、反射または偏向または屈折または回折または撹拌または走査または組み合わせて駆動でき、前記包装（ｐａｃｋａｇｉｎｇ）にねらいをつけ、および標的または供給または分布する装置で、前記包装（ｐａｃｋａｇｉｎｇ）は、ＰＥＴ、ポリオレフィレン、およびポリアミド、ポリカルボネート、ポリエーテルアミド、またはポリエステルまたはＰＥ／ＨＤ、ナイロンまたはプラスチック、紙またはシルクセルライトまたは複合物、またはガラスまたは、それらのいずれかのポリマー樹脂の組み合わせたものから選択され、前記包装（ｐａｃｋａｇｉｎｇ）は、液体または気体または固体または食物または飲み物のサプリメント、所定の香料または自然保存料を保持することができ、ここで、前記包装（ｐａｃｋａｇｉｎｇ）は、所定量または内容、表面積、熱変動曲線、屈折率特性および伝導特性をもち、これらは、前記外部被爆により較正されていること；
約１ｎｍ〜約４０００ｎｍの光学または音−光出力をもつ少なくとも１つの前記装置を撹拌することおよびビームを管理することであって、
ここで、前記光は、パルスにするか、または連続的に調整制御するか、または誘引するか、電気機械的にまたは光学的に、約１Ｈｚ〜約１９９７ＴＨｚの範囲で、同調または分解し、および供給される複数のパルスのうち少なくとも１つのパルスは、約１秒〜約１アト秒の範囲の持続時間またはパルス幅をもち、ここで、前記強度またはフルエンス率、または全発光エネルギー、または生物学的用量測定量、またはすべての方向から長時間にかけて供給される光子数、または前記供給された光子間の相対距離、または広範囲のエネルギー密度、または装置による供給された容量または内容あたりの平均エネルギーは、少なくとも１つのＤＮＡ／ＲＮＡ複製配列を不活性化するか、または前記液体または気体または固体の有機毒性化合物または組成の少なくとも１つを酸化する種特異性較正水準により較正され、したがって、前記液体または気体内容および包装（ｐａｃｋａｇｉｎｇ）が、末端使用者のために、前記装置により、完全に、生物適合性および化学的に無害に、安全に消費または供給され、前記装置は、所定の型の包装（ｐａｃｋａｇｉｎｇ）を通じて、所定の範囲、容量、所定の期間にわたっての消毒または滅菌または酸化の各々の適切な較正分光分布を持ち、したがって、前記容量、内容または表面の全体にわたって、滅菌または消毒または酸化または生物学的または化学的に安全であって、前記包装（ｐａｃｋａｇｉｎｇ）を損傷させるか、または包装（ｐａｃｋａｇｉｎｇ）の液体または気体または固体、容量またはその内容への分子移動（ｍｏｌｅｃｕｌａｒ ｍｉｇｒａｔｉｏｎ）を起こすことなく、および前記農産物または生物医学包装（ｐａｃｋａｇｉｎｇ）製品の前記着香料および細部、風味または組成、健康に良く、新鮮、品質および貯蔵寿命を調整、変化または劣化させることなく、したがって、前記製品の品質が長期間に渡って保持されること；
を含む方法。
【請求項１６】
前記した請求項のいずれかに記載のパッケージの非浸潤性消毒方法であって、
ここで、前記包装（ｐａｃｋａｇｉｎｇ）は、ＰＥＴ、ポリオレフィレン、およびポリアミド、ポリカルボネート、ポリエーテルアミド、またはポリエステルまたはＰＥ／ＨＤ、ナイロンまたはプラスチック、紙またはシルクセルライトまたは複合物、またはガラスまたはあらゆるポリマー樹脂の組み合わせから選択され、前記包装（ｐａｃｋａｇｉｎｇ）は、約１マイクロリットル〜約１ｍ３の所定量の瓶詰めされた水、ミネラル水、湧き水、着香した水、炭酸水、飲料水、生物学的に調製されたあらゆる液体または気体または固体、その組み合わせたものを保持する方法で；
機械的または空気圧で、または電気的にまたは電気機械的に、または水圧で、または組み合わせで、前記ＵＶＡ領域に発生したレーザー光源により生じた高エネルギー密度の範囲を通じて、前記包装（ｐａｃｋａｇｉｎｇ）に移送し、
ここで、光のパルス幅または各々のパルスの持続時間は、マイクロ秒未満であり、
ここで、前記エネルギー密度の範囲における波長は、約３４７ｎｍ〜約３９９ｎｍであり、
ここで、所定期間における、前記包装（ｐａｃｋａｇｉｎｇ）の所定の場所、容量または内容にわたる適当な分光分布は、すべての有毒種の滅菌または消毒または酸化に適しており、同時に、包装（ｐａｃｋａｇｉｎｇ）が損傷を受けず、組成のままの状態および化学的に安定にするか、または組成に損傷を与えることない方法。
【請求項１７】
前記した請求項のいずれかに記載のパッケージの非浸潤性消毒方法であって、
ここで、前記包装（ｐａｃｋａｇｉｎｇ）材料は、ＰＥＴ、ポリオレフィレン、およびポリアミド、ポリカルボネート、ポリエーテルアミド、またはポリエステルまたはＰＥ／ＨＤ、ナイロンまたはプラスチック、シリコン、紙またはシルクセルライトまたは複合物、またはガラスまたはあらゆるポリマー樹脂の組み合わせから選択され、砂糖または香料または食品添加物またはビタミンまたはミネラルまたは栄養補助食品または栄養添加物を含み、
ここで、前記水の砂糖の含有量は、約１％体積濃度〜約９９％体積濃度である方法。
【請求項１８】
前記した請求項のいずれかに記載のパッケージの非浸潤性消毒方法であって、
少なくとも１つの所定の包装（ｐａｃｋａｇｉｎｇ）品目を対象とし、前記包装（ｐａｃｋａｇｉｎｇ）品目としては、瓶詰めの水、またはミネラル水、または湧き水、または処理水、または着香した水、または炭酸水、またはビタミンおよび栄養強化または増強水、または着色水、または食品、栄養補助食品、または保存料を含む水、または飲料水または組み合わせた水を含み、これらは所定の材料で包装（ｐａｃｋａｇｉｎｇ）されており、前記材料は、ＰＥＴ、ポリオレフィレン、およびポリアミド、ポリカルボネート、ポリエーテルアミド、またはポリエステルまたはＰＥ／ＨＤ、ナイロンまたはプラスチック、シリコン、または約２３３ｎｍ〜約９９９ｎｍの範囲の波長を伝導可能な、生物学的適合性および光学的互換性ポリマー、紙またはシルク、セルライト、または複合物、またはガラスまたはあらゆるポリマー、またはモノマー、またはカルボマーまたは樹脂、それらの組み合わせであって、前記包装（ｐａｃｋａｇｉｎｇ）は、各々の包装（ｐａｃｋａｇｉｎｇ）は、だいたい、覆われている部分の最上位までいっぱいで、約０．５Ｌ〜約２０Ｌの所定量であること；
前記包装（ｐａｃｋａｇｉｎｇ）品目を回転し、
ここで、前記包装（ｐａｃｋａｇｉｎｇ）品目を、超音波、または機械的に、または水圧で、または空気圧でまたは電気的または光学空間的に、または光学電気的、またはその組み合わせで、適当な速度または１分あたりの回転数（ＲＰＭｓ）で回転する場合、前記包装（ｐａｃｋａｇｉｎｇ）が、約１ＲＰＭｓ〜約３０，０００ＲＰＭｓで移送（ｔｒａｎｓｐｏｒｔ）または静止する間、ついで、前記包装（ｐａｃｋａｇｉｎｇ）の容量が、全体的に、撹拌され、超音波または機械的に回転され、前記空気包は、循環的に、前記容量の方向または、動きで回転され、これは、渦、竜巻、円錐型または円柱型または縦方向の組み合わせた型に伸ばされ、これらは、光拡散特性効果をもち；
少なくとも１つの３５５ｎｍ放射装置またはレーザーを拡散させるのであって、前記装置またはレーザーは、強度の光源を持ち、その拡散により、前記渦または竜巻が、平均して、少なくとも２１％の自由に利用可能な酸素を含む空気包を形成し、前記渦または竜巻は、だいたい前記包装（ｐａｃｋａｇｉｎｇ）またはボトル、またはジョッキ、またはカプセルのだいたい入り口または出口まで伸びていて、前記包装（ｐａｃｋａｇｉｎｇ）のそこの近傍または触れる程度に達し、本発明の方法にしたがって、アクティブプロセッシングまたは照射を終了した場合、線形平滑曲線を穏やかにし；
同時、一連、回帰性または非回帰性または周期的、またはそれらの組み合わせで、少なくとも１つの包装（ｐａｃｋａｇｉｎｇ）品目に、放射装置またはレーザーからパルスを照射するのであって、前記装置またはレーザーは、約マイクロ秒未満のパルス幅、約１Ｈｚ〜約２２ＴＨｚ（テラヘルツ）の範囲の反復率、および３５５ｎｍの波長の高い最大出力を持ち、前記包装（ｐａｃｋａｇｉｎｇ）を目的、または混合、または拡散、または照射し、同時に関連、または相関して、前記包装（ｐａｃｋａｇｉｎｇ）内の前記内容を混合、または撹拌、または超音波で、拡散し、
ここで、前記包装（ｐａｃｋａｇｉｎｇ）材料は、前記水製品を含み、回転していて、少なくとも１つのパルスを前記放射装置またはレーザーから照射し、前記混合した空気包は伸張し、前記放射装置から、前記容量を通した光の拡散およびイルミネートまたは照射または分布を容易にし、その中の消毒または滅菌を容易にし、単独または複数の第１および／または第２のオーダー光子の相互作用、光生成物または効果の累積係数によつ生物用量測定曲線の条件を容易にし、累積用量測定値、またはそれらのＤＮＡ／ＲＮＡ複製配列、またはそれらの組み合わせた不活化、消毒、滅菌または酸化、または均一化または還元のための種特異的生物学的構成基準の基準点を容易にし、したがって、毒性、または有毒化学物質またはその組み合わせたものを消毒、または滅菌または酸化し、容量および包装（ｐａｃｋａｇｉｎｇ）を、より無害で、安全で、所定期間にわたってその品質および生物学的安全性の増加、消費するにおいて、その香料、新鮮さおよび自然純度を保存すること；
を含む方法。
【請求項１９】
前記した請求項のいずれかに記載のパッケージの非浸潤性消毒方法であって、
少なくとも１つの所定の包装（ｐａｃｋａｇｉｎｇ）品目を対象とし、前記包装（ｐａｃｋａｇｉｎｇ）品目は、ＰＥＴ、ポリオレフィレン、およびポリアミド、ポリカルボネート、ポリエーテルアミド、またはポリエステルまたはＰＥ／ＨＤ、ナイロンまたはプラスチック、シリコン、またはガラス、またはあらゆる生物学的適合性および光学的互換性のあるポリマーから選択される；
前記包装（ｐａｃｋａｇｉｎｇ）品目または内容、または容量、または表面を、超音波、または機械的に、または水圧で、または空気圧でまたは電気的または光学空間的に、または光学電気、または流体光学的に回転させるか、または；
少なくとも１つのパルスまたは連続的な波、または約３５５ｎｍの少なくともひとつの放射装置または高輝度光源を有するレーザーからの外見上連続光を、共役させ、拡散し；
前記ねじれ作用による空気包ディフューザーを形成した渦または竜巻をつくり、ここで、前記ねじれまたは伸張空気包は、空気として約２１パーセントの酸素、または窒素、または低い屈折率を持つ別の気体を含み、ついで、前記包装（ｐａｃｋａｇｉｎｇ）中の透明な水、または液体または気体の屈折率、または、
ここで、前記カプセルの屈折率は、空気の屈折率より高く、ここで、前記渦または竜巻、加工したディフューザーは、だいたい前記包装（ｐａｃｋａｇｉｎｇ）またはボトル、またはジョッキ、またはカプセルのだいたい入り口または出口まで伸びていて、前記包装（ｐａｃｋａｇｉｎｇ）のそこの近傍または触れる程度に達し、前記包装（ｐａｃｋａｇｉｎｇ）のだいたい中心で線形平滑曲線を穏やかにし、操作または撹拌または回転させ、前記伸張したディフューザーが、適当な角度または距離に位置しており；
同時、一連、回帰性または非回帰性または周期的、またはそれらの組み合わせで、導管またはチャンバー内の水に浸した少なくとも１つの包装（ｐａｃｋａｇｉｎｇ）に照射するのであって、前記包装（ｐａｃｋａｇｉｎｇ）は、空気または真空に囲まれおり、
ここで、前記包装（ｐａｃｋａｇｉｎｇ）材料またはその内容またはその組み合わせたものに、前記放射装置またはレーザーまたはハイブリッドインテグレイションまたは組み合わせたものから、少なくとも１つのパルスを、照射し、ここで、前記放射装置またはレーザーは、固相レーザー 、放電加工レーザー、プラズマ駆動レーザー、半導体レーザー、有機レーザー、電子ビームポンプレーザー、自由電子レーザー、ドープ型ファイバーレーザー、またはＳＡＳＥ／ＥＡ／ＦＥＬレーザー、ファイバーレーザー、ダイオードポンプレーザー、結晶関連レーザー、ドープ型ガラス関連レーザー、ＦＥＬｓレーザー、ポリマーレーザー、ＰＷ／ＣＷ型レーザー、量子ドット型レーザー、レーザーアレイ、フラッシュランプポンプレーザー、ウォーターレーザー、光のバンドギャップレーザー、シードまたは増幅レーザー、時間圧縮または拡張レーザー、ｑ−スイッチ型レーザー、双方向調和型レーザー、音波−光学レーザー、超音波レーザー、Ｘ線ポンプレーザー、Ｙポンプレーザー、Ｅ−ビームレーザー、触媒型レーザー、光電気触媒型レーザー、エアー・レーザー、地面固定型レーザー、可動および小型レーザー、薄膜型レーザー、ベーパーレーザー、ウォーターレーザー、光バンドギャップレーザーから選択され、前記放射装置または光源からの光は、前記光装置から、前記包装（ｐａｃｋａｇｉｎｇ）の近傍に達する程度に延びた導管と連結していて、
ここで、前記強度光は、前記内容または容量または包装（ｐａｃｋａｇｉｎｇ）表面の消毒および滅菌するために、前記包装（ｐａｃｋａｇｉｎｇ）およびその容量の全体を、所定の場所内、所定の期間にわたって、覆うこと；
を含む方法。
【請求項２０】
光照射を用いた、包装（ｐａｃｋａｇｉｎｇ）の非浸潤性消毒システムであって、前記方法は、透明なパッケージの消毒、および前記パッケージの内容の消毒に有用な方法であって、ここで、前記パッケージは、光照射が前記パッケージ内を透過することができる少なくとも１つの透明な部分を持ち；
（ａ）光のパルスを放つことができる少なくとも１つの光放射装置で、前記光のパルスは、２００ｎｍ〜１０００ｎｍの範囲の波長を持つ少なくとも１つの光の組成を含み；
（ｂ）消毒予定の少なくとも１つのパッケージ、相対して前記少なくとも１つの光放射装置を置いた光放射を受けるための機械的手段
（ｃ）少なくとも１つのパッケージ内に前記液体の先端部分に隣接している空気または気体包で、包装された液体中に渦を作る工程であって、前記パッケージ内の中央部分に沿って下へ拡張している封入包を作る手段；
（ｄ）前記パッケージ内に作成された拡張包に向かって、光のパルスを伝える前記光放射装置を制御するための制御手段
を含む消毒システムであって、
ここで、前記光のパルスは、前記パッケージを通じて前記拡張包から拡散される消毒システム。
【請求項２１】
前請求項のいずれかに記載のパッケージの非浸潤性消毒システムであって、ここで、光放射装置は、それから放射される前記光のパルスが、光により処理されるパッケージの所定の透明な部分に方向または導かれるように位置付けされ、
ここで、前記光放射は、前記透明な部分に相対的な所定の角度をもつビームに定められ、前記パッケージの透明な部分が、前記光放射を、前期パッケージまたはその内容を通じて分布させる導波管またはディフューザーとなる消毒システム。
【請求項２２】
前請求項のいずれかに記載のパッケージの非浸潤性消毒システムであって、さらには、消毒操作の間に、前記光ビーム、前記パッケージまたは前記内容を振動または回転させるための機械的、電気−機械、または電気−音波手段含む消毒システムであって、消毒操作の間に、前記振動または回転が、前記パーケージまたはその内容を前記光ビーム走査させる目的である消毒システム。
【請求項２３】
さらに、少なくとも１つの光照射手段と組み合わせて、複数の光源を含む前記した請求項のいずれかに記載のパッケージの非浸潤性消毒システム。
【請求項２４】
さらに、少なくとも１つの光照射手段と組み合わせて、超音波振動子を含む前記した請求項のいずれかに記載のパッケージの非浸潤性消毒システム。
【請求項２５】
前記光照射単位が、固体レーザーを含む前記した請求項のいずれかに記載のパッケージの非浸潤性消毒システム。
【請求項２６】
前記放射装置または光源が、連続的な波ランプである前記した請求項のいずれかに記載のパッケージの非浸潤性消毒システム。
【請求項２７】
前記光放射装置が、パルスランプである前記した請求項のいずれかに記載のパッケージの非浸潤性消毒システム。
【請求項２８】
前記光放射装置が、準連続的な波型のランプまたはレーザーを含む前記した請求項のいずれかに記載のパッケージの非浸潤性消毒システム。
【請求項２９】
前記光放射装置が、放電加工レーザーを含む前記した請求項のいずれかに記載のパッケージの非浸潤性消毒システム。
【請求項３０】
前記光放射装置が、プラズマポンプレーザーを含む前記した請求項のいずれかに記載のパッケージの非浸潤性消毒システム。
【請求項３１】
前記光放射装置が、ｅ−ビーム型のレーザーを含む前記した請求項のいずれかに記載のパッケージの非浸潤性消毒システム。
【請求項３２】
前記光放射装置が、気体型レーザーを含む前記した請求項のいずれかに記載のパッケージの非浸潤性消毒システム。
【請求項３３】
前記光放射装置が、ＴＳＡ／ＳＥ／ＥＡ／ＦＥＬｓ型のレーザーを含む前記した請求項のいずれかに記載のパッケージの非浸潤性消毒システム。
【請求項３４】
前記光放射装置が、半導体型のレーザーを含む前記した請求項のいずれかに記載のパッケージの非浸潤性消毒システム。
【請求項３５】
前記光放射装置が、量子ドットマトリックス型レーザーを含む前記した請求項のいずれかに記載のパッケージの非浸潤性消毒システム。
【請求項３６】
前記光放射装置が、有機型レーザーを含む前記した請求項のいずれかに記載のパッケージの非浸潤性消毒システム。
【請求項３７】
前記光放射装置が、結晶型レーザーを含む前記した請求項のいずれかに記載のパッケージの非浸潤性消毒システム。
【請求項３８】
前記光放射装置が、液体型レーザーを含む前記した請求項のいずれかに記載のパッケージの非浸潤性消毒システム。
【請求項３９】
前記光放射装置が、増幅型レーザーを含む前記した請求項のいずれかに記載のパッケージの非浸潤性消毒システム。
【請求項４０】
前記光放射装置が、第２次、第３次、第４次、第５次、第６次高調波発生装置または周波数二倍装置またはトランスデューサーを用いてレーザーをポンプするｑ−スイッチ型を含む前記した請求項のいずれかに記載のパッケージの非浸潤性消毒システム。
【請求項４１】
前記光放射装置が、パルスを含み、ここに、前記持続時間または前記パルス幅が約１アト秒（Ａｓ）〜約１秒から選択される前記した請求項のいずれかに記載のパッケージの非浸潤性消毒システム。
【請求項４２】
前記光放射装置が、単一基盤上に統合されているハイブリッドレーザーおよびランプを含む前記した請求項のいずれかに記載のパッケージの非浸潤性消毒システム。
【請求項４３】
前記光放射装置が、増幅または空間的処理、または変換、または変更、または反射、または屈折、またはホログラフ的環境または浸透、または、分配、または再結合、またはチャネル、または直接的な分配または誘導またはポケルス細胞を通じて、包装（ｐａｃｋａｇｉｎｇ）または内容の至る所からの毒性種の滅菌または消毒、解離、または酸化、還元または均等化のための包装（ｐａｃｋａｇｉｎｇ）を通じて供給することを含む前請求項のいずれかに記載のパッケージの非浸潤性消毒システム。
【請求項４４】
前記光放射装置が、ダイオードポンプレーザーを含む前記した請求項のいずれかに記載のパッケージの非浸潤性消毒システム。
【請求項４４】
前記光放射装置が、ダイオードレーザーを含む前記した請求項のいずれかに記載のパッケージの非浸潤性消毒システム。
【請求項４５】
前記光放射装置が、ＬＥＤを含む前記した請求項のいずれかに記載のパッケージの非浸潤性消毒システム。
【請求項４７】
前記光放射装置が、音、または光学的、水圧または空気圧、またはそれらを組み合わせた変調レーザー含む前記した請求項のいずれかに記載のパッケージの非浸潤性消毒システム。
【請求項４８】
前記光放射装置が、空間荷電電子レーザーを含む前記した請求項のいずれかに記載のパッケージの非浸潤性消毒システム。
【請求項４９】
前記光放射装置が、繊維型レーザーを含む前記した請求項のいずれかに記載のパッケージの非浸潤性消毒システム。
【請求項５０】
前記光放射装置が、ドープ型繊維または光バンドギャップレーザーを含む前記した請求項のいずれかに記載のパッケージの非浸潤性消毒システム。
【請求項５１】
前記光放射装置が、ウォーターレーザーを含む前記した請求項のいずれかに記載のパッケージの非浸潤性消毒システム。
【請求項５２】
前記光放射装置が、所定の場所、所定の期間にわたって前記分光分布が連結されるか、または同調するハイブリッドレーザーランプを含み、ここで、前記適切な量またはエネルギー密度が、消毒および滅菌のために、包装（ｐａｃｋａｇｉｎｇ）を通じて、そのなかのまたはその全体の液体または気体または固体に供給される、前記した請求項のいずれかに記載のパッケージの非浸潤性消毒システム。
【請求項５３】
前記光放射装置が、レーザーを含む前記した請求項のいずれかに記載のパッケージの非浸潤性消毒システム。
【請求項５４】
前記光放射装置が、ダイアモンドをベースとしたレーザーを含む前記した請求項のいずれかに記載のパッケージの非浸潤性消毒システム。
【請求項５５】
前記光放射装置が、パルスＵＶ固相Ｎｄ；Ｙａｇレ−ザーを含む前請求項のいずれかに記載のパッケージの非浸潤性消毒システムであって、前記レーザーは、１Ｈｚ〜約２００ＭＨｚの範囲で働き、約１ｎｍ〜約３０００ｎｍから選択される波長であり、ここで、前記パルス時間または幅は、１秒（１ｓ）〜約１アト秒（１Ａｓ）である消毒システム。
【請求項５６】
前記光放射装置が、パルスＵＶ固相レーザーを含む前請求項のいずれかに記載のパッケージの非浸潤性消毒システムであって、前記レーザーは、１Ｈｚ〜約７５ＭＨｚの範囲で働き、約３５５ｎｍから選択される波長であり、ここで、前記パルス時間または幅は、マイクロ秒未満であって、第２の規則的な相互作用、または前記包装（ｐａｃｋａｇｉｎｇ）表面上および前記包装（ｐａｃｋａｇｉｎｇ）の容量または内容の至る所での光子吸着法を起こす消毒システム。
【請求項５７】
前請求項のいずれかに記載のパッケージの非浸潤性消毒システムであって、前記包装（ｐａｃｋａｇｉｎｇ）が、飲料用の水、着香した水、ボトルまたは処理水、または炭酸水のハーフリッターボトルである消毒システム。
【請求項５８】
前請求項のいずれかに記載のパッケージの非浸潤性消毒システムであって、ここで、前記包装（ｐａｃｋａｇｉｎｇ）が、水を主成分とした飲料用製品、したがって、ミネラル、着香料、またはサプリメントウォーターを含む５−ガロンジョッキまたは容器である消毒システム。
【請求項５９】
前請求項のいずれかに記載のパッケージの非浸潤性消毒システムであって、ここで、前記包装（ｐａｃｋａｇｉｎｇ）が、飲料用のミネラル、着香料、炭酸、処理、または湧き水の１Ｌのボトルである消毒システム。
【請求項６０】
前請求項のいずれかに記載のパッケージの非浸潤性消毒システムであって、ここで、前記包装（ｐａｃｋａｇｉｎｇ）が、飲料用のミネラル水、着香した水、瓶詰めされたまたは処理水、または炭酸水、または湧き水の１Ｌまたはハーフボトルである消毒システム。
【請求項６１】
前請求項のいずれかに記載のパッケージの非浸潤性消毒システムであって、ここで、前記包装（ｐａｃｋａｇｉｎｇ）は、飲料用のミネラル水、着香した水、瓶詰めされたまたは処理水、または炭酸水の２Ｌのボトルである消毒システム。
【請求項６２】
前請求項のいずれかに記載のパッケージの非浸潤性消毒システムであって、ここで、前記包装（ｐａｃｋａｇｉｎｇ）が、飲料用のミネラル水、着香した水、瓶詰めされたまたは処理水、または炭酸水のハーフガロンジョッキである消毒システム。
【請求項６３】
前請求項のいずれかに記載のパッケージの非浸潤性消毒システムであって、ここで、前記包装（ｐａｃｋａｇｉｎｇ）は、がバッグまたは導管、またはパイプ、または光学溶反応装置である消毒システム。
【請求項６４】
前請求項のいずれかに記載のパッケージの非浸潤性消毒システムであって、ここで、前記包装（ｐａｃｋａｇｉｎｇ）が、カプセル、ピル、ジェル、プラスチック、ポリマー、モノマー、カルボマー、エラストマー、またはセルライト、紙またはシルク材から選択され、これらは、十分に、消費または生物医学または光学プロビット調製または食物または飲料または組み合わせた栄養補助食品複合容量用農業食品生産物のための生物学的適合性がある消毒システム。
【請求項６５】
前請求項のいずれかに記載のパッケージの非浸潤性消毒システムであって、前記包装（ｐａｃｋａｇｉｎｇ）は、所定の量のビタミン水または栄養強化水である消毒システム。
【請求項６６】
前請求項のいずれかに記載のパッケージの非浸潤性消毒システムであって、渦を形成するための前記機械的手段が、音波である消毒システム。
【請求項６７】
前請求項のいずれかに記載のパッケージの非浸潤性消毒システム，
であって、ここで、前記パッケージが、前記放射装置からの光により、その組成に損傷を与えることなく、分子移動（ｍｏｌｅｃｕｌａｒ ｍｉｇｒａｔｉｏｎ）を起こすことなく浸潤し、前記供給した光は、より短い持続時間をもち、さらに、前記時間が、熱効果または動的曲線、または温度上昇を起こさせる消毒システム。
【請求項６８】
前請求項のいずれかに記載のパッケージの非浸潤性消毒システムであって、ここで、前記包装（ｐａｃｋａｇｉｎｇ）が、水、空気、香料、砂糖、食物または飲料 栄養補助食品、ビタミンまたは栄養剤、着色料または保存料から選択される構成要素を含み、ここで、本発明の方法にしたがって照射すると、包装（ｐａｃｋａｇｉｎｇ）または内容の滅菌または消毒は、包装（ｐａｃｋａｇｉｎｇ）を通じて効果的に行われるが、前記構成要素または包装（ｐａｃｋａｇｉｎｇ）に損傷を与えない消毒システム。
【請求項６９】
前請求項のいずれかに記載のパッケージの非浸潤性消毒システムであって、ここで、前記包装（ｐａｃｋａｇｉｎｇ）が、水を主成分とした製品または瓶詰めの水製品を含み、前記内容または容量中の前記砂糖濃度が、１Ｌあたり約１ｇ〜１Ｌあたり約９９９ｇの範囲である消毒システム。
【請求項７０】
前請求項のいずれかに記載のパッケージの非浸潤性消毒システムであって、前記装置またはレーザー、または光学、またはビーム管理システムが、前記包装（ｐａｃｋａｇｉｎｇ）位置に近接してまたは離れた位置であって、前記包装（ｐａｃｋａｇｉｎｇ）は、前記包装（ｐａｃｋａｇｉｎｇ）を通じて滅菌および消毒するためのものであって、
ここで、前記供給光が、空気、水、液体または気体、または導波管を通じて、前記目的に供給される消毒システム。
【請求項７１】
前請求項のいずれかに記載のパッケージの非浸潤性消毒システムの使用であって、光プロバイオテック水を主成分とした製品の製造のために、その中の前記解離組成が、ＭＨＣのＩ、ＩＩ、ＩＩＩ型により、または、ヒト免疫系による識別に起因し、すなわち、前記免疫系の前記豊富で、確実な応答ポートフィリオにより、ヒト、動物または植物に対して拡張、確実に取り入れられ、要因となる消毒システムの使用。
【手続補正２】
【補正対象書類名】明細書
【補正対象項目名】０００６
【補正方法】変更
【補正の内容】
【０００６】
米国特許第５９２５８８５号（以下、Ｄ１と言う）は、パッケージおよびその内容の消毒のための、１８０ｎｍ〜３００ｎｍの波長スペクトルのフラッシュランプにより発生した多光ＵＶ光の使用に関する。Ｄ１の発明によると、前記製品の全体にわたる適当な光拡散を活性化するために、１つまたはそれ以上の反射板が、滅菌チャンバーの内側に必要である（Ｄ１のカラム７の第２７行目〜第２８行目を参照）。
【手続補正３】
【補正対象書類名】明細書
【補正対象項目名】０００７
【補正方法】変更
【補正の内容】
【０００７】
外部の反射板を使用するにあたって、多数の不都合な点がある。ＵＶの範囲の光反射板は、高価である。これらは、消毒する工程に必要な光エネルギーの一部を吸収し、前記パッケージの安全適用範囲を保証するために、消毒する対象の周辺に光を拡散させて、光エネルギーの残りの部分を失わせる、すなわち、前記システムの全エネルギー消費が増大すると、より強力な（および、不経済な）光源を必要となる。さらには、外部の光反射板は、保持するのが難しく、掃除のために逐次的な処理および周期的な交換を必要とする。そのため、前記ＵＶ光の拡散のための外部反射板を必要としない包装（ｐａｃｋａｇｉｎｇ）を通じた消毒の新規の方法が、必要不可欠である。
【手続補正４】
【補正対象書類名】明細書
【補正対象項目名】０００８
【補正方法】変更
【補正の内容】
【０００８】
前記したとおり、Ｄ１は、１８０ｎｍ〜３００ｎｍの波長スペクトルのＵＶ光を使用することを提示し、主張している。これは、微生物（ｍｉｃｒｏ−ｏｒｇａｎｉｓｍ）の不活性化領域で、もっとも好ましい波長範囲であるが、この範囲は、非常に一般的に使用されているＰＥＴボトルといった包装（ｐａｃｋａｇｉｎｇ）を通じて浸透させるためには非常に効果がない。前記ボトルは、可視光を透過させないが、これらは、Ｄ１に主張されている波長中のＵＶ光の９０％近くを吸収する。このことは、前記パッケージに到達するエネルギーの９０％近くが、前記パッケージの包みで、損傷および分子移動（ｍｏｌｅｃｕｌｅ ｍｉｇｒａｔｉｏｎ）を引き起こす熱に変換し（すなわち、使用した外部光源に起因する放射後のエネルギーの損失）、消毒することを目的とする内容に、１０％のエネルギーしか到達しないことを意味する。したがって、Ｄ１の発明は、消毒を必要とする瓶詰めの水産業およびその同業者に応じることができない。本願明細書の後半部分で論じているように、前記ＰＥＴポリマーによるＵＶ光の吸収は、３５５ｎｍ付近の波長で急激に減少するが、この波長は、フラッシュランプにより発生することができる範囲外である。さらには、すべてのフラッシュランプは、多色光を発生するため、これらフラッシュランプは、純粋に３５５ｎｍを発生することができない（すなわち、複数の波長の光を持つ光出力は、ＩＲ、ＶＩＳ、ＵＶを含み、熱／ＩＲとして起こる分子移動（ｍｏｌｅｃｕｌｅ ｍｉｇｒａｔｉｏｎ）が、生成し、ポリマー包装（ｐａｃｋａｇｉｎｇ）により吸収される）。前記３５５ｎｍの波長は、固相レーザーを用いてしか発生させることができない。
【手続補正５】
【補正対象書類名】明細書
【補正対象項目名】０００９
【補正方法】変更
【補正の内容】
【０００９】
米国特許第３８１７７０３号（以下、Ｄ２と言う）では、前記材料を透過する光波長を測定し、異なる角度から前記材料に光線を向けるために、前記材料を配置された複数の光源からの高エネルギー密度のレーザー光線のショート・バースト（ｓｈｏｒｔ ｂｕｒｓｔｓ）を、前記材料に被らせることを提示する（クレーム８を参照。）。前記パッケージおよびその内容の完全な露光量を保証し、十分量の光エネルギーが包装（ｐａｃｋａｇｉｎｇ）および内容全体に拡散されること確実にするために、いかに多くの光学処理が行われているかを、Ｄ２の発明の本文に沿って、端的に示すことができる。
【手続補正６】
【補正対象書類名】明細書
【補正対象項目名】００１０
【補正方法】変更
【補正の内容】
【００１０】
前記したように、前記ＵＶ光のための反射板およびレンズは、高価である、その理由としては、これらが、損傷しきい値（ｔｈｒｅｓｈｏｌｄ）に関する厳しい制約を受ける結果、相当量の周期的なメンテナンスおよび交換を必要とすること、および消毒する対象（すなわち、内容および包装（ｐａｃｋａｇｉｎｇ））に供給するエネルギーを著しく減じる必要があるためである。また、この問題は、ＰＥＴ容器を消毒するためにＤ２の発明を実行しようとするとより深刻となる、その理由としては、すべてのレーザービームが正孔を持つというよく知られた事象により、従来の反射板またはレンズ配置によってレーザービームを均一にすることができないため、Ｄ２は、いかなる光学的処理にもかかわらず、均一性という問題に対応することができないことである。
【手続補正７】
【補正対象書類名】明細書
【補正対象項目名】００１１
【補正方法】変更
【補正の内容】
【００１１】
Ｄ２が発明された時期（すなわち、だいたい１９６９年〜１９７１年）には、現在大量生産に使用されている型のＰＥＴプラスチックボトルは広く使用されていなかったことを記さなければならない。Ｄ２の発明の時点で、液体を包装するために使用されていた透明な材料は、微生物（ｍｉｃｒｏｏｒｇａｎｉｓｍ）の検出に最も効果的な波長の範囲（すなわち、ＵＶＢ−Ｃ範囲）に重複し、整合性のある、かかる光の波長の範囲に対して透過性を持つように製造されていた。したがって、Ｄ２の発明は、最小のエネルギー損失で、ＰＥＴポリマーを透過するのに適当した３５５ｎｍの波長での測定後に生じる深刻な問題を予測したもの、もしくは満たすものと判断することはできない。何を置いても、Ｄ２が発明された時点で到達することができない最大出力エネルギー密度およびパルス幅特性を持つ、３５５ｎｍの固相レーザーは使用することができない（ガスレーザーは、３５５ｎｍも、本発明の方法により必要とされる短いパルス幅をも利用できない）。必要な出力およびパルス持続時間を持つ３５５ｎｍの固相レーザーが利用できたとしても、オプティックス、すなわち、適当な光拡散、均質性および均等性を達成するために使用されている前記反射板および前記レンズ配置は、製造および維持するために費用がかかることから、Ｄ２型の市販されている消毒システムの利用価値は否定される。固相レーザーは、通常運転の間に起こる過剰なエネルギー爆発であるホットスポットを付随的に生じやすいことを記さなくてはならない。いかなる外部オプティックス、例えば、反射板およびレンズ等の累積損傷によるホットスポットは、高額なメンテナンス、特別な抗反射コーティング（光学成分の最新のものへの交換を含む）を必要とし、しばしば、加熱による損傷を防ぐための高価な光学素子を冷却する装置を必要とし、そのほかには、前記消毒の信頼性は、前記ホットスポットにより前記オプティックスに焼きついたブラックホールまたは減衰ホールのためにひどく損なわれる。前記費用が必要であることを主張するために、単一の固相レーザー装置の出力でのホットスポットをぼんやりとさせて一様にする専門的な結晶ディフューザー、すなわち、あらゆる表面または内容を、それらの中の代表的なバクテリアを飛ばすことなく均一に消毒することができる程度のディフューザーの価格、すなわち５０００００ＵＳドル近くまで価格を上げなくてはならない（レーザー自身の５倍の金額）。
【手続補正８】
【補正対象書類名】明細書
【補正対象項目名】００１２
【補正方法】変更
【補正の内容】
【００１２】
【課題を解決するための手段】
ここで、本発明の目的は、包装（ｐａｃｋａｇｉｎｇ）を通じた消毒の方法およびシステムを提供することであって、高価な外部オプティックスの必要性、依存を回避し、なくし、外部反射板を必要としない消毒方法およびシステムを提供し、すなわち、購入および維持のどちらにおいても非常に低価格で、より効率的に消毒するシステムの利用を可能にさせるこを目的とする。
【手続補正９】
【補正対象書類名】明細書
【補正対象項目名】００１３
【補正方法】変更
【補正の内容】
【００１３】
説明したように、本発明によるシステムにおいて欠如した高価な外部オプティックスは、レーザー光の均質ディフューザーとして前記パッケージの内容自身を利用することにより達成することができる。革新的な解決方法により、ホットスポットに累積する損傷がなくなり（本発明の方法によるオプティックスは、前記パッケージおよび内容自身から生じるため、１回の使用における交換のための費用がかからない）、その上、パッケージおよび内容全体を消毒するために非常に効率的な均一な光ディフューザーを十分得ることができる。
【手続補正１０】
【補正対象書類名】明細書
【補正対象項目名】００１４
【補正方法】変更
【補正の内容】
【００１４】
さらに具体的には、医学製剤の分野における現在の技術と比較して、最終的に包装した前記内容物または容量を処理する本発明の方法の能力は、より安全に、速く、さらには経済的な無菌製品製法を容易にし、特に、瓶詰め産業、生物医学的な分野に有用で、さらに免疫およびオプトプロバイオテック化合物入りの飲料水、ミネラル水、着香した水、湧き水、処理水、呼吸用空気、炭酸飲料、酸化飲料、増強飲料、補助飲料もしくはそれらの組み合わせたものの製造に有用である。特に、農業食品産業、瓶詰め産業および水産業に有用で、多額の費用をかけても使用する必要性があって、反応性および毒性化学物質を取り除く免疫製品製造の発達に有用である。
【国際調査報告】
2004513034.tif 000112
2004513034.tif 000113
2004513034.tif 000114
2004513034.tif 000115